(57)【要約】【課題】ユーザに対して不快感を与えることが少ない空気調和機の提供。【解決手段】空気調和機１００は、１台の室外機３と室外機３から加湿空気が供給される複数台の室内機本体１８ａ，１８ｂとユーザからの室内機本体１８ａ，１８ｂへの加湿空気の供給指示を受信可能な通信部６７といずれか１台の室内機本体１８ａ，１８ｂにのみ加湿空気が供給されるように室外機３を制御する加湿運転制御部６２とを備えている。加湿運転制御部６２は、通信部６７が供給指示を先に受信した室内機本体である第１供給機に加湿空気が供給されるように室外機３を制御する第１優先供給機切り換え制御と通信部６７が第１供給機以外の室内機本体である第２室内機に対する供給指示を受信し第１条件を満たしている場合に第２供給機に加湿空気が供給されるように室外機３を制御する非優先供給機切り換え制御と第２条件を満たしている場合に第１供給機に加湿空気が供給されるように室外機３を制御する第２優先供給機切り換え制御とを行う。【選択図】図１
2010107179.tif 000002
【特許請求の範囲】
【請求項１】
１台の加湿装置（３，１０３）と、
前記加湿装置から加湿空気が供給される複数台のエリア別室内機（１８ａ，１８ｂ，１１８ａ，１１８ｂ，１１８ｃ）と、
ユーザからの各前記エリア別室内機への加湿空気の供給指示を受信可能な受信部（６７）と、
複数の前記エリア別室内機のうちのいずれか１台にのみ加湿空気が供給されるように前記加湿装置を制御する制御部（６２）と、を備え、
前記制御部は、
前記受信部が前記供給指示を最初に受信した前記エリア別室内機である第１供給機に加湿空気が供給されるように、前記加湿装置を制御する第１制御と、
前記第１制御が行われた後であって、前記受信部が前記第１供給機以外の前記エリア別室内機である第２供給機に対する前記供給指示を受信し、かつ、少なくとも前記第１供給機によって加湿される第１エリア（１ａ，１ｂ，１０１ａ，１０１ｂ，１０１ｃ）の加湿環境が第１条件を満たしている場合に、前記第２供給機に加湿空気が供給されるように、前記加湿装置を制御する第２制御と、
前記第２制御が行われた後であって、少なくとも前記第１エリアの加湿環境が第２条件を満たしている場合に、前記第２供給機以外の前記エリア別室内機に加湿空気が供給されるように、前記加湿装置を制御する第３制御と、を行う、
空気調和機（１００，２００）。
【請求項２】
前記制御部は、前記第１エリアの湿度を測定するための第１エリア湿度センサ（７０ａ，７０ｂ）の計測値に基づいて前記第１エリアにおける加湿環境に対応する第１加湿環境値を算出可能な算出部（６８）を有し、
前記第１条件には、前記第１加湿環境値が第１所定値未満であるという第１切り換え条件が含まれ、
前記第２条件には、前記第１加湿環境値が第２所定値以上であるという第２切り換え条件が含まれる、
請求項１に記載の空気調和機。
【請求項３】
前記算出部は、前記第２供給機によって加湿される第２エリア（１ａ，１ｂ，１０１ａ，１０１ｂ，１０１ｃ）の湿度を測定するための第２エリア湿度センサ（７０ａ，７０ｂ）の計測値に基づいて、前記第２エリアにおける加湿環境に対応する第２加湿環境値を更に算出し、
前記第１条件には、前記第１切り換え条件の他に、前記第２加湿環境値が第３所定値以上であるという第３切り換え条件、または、前記第１供給機によって前記第１エリアの加湿が開始されてから所定の第１時間を経過しているという第４切り換え条件の少なくともいずれか１つの条件が含まれる、
請求項２に記載の空気調和機。
【請求項４】
前記第２条件には、前記第２切り換え条件の他に、前記第２供給機によって前記第２エリアの加湿が開始されてから所定の第２時間を経過しているという第５切り換え条件が含まれる、
請求項３に記載の空気調和機。
【請求項５】
前記第２供給機は、前記第１供給機に加湿空気が供給されていることを報知するための報知部（１３ａ，１３ｂ）を有する、
請求項１から４のいずれかに記載の空気調和機。
【請求項６】
前記加湿装置は、前記第１供給機にのみ加湿空気が供給される第１状態と、前記第２供給機にのみ加湿空気が供給される第２状態とに状態を切り換え可能な切り換え部（３０，１３０）を有し、
前記制御部は、前記切り換え部の状態を切り換える切り換え制御を行うことで、前記第１制御、前記第２制御、または、前記第３制御を行う、
請求項１から５のいずれかに記載の空気調和機。
【請求項７】
前記切り換え部の状態が切り換わるようにユーザからの切り換え指示を受け付ける受付部（２９０，２９１）を更に備える、
請求項６に記載の空気調和機。
【請求項８】
前記受付部において前記切り換え指示を受け付けている場合には、前記切り換え部において、前記制御部による前記切り換え制御に応じた前記切り換え部の状態よりも前記切り換え指示に基づく前記切り換え部の状態が優先される、
請求項７に記載の空気調和機。
【請求項９】
前記制御部は、前記受信部が前記供給指示を受信したタイミングに基づいて、前記第２供給機を決定する決定部（６５）を有する、
請求項１から８のいずれかに記載の空気調和機。
【請求項１０】
１台の加湿装置と、
前記加湿装置から加湿空気が供給される複数台のエリア別室内機と、
前記エリア別室内機のうちの１つの室内機である第１室内機にのみ加湿空気が供給される第１状態と、前記第１室内機以外の前記エリア別室内機である第２室内機にのみ加湿空気が供給される第２状態とに状態を切り換え可能な切り換え部と、
前記切り換え部の状態が第１状態となるようにユーザからの設定指示を受け付ける第１受付部（２９０，３９０）と、前記切り換え部の状態が第２状態となるようにユーザからの設定指示を受け付ける第２受付部（２９１，３９１）とを有する設定部（２９２，３９２）と、
を備える空気調和機。
【請求項１１】
ユーザからの各前記エリア別室内機への加湿空気の供給指示を受信可能な受信部を更に備え、
前記第１受付部において前記設定指示を受け付けており前記第２受付部において前記設定指示を受け付けていない場合であって前記受信部が前記第１室内機への加湿空気の前記供給指示を受信した場合には前記切り換え部の状態が第１状態となるように前記切り換え部の状態が切り換えられ、前記第１受付部において前記設定指示を受け付けておらず前記第２受付部において前記設定指示を受け付けている場合であって前記受信部が前記第２室内機への加湿空気の前記供給指示を受信した場合には前記切り換え部の状態が第２状態となるように前記切り換え部の状態が切り換えられる、
請求項１０に記載の空気調和機。
【請求項１２】
前記第１受付部および前記第２受付部において前記設定指示を受け付けている場合には、前記切り換え部において、前記第１状態と前記第２状態とが所定時間毎に切り換えられる、
請求項１０または１１に記載の空気調和機。
【発明の詳細な説明】
【技術分野】
【０００１】
本発明は、加湿空気を供給することができるマルチタイプの空気調和機に関する。
【背景技術】
【０００２】
従来より、複数の部屋を１台の換気装置を用いて換気することができる多室換気装置や多室換気システムがある。
【０００３】
例えば、特許文献１（特開平１１−３１１４３５号公報）に開示されている多室換気装置は、送風機を有する本体（換気装置に相当）と、本体に接続されているチャンバーとを備える。チャンバーには、部屋内の空気を吸引するための吸込口が、換気を行う部屋の数に相当する数だけ設けられている。また、チャンバーは、複数の吸込口を独立して開閉可能なダンパを有している。この多室換気装置では、それぞれのダンパを独立して稼働させることで、それぞれの部屋内の換気を独立して行うことができる。このようにして、この多室換気装置では、１台の本体を用いて複数の部屋の換気を行っている。
【０００４】
また、特許文献２（特開平５−２２３２９８号公報）に開示されている多室換気システムは、換気装置と、換気装置に接続されている主ダクトと、主ダクトから複数の部屋内に分岐して配置されている複数の分岐ダクトとを備える。また、各分岐ダクトは、各部屋内から空気を取り込むための空気取込口を開閉するダンパをそれぞれ有している。この多室換気システムでは、各ダンパの稼働台数に基づいて必要な換気風量が決定されており、この決定された換気風量に応じて換気装置を稼働させている。このようにして、この多室換気システムでは、１台の換気装置を用いて複数の部屋の換気を行っている。
【発明の概要】
【発明が解決しようとする課題】
【０００５】
ところで、室内機に加湿空気を供給する加湿機能を有する加湿装置に複数の室内機が接続されている空気調和機の場合、上述のような多室換気装置や多室換気システムを利用して、複数の部屋内に加湿空気を供給することが考えられる。
【０００６】
しかしながら、１つの部屋を加湿するために必要な加湿能力を有しているが複数の部屋を加湿するために必要な加湿能力を有していないような加湿装置に、上述のような多室換気装置や多室換気システムを対応させた場合、複数の部屋に居るユーザから同時に加湿空気の供給が要求されると、加湿空気を各部屋に分散して供給することになる。このため、加湿空気が各部屋に十分に供給されないために、ユーザに対して不快感を与えるおそれがある。
【０００７】
そこで、本発明の課題は、ユーザに対して不快感を与えることが少ない空気調和機を提供することにある。
【課題を解決するための手段】
【０００８】
第１発明に係る空気調和機は、１台の加湿装置と、複数台のエリア別室内機と、受信部と、制御部とを備えている。エリア別室内機には、加湿装置から加湿空気が供給される。受信部は、ユーザからの各エリア別室内機への加湿空気の供給指示を受信可能である。制御部は、複数のエリア別室内機のうちのいずれか１台にのみ加湿空気が供給されるように、加湿装置を制御する。また、制御部は、第１制御と、第２制御と、第３制御とを行う。第１制御では、制御部が、受信部が供給指示を最初に受信したエリア別室内機である第１供給機に加湿空気が供給されるように、加湿装置を制御する。第２制御は、第１制御が行われた後であって、受信部が第１供給機以外のエリア別室内機である第２室内機に対する供給指示を受信し、かつ、少なくとも第１供給機によって加湿される第１エリアの加湿環境が第１条件を満たしている場合に行われる。また、第２制御では、制御部が、第２供給機に加湿空気が供給されるように、加湿装置を制御する。第３制御では、制御部が、第２供給機以外のエリア別室内機に加湿空気が供給されるように、加湿装置を制御する。また、第３制御は、第２制御が行われた後であって、少なくとも第１エリアの加湿環境が第２条件を満たしている場合に行われる。
【０００９】
第１発明に係る空気調和機では、制御部によって第１制御、第２制御または第３制御が行われることによって、複数のエリア別室内機のうちのいずれか１台にのみ加湿空気が供給される。このため、１つのエリアを加湿するために必要な加湿能力を有しているが複数のエリアを加湿するために必要な加湿能力を有していないような加湿装置に対応させた場合でも、各エリア別室内機に十分な加湿空気を供給することができる。
【００１０】
これによって、ユーザに対して不快感を与えるおそれを減らすことができる。
【００１１】
第２発明に係る空気調和機は、第１発明の空気調和機であって、制御部は、算出部を有する。算出部は、第１エリア湿度センサの計測値に基づいて、第１エリアにおける加湿環境に対応する第１加湿環境値を算出可能である。第１エリア湿度センサとは、第１エリアの湿度を測定するためのセンサである。また、第１条件には、第１加湿環境値が第１所定値未満であるという第１切り換え条件が含まれる。さらに、第２条件には、第１加湿環境値が第２所定値以上であるという第２切り換え条件が含まれる。
【００１２】
第２発明に係る空気調和機では、第１条件として第１切り換え条件が含まれており、第２条件として第２切り換え条件が含まれている。このため、第１供給機によって加湿空気が供給される第１エリアにおける加湿環境値に基づいて、第２制御および第３制御が行われる。
【００１３】
これによって、第１エリアの加湿が不十分となるおそれを減らすことができる。
【００１４】
第３発明に係る空気調和機は、第２発明の空気調和機であって、算出部は、第２エリア湿度センサの計測値に基づいて、第２エリアにおける加湿環境に対応する第２加湿環境値を更に算出する。第２エリア湿度センサとは、第２供給機によって加湿される第２エリアの湿度を測定するためのセンサである。また、第１条件には、前記第１切り換え条件の他に、第３切り換え条件、または、第４切り換え条件の少なくともいずれか１つの条件が含まれる。第３切り換え条件とは、第２加湿環境値が第３所定値以上であるという条件である。また、第４切り換え条件とは、第１供給機によって第１エリアの加湿が開始されてから所定の第１時間を経過しているという条件である。
【００１５】
第３発明に係る空気調和機では、第１条件には、第１切り換え条件の他に、第３切り換え条件、または、第４切り換え条件の少なくともいずれか１つの条件が含まれる。このため、例えば、第１条件に、第１切り換え条件および第３切り換え条件が含まれる場合、第１加湿環境値および第２加湿環境値に基づいて、第２制御が行われる。また、例えば、第１条件に、第１切り換え条件および第４切り換え条件が含まれる場合、第１加湿環境値および第１エリアが加湿された時間に基づいて、第２制御が行われる。さらに、第１条件に、第１切り換え条件、第３切り換え条件、および、第４切り換え条件が含まれる場合、第１加湿環境値、第２加湿環境値、および、第１エリアが加湿された時間に基づいて、第２制御が行われる。したがって、この空気調和機では、各エリアに加湿空気を供給することができる。
【００１６】
第４発明に係る空気調和機は、第３発明の空気調和機であって、第２条件には、第２切り換え条件の他に、第５切り換え条件を含む。第５切り換え条件とは、第２供給機によって第２エリアの加湿が開始されてから所定の第２時間を経過しているという条件である。このため、例えば、第２切り換え条件を満たしている場合にのみ第３制御が行われる場合と比較して、第２供給機に加湿空気を供給することができる。
【００１７】
第５発明に係る空気調和機は、第１発明から第４発明のいずれかの空気調和機であって、第２供給機は、第１供給機に加湿空気が供給されていることを報知するための報知部を有する。このため、第１供給機以外のエリア別室内機に対して加湿空気の供給指示を出したユーザに対して、第１供給機に加湿空気が供給されていることを認識させやすくすることができる。
【００１８】
これによって、ユーザに不快感を与えるおそれを減らすことができる。
【００１９】
第６発明に係る空気調和機は、第１発明から第５発明のいずれかの空気調和機であって、加湿装置は、切り換え部を有する。切り換え部は、第１供給機のみに加湿空気が供給される第１状態と、第２供給機にのみ加湿空気が供給される第２状態とに状態を切り換え可能である。また、制御部は、切り換え部の状態を切り換える切り換え制御を行うことで、第１制御、第２制御、または、第３制御を行う。このため、この空気調和機では、１台のエリア別室内機にのみ加湿空気が供給されるため、エリア毎に加湿が不十分となるおそれを減らすことができる。
【００２０】
これによって、ユーザに対して不快感を与えるおそれを減らすことができる。
【００２１】
第７発明に係る空気調和機は、第６発明の空気調和機であって、切り換え部の状態が切り換わるように、ユーザからの切り換え指示を受け付ける受付部を更に備える。このため、例えば、受付部において、第１供給機にのみ加湿空気が供給されるように、ユーザからの切り換え指示が受け付けられた場合、切り換え部の状態は第１供給機にのみ加湿空気が供給されるように切り換えられる。したがって、ユーザの都合に応じた切り換え部の状態を設定することができる。
【００２２】
第８発明に係る空気調和機は、第７発明の空気調和機であって、受付部において切り換え指示を受け付けている場合には、切り換え部において、制御部による切り換え制御に応じた切り換え部の状態よりも、切り換え指示に基づく切り換え部の状態が優先される。このため、例えば、受付部が切り換え指示を受け付けている場合には、第１条件または第２条件が満たされたとしても、切り換え部の状態は、切り換え指示に基づく切り換え部の状態が維持される。したがって、ユーザの都合に応じた切り換え部の状態を維持することができる。
【００２３】
第９発明に係る空気調和機は、第１発明から第８発明のいずれかの空気調和機であって、制御部は、受信部が供給指示を受信したタイミングに基づいて、第２供給機を決定する決定部を更に有する。このため、この空気調和機では、第２供給機を決定することができる。
【００２４】
第１０発明に係る空気調和機は、１台の加湿装置と、複数台のエリア別室内機と、切り換え部と、設定部とを備えている。エリア別室内機には、加湿装置から加湿空気が供給される。切り換え部は、第１状態と第２状態とに状態を切り換え可能である。第１状態とは、エリア別室内機のうちの１つの室内機である第１室内機にのみ加湿空気が供給される状態のことである。第２状態とは、第１室内機以外のエリア別室内機である第２室内機にのみ加湿空気が供給される状態のことである。設定部は、第１受付部と第２受付部とを有している。第１受付部は、切り換え部の状態が第１状態となるように、ユーザからの設定指示を受け付ける。第２受付部は、切り換え部の状態が第２状態となるように、ユーザからの設定指示を受け付ける。
【００２５】
第１０発明に係る空気調和機では、設定部においてユーザからの設定指示を受け付けている場合には、前記設定指示に応じて、空気流路切り換え部の状態が切り換えられる。このため、ユーザの都合に応じて、空気流路切り換え部の状態を切り換えることができる。
【００２６】
これによって、ユーザに対して不快感を与えるおそれを減らすことができる。
【００２７】
第１１発明に係る空気調和機は、第１０発明の空気調和機であって、受信部を更に備えている。受信部は、ユーザからの各エリア別室内機への加湿空気の供給指示を受信可能である。また、第１受付部において設定指示を受け付けており、第２受付部において設定指示を受け付けていない場合であって、受信部が第１室内機への加湿空気の供給指示を受信した場合には、切り換え部の状態が第１状態となるように、切り換え部の状態が切り換えられる。また、第１受付部において設定指示を受け付けておらず、第２受付部において設定指示を受け付けている場合であって、受信部が第２室内機への加湿空気の供給指示を受信した場合には、切り換え部の状態が第２状態となるように、切り換え部の状態が切り換えられる。このため、この空気調和機では、ユーザの都合に応じて、空気流路切り換え部の状態が切り換えられる。
【００２８】
これによって、ユーザに不快感を与えるおそれを減らすことができる。
【００２９】
第１２発明に係る空気調和機は、第１０発明または第１１発明の空気調和機であって、第１受付部および第２受付部において設定指示を受け付けている場合には、切り換え部において、第１状態と第２状態とが所定時間毎に切り換えられる。このため、この空気調和機では、第１室内機および第２室内機に対して加湿空気を供給することができる。
【００３０】
これによって、ユーザに不快感を与えるおそれを減らすことができる。
【発明の効果】
【００３１】
第１発明に係る空気調和機では、ユーザに対して不快感を与えるおそれを減らすことができる。
【００３２】
第２発明に係る空気調和機では、第１エリアの加湿が不十分となるおそれを減らすことができる。
【００３３】
第３発明に係る空気調和機では、各エリアに加湿空気を供給することができる。
【００３４】
第４発明に係る空気調和機では、第２供給機に加湿空気を供給することができる。
【００３５】
第５発明に係る空気調和機では、ユーザに不快感を与えるおそれを減らすことができる。
【００３６】
第６発明に係る空気調和機では、ユーザに対して不快感を与えるおそれを減らすことができる。
【００３７】
第７発明に係る空気調和機では、ユーザの都合に応じた切り換え部の状態を設定することができる。
【００３８】
第８発明に係る空気調和機では、ユーザの都合に応じた切り換え部の状態を維持することができる。
【００３９】
第９発明に係る空気調和機では、第２供給機を決定することができる。
【００４０】
第１０発明に係る空気調和機では、ユーザに対して不快感を与えるおそれを減らすことができる。
【００４１】
第１１発明に係る空気調和機では、ユーザに対して不快感を与えるおそれを減らすことができる。
【００４２】
第１２発明に係る空気調和機では、ユーザに対して不快感を与えるおそれを減らすことができる。
【図面の簡単な説明】
【００４３】
【図１】本発明の実施形態に係る室内機を備える空気調和機の概略冷媒回路図。
【図２】本発明の実施形態に係る室内機を備える空気調和機の概念図。
【図３】本発明の実施形態に係る室内機の正面図。
【図４】室外機の分解斜視図。
【図５】第１切り換え状態における空気流路切り換え部の（ａ）平面図、および、（ｂ）給気時の空気の流れを示す断面図（図５（ａ）の V−V断面に相当）。
【図６】第２切り換え状態における空気流路切り換え部の（ａ）平面図、および、（ｂ）給気時の空気の流れを示す断面図（図６（ａ）の VI−VI断面に相当）。
【図７】制御装置の制御ブロック図。
【図８】切り換え制御部による空気流路切り換え部の切り換え動作の流れを示すフローチャート。
【図９】切り換え制御部による空気流路切り換え部の切り換え動作の流れを示すフローチャート。
【図１０】切り換え制御部による空気流路切り換え部の切り換え動作の流れを示すフローチャート。
【図１１】本発明の変形例（B）に係る室内機を備える空気調和機の概念図。
【図１２】本発明の変形例（B）における第２切り換え状態の空気流路切り換え部の（ａ）平面図、および、（ｂ）給気時の空気の流れを示す断面図（図１２（ａ）の XII−XII断面に相当）。
【図１３】本発明の変形例（B）における切り換え制御部による空気流路切り換え部の切り換え動作の流れを示すフローチャート。
【図１４】本発明の変形例（B）における切り換え制御部による空気流路切り換え部の切り換え動作の流れを示すフローチャート。
【図１５】本発明の変形例（B）における切り換え制御部による空気流路切り換え部の切り換え動作の流れを示すフローチャート。
【図１６】本発明の変形例（B）における切り換え制御部による空気流路切り換え部の切り換え動作の流れを示すフローチャート。
【図１７】本発明の変形例（B）における切り換え制御部による空気流路切り換え部の切り換え動作の流れを示すフローチャート。
【図１８】本発明の変形例（B）における切り換え制御部による空気流路切り換え部の切り換え動作の流れを示すフローチャート。
【図１９】本発明の変形例（C）における制御装置の制御ブロック図。
【図２０】本発明の変形例（C）における制御装置の制御ブロック図。
【発明を実施するための形態】
【００４４】
＜空気調和機の構成概略＞
本発明の一実施形態に係る空気調和機１００について説明する。この空気調和機１００は、図１に示すように、１台の室外機３と、２台の室内機（エリア別室内機に相当）２ａ，２ｂとが冷媒配管によって並列に接続されているマルチタイプの空気調和機である。また、この空気調和機１００は、冷房運転および暖房運転を含む通常運転の他に、加湿運転等の運転を行うことができる。室外機３は、室外熱交換器２４や室外ファン２９などを内部に収容する室外空調ユニット５と、加湿ユニット４とを備えている。室内機２ａ，２ｂの内部には室内熱交換器１１ａ，１１ｂが収容されている。また、加湿ユニット４と室内機２ａ，２ｂとの間には、吸排気ホース６ａ，６ｂが設けられている。吸排気ホース６ａ，６ｂは、一端が加湿ユニット４に接続されており、他端が室内機２ａ，２ｂと接続されており、加湿ユニット４の内部空間と室内機２ａ，２ｂの内部空間と連通させることができる。
【００４５】
＜室内機の構成＞
第１室内機２ａは、図２に示すように、第１室内機本体１８ａと第１リモコン８０ａとを備えている。第１室内機本体１８ａは、第１部屋１ａ内に配置されており、第１部屋１ａの壁面等に設置される壁掛け型の室内機である。また、第２室内機２ｂは、第２室内機本体１８ｂと第２リモコン８０ｂとを備えている。第２室内機本体１８ｂは、第２部屋１ｂ内に配置されており、第１室内機本体１８ａと同様に第２部屋１ｂ内の壁面等に設置される壁掛け型の室内機である。また、第１室内機本体１８ａおよび第２室内機本体１８ｂは、図１に示すように、冷媒配管を介して室外機３に接続されている。
【００４６】
次に、第１室内機２ａの構成について説明する。なお、第１室内機２ａと第２室内機２ｂとは、同様の構成であるため、ここでは、第１室内機２ａの構成のみを説明する。
【００４７】
第１室内機本体１８ａは、図３に示すように、第１室内機ケーシング１０ａを備えている。また、第１室内機ケーシング１０ａ内には、第１室内ファン１２ａおよび上述の第１室内熱交換器１１ａ等が収容されている（図１参照）。
【００４８】
第１室内熱交換器１１ａは、長手方向両端で複数回折り返されてなる伝熱管と、伝熱管から挿通される複数のフィンとからなり、接触する空気との間で熱交換を行う。
【００４９】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機本体１８ａ内に吸い込ませるとともに、第１室内熱交換器１１ａとの間で熱交換を行った後の空気を第１部屋１ａ内に吹き出させる。
【００５０】
また、第１室内機本体１８ａ内には、上述のように、加湿ユニット４から延びる第１吸排気ホース６ａの一端が配置されている。また、第１吸排気ホース６ａには開口が設けられており、この開口は第１室内熱交換器１１ａの表面と対向する位置に配置されている。具体的な開口の位置とは、第１室内ファン１２ａが回転し空気流が生成されている状態で、第１室内機本体１８ａの上部に設けられている空気取込口１０ｂの下流側であり、かつ、第１室内熱交換器１１ａの上流側である。
【００５１】
さらに、第１室内機本体１８ａは、図３に示すように、空気調和機１００の運転状況等をユーザに報知するための第１表示部１７ａを備えている。第１表示部１７ａは、第１窓部１４ａ，１５ａ，１６ａと、複数のＬＥＤ発光素子と、を有している。第１窓部１４ａ，１５ａ，１６ａは、ユーザが視認可能なように、第１室内機ケーシング１０ａの前面下部に設けられている。また、第１窓部１４ａ，１５ａ，１６ａは、透過性材料によって構成されており、第１室内機ケーシング１０ａの内側に配置されているＬＥＤ発光素子の光を第１室内機ケーシング１０ａの外側に透過させることができる。ＬＥＤ発光素子は、第１室内機ケーシング１０ａの内部に収容されており、第１窓部１４ａ，１５ａ，１６ａ近傍に配置されている。また、ＬＥＤ発光素子には、第１他室加湿運転報知ＬＥＤ発光素子１３ａ（図７参照）が含まれる。なお、図３では、第１他室加湿運転報知ＬＥＤ発光素子１３ａの光を第１室内機ケーシング１０ａの外部に透過させることができる窓部を符号１６ａで示している。
【００５２】
また、第１リモコン８０ａは、空気調和機１００を遠隔操作するための装置であり、複数のスイッチを有している。第１リモコン８０ａは、これらのスイッチがユーザによって押されることで、空気調和機１００に対してのユーザからの指示内容を制御信号として後述する制御装置６０の通信部６７に送信することができる。例えば、第１リモコン８０ａの有する複数のスイッチのうち、第１室内機本体１８ａにおいて行われる冷房運転等の運転を開始または停止させるためのスイッチである第１運転／停止スイッチがユーザによって押されることで、第１室内機本体１８ａにおいて冷房運転等の運転を開始または停止させるという指示が制御信号として、第１リモコン８０ａから制御装置６０の通信部６７に送信される。
【００５３】
＜室外機の構成＞
室外機３は、図１および図２に示すように、下部の室外空調ユニット５と、上部の加湿ユニット４とから構成されている。
【００５４】
室外空調ユニット５内には、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとが収容されている。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００５５】
加湿ユニット４は、図１に示すように、室外機３の上部に配置されている。また、加湿ユニット４は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。なお、本実施形態における加湿ユニット４は、１つの部屋内を加湿するために必要な加湿能力を有しているが、複数の部屋内を加湿するために必要な加湿能力を有していないような小型の加湿ユニットである。
【００５６】
以下に、加湿ユニット４の構成について説明する。
【００５７】
＜加湿ユニットの構成＞
加湿ユニット４は、図１および図４に示すように、加湿ユニットケーシング７と、加湿ユニット本体６とを備えている。
【００５８】
加湿ユニットケーシング７は、図１および図４に示すように、加湿ロータ５１、加熱装置５２、加湿ファン５４、吸排気切り換えダンパ５３および吸着用送風装置５５等を収納している。
【００５９】
加湿ユニットケーシング７の前面には、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、吸気運転および加湿運転時に、室外から加湿ユニット４内に取り込まれ室内機２ａ，２ｂに送られる空気が通る開口である。また、吸排気口７ｃは、排気運転時に、室内機２ａ，２ｂから取り込まれ加湿ユニット４内から室外へと排気される空気が通る開口である。
【００６０】
加湿ユニット本体６は、図１および図４に示すように、加湿ロータ５１、加熱装置５２、吸排気切り換えダンパ５３、加湿ファン５４、吸着用送風装置５５等を備えている。
【００６１】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００６２】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００６３】
加湿ファン５４は、加湿ロータ５１の側方に配置されており、室外から取り込まれ室内機２ａ，２ｂへと送られる空気の流れを生成するラジカルファン組立体である。加湿ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送る。また、加湿ファン５４は、室内機２ａ，２ｂから取り入れた部屋１ａ，１ｂ内の空気を室外へと排出することもできる。なお、加湿ファン５４は、吸排気切り換えダンパ５３が切り換わることによって、これらの動作を切り換える。加湿ファン５４は、図１に示すように、室外から取り入れた空気を室内機２ａ，２ｂへと送る場合には、加湿ロータ５１のうちの加熱装置５２と対向する部分を通過した空気を、吸排気切り換えダンパ５３を経て吸排気ダクト５８へと送り出す。吸排気ダクト５８は、後述する空気流路切り換え部３０を介して吸排気ホース６ａ，６ｂに接続されており、加湿ファン５４は、吸排気ダクト５８、空気流路切り換え部３０および吸排気ホース６ａ，６ｂを介して室外の空気を室内機２ａ，２ｂへと供給する。なお、吸排気ホース６ａ，６ｂを通って室内機２ａ，２ｂへ送られる空気は、上述のように室内機２ａ，２ｂ内部において室内熱交換器１１ａ，１１ｂの表面に吹き出される。
【００６４】
また、加湿ファン５４は、室内機２ａ，２ｂから取り入れた部屋１ａ，１ｂ内の空気を室外へと排出する場合には、吸排気ホース６ａ，６ｂ、空気流路切り換え部３０および吸排気ダクト５８を通ってきた部屋１ａ，１ｂ内の空気を吸排気口７ｃから室外へと排出する。
【００６５】
吸着用送風装置５５は、吸着用ファンモータ５９と、吸着用ファンモータ５９によって回転駆動される吸着ファン５６とを有し、加湿ロータ５１のうちの加熱装置５２と対向しない部分を通過する空気の流れを生成する。すなわち、吸着用送風装置５５は、吸着用空気取込口７ｂから吸い込まれ、加湿ロータ５１のうちの加熱装置５２と対向しない部分を通過し、ベルマウス５７の開口を通り、吸着用空気吹き出し口７ａから室外へ排出される空気の流れを生成する。
【００６６】
吸排気切り換えダンパ５３は、吸排気ダンパと、吸排気ダンパを回転させるための第１駆動モータ５３ａ（図７参照）とを含む、回転式の空気流路切換機構である。また、吸排気切り換えダンパ５３は、加湿ファン５４の下方に配置される。さらに、吸排気切り換えダンパ５３では、第１駆動モータ５３ａが吸排気ダンパを回転させることで、給気状態と排気状態とが切り換えられる。給気状態では、加湿ファン５４によって、加湿ユニット４側から室内機本体１８ａ，１８ｂ側に向かう空気流が生成される。また、排気状態では、加湿ファン５４によって、室内機本体１８ａ，１８ｂ側から加湿ユニット４側に向かう空気流が生成される。
【００６７】
また、加湿ユニット４は、吸排気ダクト５８と吸排気ホース６ａ，６ｂとの間に配置される空気流路切り換え部３０を備えている。以下に、空気流路切り換え部３０について説明する。
【００６８】
＜空気流路切り換え部の構成＞
空気流路切り換え部３０は、図１および図２に示すように、吸排気ダクト５８および吸排気ホース６ａ，６ｂに接続される回転式の空気流路切り換え手段である。また、空気流路切り換え部３０は、加湿ユニットケーシング７の内側に配置されている。
【００６９】
空気流路切り換え部３０は、図５および図６に示すように、切り換え部ケーシング３１と、ダンパ３２とを有している。切り換え部ケーシング３１は、第１切り換え部ケーシング３３と第２切り換え部ケーシング３４とから構成されている。第１切り換え部ケーシング３３は、図５（ｂ）および図６（ｂ）に示すように、略円筒形状を有しており、上側および下側が開口している。なお、本実施形態における「上下」は、図５（ｂ）および図６（ｂ）における上下を意味している。また、第２切り換え部ケーシング３４は、略円形状の部材であり、その面積は第１切り換え部ケーシング３３の下側の開口の面積と略同一である。また、第２切り換え部ケーシング３４には、第１開口３５ａと第２開口３５ｂとが設けられている。なお、第１開口３５ａの面積と第２開口３５ｂの面積とは同一である。また、第１開口３５ａおよび第２開口３５ｂの面積は、第１切り換え部ケーシング３３の上側の開口の面積よりも小さい。さらに、第１開口３５ａの周辺部から下方に第１接続部が延びており、第２開口３５ｂの周辺部から下方に第２接続部が延びている。また、空気流路切り換え部３０は、切り換え部ケーシング３１の上側に設けられている開口を介して吸排気ダクト５８と接続されている。さらに、空気流路切り換え部３０は、第２切り換え部ケーシング３４の第１開口３５ａを介して第１吸排気ホース６ａと接続されており、第２切り換え部ケーシング３４の第２開口３５ｂを介して第２吸排気ホース６ｂと接続されている。
【００７０】
ダンパ３２は、略半円形状の板状部材であり、第２切り換え部ケーシング３４に回転可能に取り付けられている。なお、ダンパ３２は、第２駆動モータ３０ａ（図７参照）が駆動することによって回転する。また、空気流路切り換え部３０は、ダンパ３２が回転することによって、第１切り換え状態または第２切り換え状態に切り換わることが可能である。以下、第１切り換え状態および第２切り換え状態について図５および図６を用いて説明する。
【００７１】
第１切り換え状態とは、図５（ａ）に示すように、第２切り換え部ケーシング３４に設けられている第２開口３５ｂを覆うように、ダンパ３２が配置されている状態である。また、第１開口３５ａは、開放された状態となる。このため、切り換え部ケーシング３１は、上側で吸排気ダクト５８と接続されており、下側で第１開口３５ａが開放されることで第１吸排気ホース６ａと接続されている状態となる。したがって、吸排気ダクト５８と、第１吸排気ホース６ａとが連通している状態となる。
【００７２】
これによって、吸排気切り換えダンパ５３が給気状態であり、かつ、空気流路切り換え部３０が第１切り換え状態である場合には、図５（ｂ）の矢印で示すように、吸排気ダクト５８を通ってきた空気が、切り換え部ケーシング３１内部を介して、第１開口３５ａから第１吸排気ホース６ａに流れる。また、吸排気切り換えダンパ５３が排気状態であり、かつ、空気流路切り換え部３０が第１切り換え状態である場合には、第１室内機本体１８ａに吸い込まれた第１部屋１ａ内の空気が、第１吸排気ホース６ａを通り、切り換え部ケーシング３１内部を通って、吸排気ダクト５８を介して吸排気口７ｃから室外に排出される。
【００７３】
第２切り換え状態とは、図６（ａ）に示すように、第２切り換え部ケーシング３４に設けられている第１開口３５ａを覆うように、ダンパ３２が配置されている状態である。また、第２開口３５ｂは、開放された状態となる。このため、切り換え部ケーシング３１は、上側で吸排気ダクト５８と接続されており、下側で第２開口３５ｂが開放されることで第２吸排気ホース６ｂと接続されている状態となる。したがって、吸排気ダクト５８と、第２吸排気ホース６ｂとが連通している状態となる。
【００７４】
これによって、吸排気切り換えダンパ５３が給気状態であり、かつ、空気流路切り換え部３０が第２切り換え状態の場合には、図６（ｂ）の矢印で示すように、吸排気ダクト５８を通ってきた空気が、切り換え部ケーシング３１内部を介して、第２開口３５ｂから第２吸排気ホース６ｂに流れる。また、吸排気切り換えダンパ５３が排気状態であり、かつ、空気流路切り換え部３０が第２切り換え状態の場合には、第２室内機本体１８ｂに吸い込まれた第２部屋２ａ内の空気が、第２吸排気ホース６ｂを通り、切り換え部ケーシング３１内部を通って、吸排気ダクト５８を介して吸排気口７ｃから室外に排出される。
【００７５】
また、第２駆動モータ３０ａの駆動は、切り換え制御部６６によって制御されている。以下に、切り換え制御部６６を備える制御装置６０について説明する。
【００７６】
＜制御装置＞
制御装置６０は、図７に示すように、室内ファン１２ａ，１２ｂ、室内熱交換器１１ａ，１１ｂ、他室加湿運転報知ＬＥＤ発光素子１３ａ，１３ｂを含むＬＥＤ発光素子、圧縮機２１、四路切換弁２２、室外ファン２９、室外熱交換器２４、室外膨張弁２５ａ，２５ｂ、加湿ロータ５１、第１駆動モータ５３ａ、吸着用送風装置５５、加熱装置５２および第２駆動モータ３０ａ等の各種機器と接続されている。また、制御装置６０は、通信部６７を備えている。通信部６７は、リモコン８０ａ，８０ｂから送信される冷房運転や暖房運転等の通常運転や加湿運転等の各種運転モードの制御信号を受信する。
【００７７】
また、制御装置６０は、通常運転制御部６１と、加湿運転制御部６２とを備えている。通常運転制御部６１は、リモコン８０ａ，８０ｂから送信される制御信号に基づいて、空気調和機１００において冷房運転や暖房運転等を含む通常運転が行われるように、空気調和機１００の各種機器の動作制御を行う。また、加湿運転制御部６２は、リモコン８０ａ，８０ｂから送信される制御信号に基づいて、空気調和機１００において加湿運転が行われるように、空気調和機１００の各種機器の動作制御を行う。
【００７８】
さらに、加湿運転制御部６２は、優先供給機決定部６５を備えている。優先供給機決定部６５は、ユーザによって第１リモコン８０ａの有する第１加湿空気供給スイッチ８１ａが押されることによって送信される第１部屋１ａ内に加湿空気を供給するという指示である第１加湿指示の制御信号、および、ユーザによって第２リモコン８０ｂの有する第２加湿空気供給スイッチ８１ｂが押されることによって送信される第２部屋１ｂ内に加湿空気を供給するという指示である第２加湿指示の制御信号が通信部６７において受信された順に応じて優先度を決定する。また、優先供給機決定部６５は、優先度に基づいて、優先して加湿空気が供給される室内機本体である優先供給機（第１供給機に相当）を１台決定する。また、優先供給機決定部６５は、優先供給機以外の室内機本体を非優先供給機（第２供給機に相当）に決定する。このため、第１室内機本体１８ａまたは第２室内機本体１８ｂのうちのいずれか一方が優先供給機に決定され、他方が非優先供給機に決定される。
【００７９】
例えば、通信部６７において第１加湿指示が受信された後に第２加湿指示が受信された場合、優先供給機決定部６５は、第１加湿指示を優先度「高」と決定し、第２加湿指示を優先度「低」と決定する。そして、優先供給機決定部６５は、優先度が「高」である第１室内機本体１８ａを優先供給機に決定し、優先度が「低」である第２室内機本体１８ｂを非優先供給機に決定する。
【００８０】
また、例えば、通信部６７において第２加湿指示が受信された後に第１加湿指示が受信された場合、優先供給機決定部６５は、第２加湿指示を優先度「高」と決定し、第１加湿指示を優先度「低」と決定する。そして、優先供給機決定部６５は、優先度が「高」である第２室内機本体１８ｂを優先供給機に決定し、優先度が「低」である第１室内機本体１８ａを非優先供給機に決定する。
【００８１】
さらに、加湿運転制御部６２は、切り換え制御部６６を備えている。切り換え制御部６６は、算出部６８を有している。算出部６８は、第１室内機２ａにおいて、ユーザによって予め設定されている設定湿度値から第１部屋１ａ内の湿度を測定するための第１湿度センサ７０ａの計測値である第１計測値を差し引いた値である第１加湿環境値を算出する。また、算出部６８は、第２室内機２ｂにおいて、ユーザによって予め設定されている設定湿度値から第２部屋１ｂ内の湿度を測定するための第２湿度センサ７０ｂの計測値である第２計測値を差し引いた値である第２加湿環境値を算出する。
【００８２】
また、切り換え制御部６６は、判定部６９を有している。判定部６９は、第１条件および第２条件が満たされているか否かを判定する。第１条件には、第１非優先供給機切り換え条件（第１切り換え条件に相当）、第２非優先機切り換え条件（第３切り換え条件に相当）、および、第３非優先機切り換え条件（第４切り換え条件に相当）が含まれる。また、第２条件には、第１優先供給機切り換え条件（第２切り換え条件に相当）、および、第２優先機切り換え条件（第５切り換え条件に相当）が含まれる。なお、第１条件および第２条件は、制御装置６０の備える記憶部６３に記憶されている。
【００８３】
第１非優先供給機切り換え条件とは、優先供給機が設置されている部屋（第１エリアに相当、以下、優先供給部屋という）における加湿環境値ΔＨａが第１判定値ＤＨｓ（第１所定値に相当）未満であるという条件である。
【００８４】
第２非優先供給機切り換え条件とは、非優先供給機が設置されている部屋（第２エリアに相当、以下、非優先供給部屋という）における加湿環境値ΔＨｂが第１判定値ＤＨｓから所定値ｄＤＨを差し引いた値である第２判定値（第３所定値に相当）以上であるという条件である。
【００８５】
第３非優先供給機切り換え条件とは、優先供給部屋への加湿空気の供給が開始されてから、すなわち、優先供給機によって優先供給部屋の加湿が開始されてから所定の第１時間（例えば、１０分）経過しているという条件である。
【００８６】
第１優先供給機切り換え条件とは、優先供給部屋における加湿環境値ΔＨａが、第２判定値（第２所定値に相当）以上であるという条件である。
【００８７】
第２優先供給機切り換え条件とは、非優先供給部屋への加湿空気の供給が開始されてから、すなわち、非優先供給機によって非優先供給部屋の加湿が開始されてから所定の第２時間（例えば、１分）経過しているという条件である。
【００８８】
また、判定部６９は、第１非優先供給機切り換え条件、第２非優先供給機切り換え条件および第３非優先供給機切り換え条件のうちのすべての条件が満たされた場合に、第１条件が満たされていると判定する。また、判定部６９が第１条件を判定するタイミングとしては、優先供給部屋への加湿空気の供給が開始されてから所定の第１時間が経過したときに１度目の判定が行われ、第３非優先供給機切り換え条件が満たされていると判定されてからは所定の第３時間（例えば、１分）毎に判定が行われる。
【００８９】
さらに、判定部６９は、第１優先供給機切り換え条件および第２優先供給機切り換え条件のいずれもが満たされていると判定された場合に、第２条件が満たされていると判定する。また、判定部６９が第２条件を判定するタイミングとしては、非優先供給部屋への加湿空気の供給が開始されてから所定の第２時間が経過したときに１度目の判定が行われ、第２優先供給機切り換え条件が満たされていると判定されてからは所定の第４時間（例えば、３０秒）毎に行われる。
【００９０】
なお、所定の第１時間と所定の第２時間とは、異なっていてもよく、同じでもよい。また、所定の第２時間を短時間にするほど、優先供給機に優先して加湿空気を供給することができる。さらに、所定の第３時間と所定の第４時間とは、異なっていてもよく、同じでもよい。また、所定の第４時間を短時間にすればするほど、優先供給機に優先して加湿空気を供給することができる。
【００９１】
さらに、切り換え制御部６６は、第１優先供給機切り換え制御（第１制御に相当）と、非優先供給機切り換え制御（第２制御に相当）と、第２優先供給機切り換え制御（第３制御に相当）とを行う。
【００９２】
第１優先供給機切り換え制御とは、ユーザからの第１加湿指示または第２加湿指示のうち通信部６７が先に受信した方の加湿指示が為された室内機、すなわち、優先供給機のみに加湿空気が供給されるように、空気流路切り換え部３０の状態を切り換える制御のことである。
【００９３】
非優先供給機切り換え制御とは、第１優先供給機切り換え制御が行われた後であって、判定部６９において第１条件が満たされていると判定された場合に、非優先供給機にのみ加湿空気が供給されるように、空気流路切り換え部３０を切り換える制御のことである。
【００９４】
第２優先供給機切り換え制御とは、非優先供給機切り換え制御が行われた後であって、判定部６９において第２条件が満たされていると判定された場合に、優先供給機にのみ加湿空気が供給されるように、空気流路切り換え部３０の状態を切り換える制御のことである。
【００９５】
また、表示制御部６４は、加湿空気が優先供給機に供給されているときは常に非優先供給機の他室加湿運転報知ＬＥＤ発光素子１３ａ，１３ｂが点灯するように、他室加湿運転報知ＬＥＤ発光素子１３ａ，１３ｂの動作を制御する。また、表示制御部６４は、加湿空気が非優先供給機供給されているときは、非優先供給機の他室加湿運転報知ＬＥＤ発光素子１３ａ，１３ｂが消灯するように、他室加湿運転報知ＬＥＤ発光素子１３ａ，１３ｂの動作を制御する。
【００９６】
＜加湿運転制御部による制御動作＞
次に、加湿運転制御部６２による制御動作について図８、図９および図１０を用いて説明する。なお、以下の説明では、加湿空気供給スイッチ８１ａ，８１ｂがユーザによって押されておらず、加湿ユニット４から第１室内機本体１８ａまたは第２室内機本体１８ｂに加湿空気が供給されていないものとする。
【００９７】
ユーザによって第１加湿空気供給スイッチ８１ａが押されると、第１室内機本体１８ａへの加湿空気の供給指示、すなわち、第１加湿指示の制御信号を通信部６７が受信する。通信部６７において第１加湿指示の制御信号が受信されると、加湿運転制御部６２によって第１室内機本体１８ａ、室外空調ユニット５および加湿ユニット４の各種機器が制御されるとともに、切り換え制御部６６によって空気流路切り換え部３０の状態が第１切り換え状態となるように空気流路切り換え部３０が制御される第１優先供給機切り換え制御が行われる。そして、第１室内機本体１８ａに加湿空気が供給される。
【００９８】
その後、ユーザによって第２加湿空気供給スイッチ８１ｂが押されると、第２室内機本体１８ｂへの加湿空気の供給指示、すなわち、第２加湿指示の制御信号を通信部６７が受信する。通信部６７において第２加湿指示の制御信号が受信されると、優先供給機決定部６５によって、第１室内機本体１８ａが優先供給機に決定され、第２室内機本体１８ｂが非優先供給機に決定される（ステップＳ１）。また、優先供給機決定部６５によって第２室内機本体１８ｂが非優先供給機に決定されると、表示制御部６４によって第２室内機本体１８ｂの有する第２他室加湿運転報知ＬＥＤ発光素子１３ｂが点灯するように、第２他室加湿運転報知ＬＥＤ発光素子１３ｂの動作を制御される。
【００９９】
さらに、優先供給機決定部６５によって優先供給機および非優先供給機が決定されると、切り換え制御部６６の有する判定部６９によって第１条件が満たされているか否かが判定される（ステップＳ２からステップＳ５）。判定部６９による第１条件が満たされているか否かの判定は、第１非優先供給機切り換え条件、第２非優先供給機切り換え条件、および、第３非優先供給機切り換え条件のうちのすべての条件が満たされるまで繰り返される。また、判定部６９によって第１条件が満たされていないと判定された場合、判定部６９によって第１条件が満たされていると判定されるまで、空気流路切り換え部３０において第１切り換え状態が維持される。なお、この場合、優先供給機が第１室内機本体１８ａであるため、第１部屋１ａにおける第１加湿環境値が優先供給部屋における加湿環境値ΔＨａに相当する。また、非優先供給機が第２室内機本体１８ｂであるため、第２部屋１ｂにおける第２加湿環境値が非優先供給部屋における加湿環境値ΔＨｂに相当する。
【０１００】
判定部６９によって第１条件が満たされていると判定された場合、切り換え制御部６６は、空気流路切り換え部３０の状態が第１切り換え状態から第２切り換え状態に切り換わるように空気流路切り換え部３０を制御する非優先供給機切り換え制御を行う（ステップＳ６）。また、非優先供給機切り換え制御が行われると、表示制御部６４によって第２室内機本体１８ｂの有する第２他室加湿運転報知ＬＥＤ発光素子１３ｂが消灯するように、第２他室加湿運転報知ＬＥＤ発光素子１３ｂの動作が制御される。
【０１０１】
さらに、非優先供給機切り換え制御が行われると、判定部６９によって、第２条件が満たされているか否かが判定される（ステップＳ７からステップＳ９）。判定部６９による第２条件が満たされているか否かの判定は、第１優先供給機切り換え条件、および、第２優先供給機切り換え条件が満たされるまで繰り返される。また、判定部６９によって第２条件が満たされていないと判定された場合、判定部６９によって第２条件が満たされていると判定されるまで、空気流路切り換え部３０において第２切り換え状態が維持される。
【０１０２】
判定部６９によって第２条件が満たされていると判定された場合、切り換え制御部６６は、空気流路切り換え部３０の状態が第２切り換え状態から第１切り換え状態に切り換わるように空気流路切り換え部３０を制御する第２優先供給機切り換え制御を行う（ステップＳ１０）。また、第２優先供給機切り換え制御が行われると、表示制御部６４によって第２室内機本体１８ｂの有する第２他室加湿運転報知ＬＥＤ発光素子１３ｂが点灯するように、第２他室加湿運転報知ＬＥＤ発光素子１３ｂの動作が制御される。
【０１０３】
さらに、第２優先供給機切り換え制御が行われると、加湿運転制御部６２は、ステップＳ２からステップＳ１０の制御を繰り返して行う。また、切り換え制御部６６による空気流路切り換え部３０の制御は、ユーザからリモコン８０ａ，８０ｂ等を介して加湿運転停止の制御指令が送信されるまで継続される。
【０１０４】
また、ユーザによって第２加湿空気供給スイッチ８１ｂが押されると、第２室内機本体１８ｂへの加湿空気の供給指示、すなわち、第２加湿指示の制御信号を通信部６７が受信する。通信部６７において第２加湿指示の制御信号が受信されると、加湿運転制御部６２によって第２室内機本体１８ｂ、室外空調ユニット５および加湿ユニット４の各種機器が制御されるとともに、切り換え制御部６６によって空気流路切り換え部３０の状態が第２切り換え状態となるように空気流路切り換え部３０が制御される第１優先供給機切り換え制御が行われる。そして、第２室内機本体１８ｂに加湿空気が供給される。
【０１０５】
その後、ユーザによって第１加湿空気供給スイッチ８１ａが押されると、第１室内機本体１８ａへの加湿空気の供給指示、すなわち、第１加湿指示の制御信号を通信部６７が受信する。通信部６７において第１加湿指示の制御信号が受信されると、優先供給機決定部６５によって、第２室内機本体１８ｂが優先供給機に決定され、第１室内機本体１８ａが非優先供給機に決定される（ステップＳ１）。また、優先供給機決定部６５によって第１室内機本体１８ａが非優先供給機に決定されると、表示制御部６４によって第１室内機本体１８ａの有する第１他室加湿運転報知ＬＥＤ発光素子１３Ａが点灯するように、第１他室加湿運転報知ＬＥＤ発光素子１３ａの動作を制御される。
【０１０６】
さらに、優先供給機決定部６５によって優先供給機および非優先供給機が決定されると、切り換え制御部６６の有する判定部６９によって第１条件が満たされているか否かが判定される（ステップＳ２からステップＳ５）。判定部６９による第１条件が満たされているか否かの判定は、第１非優先供給機切り換え条件、第２非優先供給機切り換え条件、および、第３非優先供給機切り換え条件のうちのすべての条件が満たされるまで繰り返される。また、判定部６９によって第１条件が満たされていないと判定された場合、判定部６９によって第１条件が満たされていると判定されるまで、空気流路切り換え部３０において第２切り換え状態が維持される。なお、この場合、優先供給機が第２室内機本体１８ｂであるため、第２部屋１ｂにおける第２加湿環境値が優先供給部屋における加湿環境値ΔＨａに相当する。また、非優先供給機が第１室内機本体１８ａであるため、第１部屋１ａにおける第１加湿環境値が非優先供給部屋における加湿環境値ΔＨｂに相当する。
【０１０７】
判定部６９によって第１条件が満たされていると判定された場合、切り換え制御部６６は、空気流路切り換え部３０の状態が第２切り換え状態から第１切り換え状態に切り換わるように空気流路切り換え部３０を制御する非優先供給機切り換え制御を行う（ステップＳ６）。また、非優先供給機切り換え制御が行われると、表示制御部６４によって第１室内機本体１８ａの有する第１他室加湿運転報知ＬＥＤ発光素子１３ａが消灯するように、第１他室加湿運転報知ＬＥＤ発光素子１３ａの動作が制御される。
【０１０８】
さらに、非優先供給機切り換え制御が行われると、判定部６９によって、第２条件が満たされているか否かが判定される（ステップＳ７からステップＳ９）。判定部６９による第２条件が満たされているか否かの判定は、第１優先供給機切り換え条件、および、第２優先供給機切り換え条件が満たされるまで繰り返される。また、判定部６９によって第２条件が満たされていないと判定された場合、判定部６９によって第２条件が満たされていると判定されるまで、空気流路切り換え部３０において第１切り換え状態が維持される。
【０１０９】
判定部６９によって第２条件が満たされていると判定された場合、切り換え制御部６６は、空気流路切り換え部３０の状態が第１切り換え状態から第２切り換え状態に切り換わるように空気流路切り換え部３０を制御する第２優先供給機切り換え制御を行う（ステップＳ１０）。また、第２優先供給機切り換え制御が行われると、表示制御部６４によって第１室内機本体１８ａの有する第１他室加湿運転報知ＬＥＤ発光素子１３ａが点灯するように、第１他室加湿運転報知ＬＥＤ発光素子１３ａの動作が制御される。
【０１１０】
さらに、第２優先供給機切り換え制御が行われると、加湿運転制御部６２は、ステップＳ２からステップＳ１０の制御を繰り返して行う。また、切り換え制御部６６による空気流路切り換え部３０の制御は、ユーザからリモコン８０ａ，８０ｂ等を介して加湿運転停止の制御指令が送信されるまで継続される。
【０１１１】
＜特徴＞
（１）
従来より、複数の部屋を１台の換気装置を用いて換気することができる多室換気装置や多室換気システムがある。例えば、特開平１１−３１１４３５号公報に開示されている多室換気装置では、送風機を有する本体（換気装置に相当）と、本体に接続されているチャンバーとを備えている。チャンバーには、部屋内の空気を吸引するための吸込口が、換気を行う部屋の数に相当する数だけ設けられている。また、チャンバーは、複数の吸込口を独立して開閉可能なダンパを有している。この多室換気装置では、それぞれのダンパを独立して稼働させることで、それぞれの部屋内の換気を独立して行うことができる。このようにして、この多室換気装置では、１台の本体を用いて、複数の部屋の換気を行っている。また、特開平５−２２３２９８号公報に開示されている多室換気システムでは、１台の換気装置と、換気装置に接続されている主ダクトと、主ダクトから複数の部屋内に分岐して配置されている複数の分岐ダクトとを備えている。この各分岐ダクトは、各部屋内から空気を取り込むための空気取込口を開閉するダンパをそれぞれ有している。この多室換気システムでは、各ダンパの稼働台数に基づいて必要な換気風量が決定されており、この決定された換気風量に応じて換気装置を稼働させている。このようにして、この多室換気システムでは、１台の換気装置を用いて、複数の部屋の換気を行っている。
【０１１２】
ところで、室内機に加湿空気を供給する加湿機能を有する加湿装置に複数の室内機が接続されている空気調和機の場合、上述のような多室換気装置や多室換気システムを利用して、複数の部屋内に加湿空気を供給することが考えられる。
【０１１３】
しかしながら、１つの部屋を加湿するために必要な加湿能力を有しているが複数の部屋を加湿するために必要な加湿能力を有していないような加湿装置に、上述のような多室換気装置や多室換気システムを対応させた場合、複数の部屋に居るユーザから同時に加湿空気の供給が要求されると、加湿空気を各部屋に分散して供給することになる。このため、加湿空気が各部屋に十分に供給されないために、ユーザに対して不快感を与えるおそれがある。
【０１１４】
そこで、上記実施形態では、切り換え制御部６６によって、第１優先供給機切り換え制御、非優先供給機切り換え制御、および、第２優先供給機切り換え制御が行われる。また、第１優先供給機切り換え制御、非優先供給機切り換え制御、および、第２優先供給機切り換え制御が行われることによって、加湿ユニット４から優先供給機または非優先供給機、すなわち、第１室内機本体１８ａまたは第２室内機本体１８ｂのいずれか一方の室内機本体に加湿空気が供給されるように、空気流路切り換え部３０の状態が切り換えられる。このため、１つの部屋内を加湿するために必要な加湿能力を有しているが複数の部屋内を加湿するために必要な加湿能力を有していないような小型の加湿ユニット４に対応させた場合でも、各室内機本体１８ａ，１８ｂに十分な加湿空気を供給することができる。したがって、各部屋１ａ，１ｂを加湿することができる。
【０１１５】
これによって、ユーザに対して不快感を与えるおそれを減らすことができている。
【０１１６】
また、上記実施形態では、切り換え制御部６６によって、第１優先供給機切り換え制御と、非優先供給機切り換え制御と、第２優先供給機切り換え制御とが行われている。このため、先に加湿空気の加湿指示が為された室内機に対して優先的に加湿空気が供給される。したがって、優先供給機に対して優先的に加湿空気が供給されることで、ユーザに対して不快感を与えるおそれを減らすことができるため、ユーザに受け入れられやすい空気調和機を提供することができる。
【０１１７】
さらに、上記実施形態では、１つの部屋内を加湿するために必要な加湿能力を有しているが、複数の部屋内を加湿するために必要な加湿能力を有していないような小型の加湿ユニット４が適用されているため、加湿ユニット４のサイズの増加を抑えることができている。このため、室外機３のサイズの増加を抑えることができている。
【０１１８】
（２）
上記実施形態では、第１条件として優先供給部屋における加湿環境値に基づいて判断される第１非優先供給機切り換え条件が含まれており、第２条件として優先供給部屋における加湿環境値に基づいて判断される第１優先供給機切り換え条件が含まれている。このため、優先供給部屋内の加湿環境値に基づいて、空気流路切り換え部３０の状態が切り換えられる。したがって、優先供給部屋の加湿が不十分となるおそれを減らすことができる。
【０１１９】
これによって、ユーザに不快感を与えるおそれを減らすことができている。
【０１２０】
（３）
上記実施形態では、第１条件として第１非優先供給機切り換え条件の他に、非優先供給部屋における加湿環境値に基づいて判断される第２非優先供給機切り換え条件、および、優先供給部屋への加湿空気の供給時間に基づいて判断される第３非優先供給機切り換え条件が含まれている。このため、優先供給部屋内および非優先供給部屋内の加湿環境値および優先供給部屋における加湿時間に基づいて、空気流路切り換え部３０の状態が切り換えられる。
【０１２１】
これによって、優先供給部屋および非優先供給部屋に対して、十分に加湿空気を供給することができる。
【０１２２】
（４）
上記実施形態では、第２条件として、第１優先供給機切り換え条件の他に、非優先供給部屋への加湿空気の供給時間に基づいて判断される第２優先供給機切り換え条件が含まれている。このため、第２条件として第１優先供給機切り換え条件のみが含まれている場合と比較して、非優先供給部屋に対して加湿空気を供給することができている。
【０１２３】
（５）
上記実施形態では、表示制御部６４が、加湿空気が優先供給機に供給されているときは常に非優先供給機の他室加湿運転報知ＬＥＤ発光素子が点灯するように、他室加湿運転報知ＬＥＤ発光素子の動作を制御する。このため、非優先供給部屋内への加湿空気の供給指示をしたユーザに対して、優先供給部屋内に加湿空気が供給されていることを認識させやすくすることができる。したがって、優先供給部屋内に加湿空気が供給されているために非優先供給機内に加湿空気が供給されない場合でも、加湿指示をしたユーザに対して不快感を与えるおそれを少なくすることができている。
【０１２４】
（６）
上記実施形態では、優先供給機決定部６５は、第１加湿指示の制御信号、および、第２加湿指示の制御信号が通信部６７において受信された順に応じて優先度を決定する。さらに、優先供給機決定部６５は、優先度に基づいて、優先して加湿空気が供給される室内機である優先供給機を１台決定する。このため、この空気調和機１００では、第１室内機本体１８ａまたは第２室内機本体１８ｂのうちのいずれか一方を優先供給機に決定することができ、かつ、他方を非優先供給機に決定することができる。
【０１２５】
＜変形例＞
（Ａ）
上記実施形態では、優先供給機に加湿空気が供給されている時には、常に非優先供給機の他室加湿運転報知が点灯するように、表示制御部６４がＬＥＤ発光素子の動作を制御している。このようにして、この空気調和機１００では、優先供給機に加湿空気が供給されている間は、優先供給機に加湿空気を供給中であることを非優先供給機の表示部１７ａ，１７ｂから報知している。
【０１２６】
これに代えて、優先供給機に加湿空気を供給中であることが、非優先供給機の備えるリモコンや室内機本体等の有する液晶表示部によって、報知されてもよい。
【０１２７】
例えば、制御装置の通信部から送信された情報の内容やメッセージ等を表示することができる液晶表示部を有するリモコンを備える空気調和機について説明する。なお、液晶表示部に表示されるメッセージ等の表示は、制御装置の有する表示制御部によって制御される。
【０１２８】
表示制御部は、優先供給機に加湿空気が供給されている場合には、非優先供給機の液晶表示部に「他室加湿運転中」というメッセージが表示されるように、非優先供給機の液晶表示部の表示動作を制御する。また、表示制御部は、非優先供給機に加湿空気が供給されている場合には、非優先供給機の液晶表示部に「他室加湿運転中」というメッセージが表示されないように、非優先供給機の液晶表示部の表示動作を制御する。
【０１２９】
このように、優先供給機に加湿空気を供給中であることをリモコンの液晶表示部にメッセージとして表示することによって、室内機本体の表示部において報知される場合と比較して、ユーザに認識させやすくすることができる。
【０１３０】
（Ｂ）
上記実施形では、１台の室外機３と、２台の室内機２ａ，２ｂとが冷媒配管によって並列に接続されている。
【０１３１】
これに代えて、１台の室外機に、冷媒配管によって複数台の室内機が並列に接続されていてもよい。
【０１３２】
例えば、１台の室外機１０３と、３台の室内機１０２ａ，１０２ｂ，１０２ｃとが冷媒配管によって並列に接続されている空気調和機２００を例として説明する。なお、この空気調和機２００において、室内機１０２ａ，１０２ｂ，１０２ｃ、加湿ユニット本体（図示せず）および室外空調ユニット１０５の構成は、上記実施形態と同様の構成であるため、説明を省略する。
【０１３３】
この空気調和機２００は、図１１に示すように、それぞれの室内機本体１１８ａ，１１８ｂ，１１８ｃと加湿ユニット１０４との間に、それぞれの室内機本体１１８ａ，１１８ｂ，１１８ｃの内部空間と加湿ユニット１０４の内部空間とを連通させることが可能な吸排気ホース１０６ａ，１０６ｂ，１０６ｃが設けられている。また、吸排気ホース１０６ａ，１０６ｂ，１０６ｃは、空気流路切り換え部１３０を介して吸排気ダクト１５８に接続されている。
【０１３４】
また、空気流路切り換え部３０は、図１１に示すように、吸排気ダクト１５８および吸排気ホース１０６ａ，１０６ｂ，１０６ｃに接続される回転式の空気流路切り換え手段である。また、空気流路切り換え部１３０は、加湿ユニットケーシングの内側に配置されている。
【０１３５】
空気流路切り換え部１３０は、図１２に示すように、切り換え部ケーシング１３１と、ダンパ１３２とを有している。切り換え部ケーング１３１は、第１切り換え部ケーシング１３３と第２切り換え部ケーシング１３４とから構成されている。第１切り換え部ケーシング１３３は、図１２（ｂ）に示すように、略円筒形状を有しており、上側および下側が開口している。なお、本実施形態における「上下」は、図１２（ｂ）における上下を意味している。また、第２切り換え部ケーシング１３４は、略円形状の部材であり、その面積は第１切り換え部ケーシング１３３の下側の開口の面積と略同一である。また、第２切り換え部ケーシング１３４には、第１開口１３５ａと第２開口１３５ｂと第３開口１３５ｃとが設けられている。なお、第１開口１３５ａの面積と第２開口１３５ｂの面積と第３開口１３５ｃとはそれぞれ同一である。また、第１開口１３５ａ、第２開口１３５ｂおよび第３開口１３５ｃの面積は、第１切り換え部ケーシング１３３の上側の開口の面積よりも小さい。さらに、第１開口１３５ａの周辺部から下方に第１接続部が延びており、第２開口１３５ｂの周辺部から下方に第２接続部が延びており、第３開口１３５ｃの周辺部から下方に第３接続部が延びている。また、切り換え部ケーシング１３１は、上側の開口を介して吸排気ダクト１５８と接続されており、下側の第１開口１３５ａを介して第１吸排気ホース１０６ａと接続されており、第２開口１３５ｂを介して第２吸排気ホース１０６ｂと接続されおり、第３開口１３５ｃを介して第３吸排気ホース１０６ｃと接続されている。
【０１３６】
ダンパ１３２は、板状部材であり、第２切り換え部ケーシング１３４に回転可能に取り付けられている。なお、ダンパ１３２は、第２駆動モータ（図示せず）が駆動することによって回転する。また、空気流路切り換え部３０は、ダンパ３２が回転することによって、第１切り換え状態、第２切り換え状態および第３切り換え状態に切り換わることが可能である。以下、第１切り換え状態、第２切り換え状態および第３切り換え状態について説明する。
【０１３７】
第１切り換え状態とは、第２切り換え部ケーシング１３４に設けられている第２開口１３５ｂおよび第３開口１３５ｃを覆うように、ダンパ１３２が配置されている状態である。また、第１開口１３５ａは、開放された状態となる。このため、切り換え部ケーシング１３１は、上側で吸排気ダクト１５８と接続されており、下側で第１開口１３５ａが開放されることで第１吸排気ホース１０６ａと接続されている状態となる。したがって、吸排気ダクト１５８と、第１吸排気ホース１０６ａとが連通している状態になる。
【０１３８】
これによって、吸排気切り換えダンパが給気状態であり、かつ、空気流路切り換え部１３０が第１切り換え状態である場合には、吸排気ダクト１５８を通ってきた空気が、切り換え部ケーシング１３１内部を介して、第１開口１３５ａから第１吸排気ホース１０６ａに流れる。また、吸排気切り換えダンパが排気状態であり、かつ、空気流路切り換え部１３０が第１切り換え状態である場合には、第１室内機本体１１８ａに吸い込まれた第１部屋１０１ａ内の空気が、第１吸排気ホース１０６ａを通り、切り換え部ケーシング１３１内部を通って、吸排気ダクト１５８を介して吸排気口１０７ｃから室外に排出される。
【０１３９】
第２切り換え状態とは、図１２（ａ）に示すように、第２切り換え部ケーシング１３４に設けられている第１開口１３５ａおよび第３開口１３５ｃを覆うように、ダンパ１３２が配置されている状態である。また、第２開口１３５ｂは、開放された状態となる。このため、切り換え部ケーシング１３１は、上側で吸排気ダクト１５８と接続されており、下側で第２開口１３５ｂが開放されることで第２吸排気ホース１０６ｂと接続されている状態となる。したがって、吸排気ダクト１５８と、第２吸排気ホース１０６ｂとが連通している状態になる。
【０１４０】
これによって、吸排気切り換えダンパが給気状態であり、かつ、空気流路切り換え部１３０が第２切り換え状態である場合には、図１２（ｂ）の矢印で示すように、吸排気ダクト１５８を通ってきた空気が、切り換え部ケーシング１３１内部を介して、第２開口１３５ｂから第２吸排気ホース１０６ｂに流れる。また、吸排気切り換えダンパが排気状態であり、かつ、空気流路切り換え部１３０が第２切り換え状態である場合には、第２室内機本体１１８ｂに吸い込まれた第２部屋１０１ｂ内の空気が、第２吸排気ホース１０６ｂを通り、切り換え部ケーシング１３１内部を通って、吸排気ダクト１５８を介して吸排気口１０７ｃから室外に排出される。
【０１４１】
第３切り換え状態とは、第２切り換え部ケーシング１３４に設けられている第１開口１３５ａおよび第２開口１３５ｂを覆うように、ダンパ１３２が配置されている状態である。また、第３開口１３５ｃは、開放された状態となる。このため、切り換え部ケーシング１３１は、上側で吸排気ダクト１５８と接続されており、下側で第３開口１３５ｃが開放されることで第３吸排気ホース１０６ｃと接続されている状態となる。したがって、吸排気ダクト１５８と、第３吸排気ホース１０６ｃとが連通している状態になる。
【０１４２】
これによって、吸排気切り換えダンパが給気状態であり、かつ、空気流路切り換え部１３０が第３切り換え状態である場合には、吸排気ダクト１５８を通ってきた空気が、切り換え部ケーシング１３１内部を介して、第３開口１３５ｃから第３吸排気ホース１０６ｃに流れる。また、吸排気切り換えダンパが排気状態であり、かつ、空気流路切り換え部１３０が第３切り換え状態である場合には、第３室内機本体１１８ｃに吸い込まれた第３部屋１０１ｃ内の空気が、第３吸排気ホース１０６ｃを通り、切り換え部ケーシング１３１内部を通って、吸排気ダクト１５８を介して吸排気口１０７ｃから室外に排出される。
【０１４３】
また、第２駆動モータの駆動は、切り換え制御部によって制御されている。以下に、切り換え制御部を備える制御装置について説明する。
【０１４４】
＜制御装置＞
制御装置は、室内ファン、室内熱交換器、他室加湿運転報知ＬＥＤ発光素子、圧縮機、四路切換弁、室外ファン、室外熱交換器、室外膨張弁、加湿ロータ、第１駆動モータ、吸着用送風装置、加熱装置および第２駆動モータ等の各種機器と接続されている。また、制御装置は、通信部を備えている。通信部は、リモコン１８０ａ，１８０ｂ，１８０ｃから送信される冷房運転や暖房運転等の通常運転や加湿運転等の各種運転モードの制御信号を受信する。
【０１４５】
また、制御装置は、通常運転制御部と、加湿運転制御部とを備えている。通常運転制御部は、リモコン１８０ａ，１８０ｂ，１８０ｃから送信される制御信号に基づいて、空気調和機２００において冷房運転や暖房運転等を含む通常運転が行われるように、空気調和機２００の各種機器の動作制御を行う。また、加湿運転制御部は、リモコン１８０ａ，１８０ｂ，１８０ｃから送信される制御信号に基づいて、空気調和機２００において加湿運転が行われるように、空気調和機２００の各種機器の動作制御を行う。
【０１４６】
さらに、加湿運転制御部は、優先供給機決定部を備えている。優先供給機決定部は、ユーザによって第１リモコン１８０ａの有する第１加湿空気供給スイッチが押されることによって送信される第１部屋１０１ａ内に加湿空気を供給するという指示である第１加湿指示の制御信号、ユーザによって第２リモコン１８０ｂの有する第２加湿空気供給スイッチが押されることによって送信される第２部屋１０１ｂ内に加湿空気を供給するという指示である第２加湿指示の制御信号、および、ユーザによって第３リモコン１８０ｃの有する第３加湿空気供給スイッチが押されることによって送信される第３部屋１０１ｃ内に加湿空気を供給するという指示である第３加湿指示の制御信号が通信部において受信された順に応じて優先度を決定する。
【０１４７】
また、優先供給機決定部は、優先度に基づいて、最も優先して加湿空気が供給される室内機本体である最優先供給機（第１供給機に相当）を１台決定する。また、優先供給機決定部は、優先度に基づいて、最優先供給機以外の室内機本体から、優先供給機（第２供給機に相当）と非優先供給機とを決定する。このため、第１室内機本体１１８ａ、第２室内機本体１１８ｂおよび第３室内機本体１１８ｃのうちのいずれか１台が最優先供給機に決定され、最優先供給機以外の室内機本体が優先供給機に決定され、最優先供給機および優先供給機以外の室内機本体が非優先供給機に決定される。
【０１４８】
例えば、通信部において第１加湿指示、第２加湿指示、第３加湿指示の順に受信された場合、優先供給機決定部は、第１加湿指示を優先度「高」と決定し、第２加湿指示を優先度「中」と決定し、第３加湿指示を優先度「低」と決定する。そして、優先供給機決定部は、決定した優先度に基づいて、優先度が「高」である第１室内機本体１１８ａを最優先供給機に決定し、優先度が「中」である第２室内機本体１１８ｂを優先供給機に決定し、優先度が「低」である第３室内機本体１１８ｃを非優先供給機に決定する。
【０１４９】
また、例えば、通信部において第１加湿指示、第３加湿指示、第２加湿指示の順に受信された場合、優先供給機決定部は、第１加湿指示を優先度「高」と決定し、第３加湿指示を優先度「中」と決定し、第２加湿指示を優先度「低」と決定する。そして、優先供給機決定部は、決定した優先度に基づいて、優先度が「高」である第１室内機本体１１８ａを最優先供給機に決定し、優先度が「中」である第３室内機本体１１８ｃを優先供給機に決定し、優先度が「低」である第２室内機本体１１８ｂを非優先供給機に決定する。
【０１５０】
また、例えば、通信部において、第２加湿指示、第１加湿指示、第３加湿指示の順に受信された場合、優先供給機決定部は、第２加湿指示を優先度「高」と決定し、第１加湿指示を優先度「中」と決定し、第３加湿指示を優先度「低」と決定する。そして、優先供給機決定部は、決定した優先度に基づいて、優先度が「高」である第２室内機本体１１８ｂを最優先供給機に決定し、優先度が「中」である第１室内機本体１１８ａを優先供給機に決定し、優先度が「低」である第３室内機本体１１８ｃを非優先供給機に決定する。
【０１５１】
また、例えば、通信部において、第２加湿指示、第３加湿指示、第１加湿指示の順に受信された場合、優先供給機決定部は、第２加湿指示を優先度「高」と決定し、第３加湿指示を優先度「中」と決定し、第１加湿指示を優先度「低」と決定する。そして、優先供給機決定部は、決定した優先度に基づいて、優先度が「高」である第２室内機本体１１８ｂを最優先供給機に決定し、優先度が「中」である第３室内機本体１１８ｃを優先供給機に決定し、優先度が「低」である第１室内機本体１１８ａを非優先供給機に決定する。
【０１５２】
また、例えば、通信部において、第３加湿指示、第１加湿指示、第２加湿指示の順に受信された場合、優先供給機決定部は、第３加湿指示を優先度「高」と決定し、第１加湿指示を優先度「中」と決定し、第２加湿指示を優先度「低」と決定する。そして、優先供給機決定部は、決定した優先度に基づいて、優先度が「高」である第３室内機本体１１８ｃを最優先供給機に決定し、優先度が「中」である第１室内機本体１１８ａを優先供給機に決定し、優先度が「低」である第２室内機本体１１８ｂを非優先供給機に決定する。
【０１５３】
また、例えば、通信部において、第３加湿指示、第２加湿指示、第１加湿指示の順に受信された場合、優先供給機決定部は、第３加湿指示を優先度「高」と決定し、第２加湿指示を優先度「中」と決定し、第１加湿指示を優先度「低」と決定する。そして、優先供給機決定部は、決定した優先度に基づいて、優先度が「高」である第３室内機本体１１８ｃを最優先供給機に決定し、優先度が「中」である第２室内機本体１１８ｂを優先供給機に決定し、優先度が「低」である第１室内機本体１１８ａを非優先供給機に決定する。
【０１５４】
さらに、加湿運転制御部は、切り換え制御部を備えている。切り換え制御部は、算出部を有している。算出部は、第１室内機１０２ａにおいて、ユーザによって予め設定されている設定湿度値から第１部屋１０１ａ内の湿度を測定するための第１湿度センサの計測値である第１計測値を差し引いた値である第１加湿環境値を算出する。また、算出部は、第２室内機１０２ｂにおいて、ユーザによって予め設定されている設定湿度値から第２部屋１０１ｂ内の湿度を測定するための第２湿度センサの計測値である第２計測値を差し引いた値である第２加湿環境値を算出する。さらに、算出部は、第３室内機１０２ｃにおいて、ユーザによって予め設定されている設定湿度値から第３部屋１０１ｃ内の湿度を測定するための第３湿度センサの計測値である第３計測値を差し引いた値である第３加湿環境値を算出する。
【０１５５】
また、切り換え制御部は、判定部を有している。判定部は、第１条件、第２条件、第３条件、第４条件および第５条件が満たされているか否かを判定する。第１条件には、第１優先供給機切り換え条件（第１切り換え条件に相当）、第２優先機切り換え条件（第３切り換え条件に相当）、および、第３優先機切り換え条件（第４切り換え条件に相当）が含まれる。また、第２条件には、第１最優先供給機切り換え条件（第２切り換え条件に相当）が含まれる。第３条件には、第１非優先供給機切り換え条件、第２非優先機切り換え条件（第５切り換え条件に相当）、および、第３非優先機切り換え条件が含まれる。第４条件には、第２最優先供給機切り換え条件が含まれる。第５条件には、第４優先供給機切り換え条件が含まれる。なお、第１条件、第２条件、第３条件、第４条件および第５条件は、制御装置の備える記憶部に記憶されている。
【０１５６】
第１条件に含まれる第１優先供給機切り換え条件とは、最優先供給機が設置されている部屋（第１エリアに相当、以下、最優先供給部屋という）における加湿環境値ΔＨａが第１判定値ＤＨｓ（第１所定値に相当）未満であるという条件である。
【０１５７】
また、第１条件に含まれる第２優先供給機切り換え条件とは、優先供給機が設置されている部屋（第２エリアに相当、以下、優先供給部屋という）における加湿環境値ΔＨｂが第１判定値ＤＨｓから所定値ｄＤＨを差し引いた値である第２判定値（第３所定値に相当）以上であるという条件である。
【０１５８】
さらに、第１条件に含まれる第３優先供給機切り換え条件とは、最優先供給部屋への加湿空気の供給が開始されてから、すなわち、最優先供給機によって最優先供給部屋の加湿が開始されてから所定の第５時間（例えば、１０分）経過しているという条件である。
【０１５９】
判定部は、第１優先供給機切り換え条件、第２優先供給機切り換え条件および第３優先供給機切り換え条件のうちのすべての条件が満たされた場合に、第１条件が満たされていると判定する。また、判定部が第１条件を判定するタイミングとしては、最優先供給部屋への加湿空気の供給が開始されてから所定の第５時間が経過したときに１度目の判定が行われ、第３優先供給機切り換え条件が満たされていると判定されてからは所定の第６時間（例えば、１分）毎に判定が行われる。
【０１６０】
また、第２条件に含まれる第１最優先供給機切り換え条件とは、最優先供給部屋における加湿環境値ΔＨａが、第２判定値（第２所定値に相当）以上であるという条件である。
【０１６１】
判定部は、第１最優先供給機切り換え条件が満たされていると判定された場合に、第２条件が満たされていると判定する。また、判定部は、所定の第７時間（例えば、３０秒）毎に第２条件を判定する。
【０１６２】
第３条件に含まれる第１非優先供給機切り換え条件とは、優先供給部屋における加湿環境値ΔＨｂが第１判定値ＤＨｓ未満であるという条件である。
【０１６３】
また、第３条件に含まれる第２非先供給機切り換え条件とは、優先供給部屋への加湿空気の供給が開始されてから、すなわち、優先供給機によって優先供給部屋の加湿が開始されてから所定の第８時間（例えば、５分）経過しているという条件である。
【０１６４】
さらに、第３条件に含まれる第３非先供給機切り換え条件とは、非優先供給機が設置されている部屋（以下、非優先供給部屋という）における加湿環境値ΔＨｃが第２判定値以上であるという条件である。
【０１６５】
判定部は、第１非優先供給機切り換え条件、第２非優先供給機切り換え条件および第３非優先供給機切り換え条件のうちのすべての条件が満たされた場合に、第３条件が満たされていると判定する。また、判定部が第３条件を判定するタイミングとしては、優先供給部屋への加湿空気の供給が開始されてから所定の第８時間が経過したときに１度目の判定が行われ、第２非優先供給機切り換え条件が満たされていると判定されてからは所定の第９時間（例えば、１分）毎に判定が行われる。
【０１６６】
第４条件に含まれる第２最優先供給機切り換え条件とは、最優先供給部屋における加湿環境値ΔＨａが、第２判定値以上であるという条件である。
【０１６７】
判定部は、第２最優先供給機切り換え条件が満たされていると判定された場合に、第４条件が満たされていると判定する。また、判定部は、非優先供給部屋に加湿空気が供給されている場合に、所定の第１０時間（例えば、３０秒）毎に第４条件を判定する。
【０１６８】
第５条件に含まれる第４優先供給機切り換え条件とは、優先供給部屋における加湿環境値ΔＨｂが、第２判定値以上であるという条件である。
【０１６９】
判定部は、第４優先供給機切り換え条件が満たされていると判定された場合に、第５条件が満たされていると判定する。また、判定部は、非優先供給部屋に加湿空気が供給されている場合に、所定の第１１時間（例えば、３０秒）毎に第５条件を判定する。
【０１７０】
さらに、切り換え制御部は、第１最優先供給機切り換え制御（第１制御に相当）と、第１優先供給機切り換え制御（第２制御に相当）と、非優先供給機切り換え制御（第３制御に相当）と、第２最優先供給機切り換え制御（第３制御に相当）と、第３最優先供給機切り換え制御と、第２優先供給機切り換え制御とを行う。
【０１７１】
第１最優先供給機切り換え制御とは、ユーザからの第１加湿指示、第２加湿指示、または第３加湿指示のうち通信部が最初に受信した加湿指示が為された室内機、すなわち、最優先供給機のみに加湿空気が供給されるように、空気流路切り換え部１３０の状態を切り換える制御のことである。
【０１７２】
第１優先供給機切り換え制御とは、第１最優先供給機切り換え制御が行われた後であって、判定部において第１条件が満たされていると判定された場合に、優先供給機にのみ加湿空気が供給されるように、空気流路切り換え部１３０の状態を切り換える制御のことである。
【０１７３】
非優先供給機切り換え制御とは、第１優先供給機切り換え制御が行われた後であって、判定部において、第２条件が満たされておらず、かつ、第３条件が満たされていると判定された場合に、非優先供給機にのみ加湿空気が供給されるように、空気流路切り換え部１３０の状態を切り換える制御のことである。
【０１７４】
第２最優先供給機切り換え制御とは、第１優先供給機切り換え制御が行われた後であって、判定部において、第２条件が満たされていると判定された場合に、最優先供給機にのみ加湿空気が供給されるように、空気流路切り換え部１３０の状態を切り換える制御のことである。
【０１７５】
第３最優先供給機切り換え制御とは、非優先供給機切り換え制御が行われた後であって、判定部において第４条件が満たされていると判定された場合に、最優先供給機にのみ加湿空気が供給されるように、空気流路切り換え部１３０の状態を切り換える制御のことである。
【０１７６】
第２優先供給機切り換え制御とは、非優先供給機切り換え制御が行われた後であって、判定部において第５条件が満たされていると判定された場合に、優先供給機にのみ加湿空気が供給されるように、空気流路切り換え部１３０の状態を切り換える制御のことである。
【０１７７】
また、表示制御部は、加湿空気が最優先供給機に供給されているときは常に優先供給機の他室加湿運転報知ＬＥＤ発光素子が点灯するように、優先供給機の他室加湿運転報知ＬＥＤ発光素子の動作を制御する。また、表示制御部は、加湿空気が優先供給機供給されているときは、優先供給機の他室加湿運転報知ＬＥＤ発光素子が消灯するように、優先供給機の他室加湿運転報知ＬＥＤ発光素子の動作を制御する。
【０１７８】
さらに、表示制御部は、加湿空気が最優先供給機または優先供給機に供給されているときは常に非優先供給機の他室加湿運転報知ＬＥＤ発光素子が点灯するように、非優先供給機の他室加湿運転報知ＬＥＤ発光素子の動作を制御する。また、表示制御部は、加湿空気が非優先供給機供給されているときは、非優先供給機の他室加湿運転報知ＬＥＤ発光素子が消灯するように、非優先供給機の他室加湿運転報知ＬＥＤ発光素子の動作を制御する。
【０１７９】
＜加湿運転制御部による制御動作＞
次に、加湿運転制御部による制御動作の一例について、図１３、図１４、図１５、図１６、図１７、図１８を用いて説明する。なお、以下の説明では、加湿空気供給スイッチがユーザによって押されておらず、第１室内機本体１１８ａ、第２室内機本体１１８ｂ、および第３室内機本体１１８ｃに加湿空気が供給されていないものとする。
【０１８０】
ユーザによって第１加湿空気供給スイッチが押されると、第１室内機本体１１８ａへの加湿空気の供給指示、すなわち、第１加湿指示を通信部が受信する。通信部において第１加湿指示が受信されると、加湿運転制御部によって第１室内機本体１１８ａ、室外空調ユニット１０５および加湿ユニット１０４の各種機器が制御されるとともに、切り換え制御部によって空気流路切り換え部１３０の状態が第１切り換え状態となるように空気流路切り換え部１３０が制御される第１最優先供給機切り換え制御が行われる。そして、第１室内機本体１１８ａに加湿空気が供給される。
【０１８１】
その後、ユーザによって第２加湿空気供給スイッチが押されると、第２室内機本体１１８ｂへの加湿空気の供給指示、すなわち、第２加湿指示を通信部が受信する。通信部において第２室内機本体１１８ｂへの加湿空気の加湿指示が受信されると、優先供給機決定部によって、第１室内機本体１１８ａが最優先供給機に決定され、第２室内機本体１１８ｂが優先供給機に決定される。また、優先供給機決定部によって第２室内機本体１１８ｂが優先供給機に決定されると、表示制御部によって第２室内機本体１１８ｂの有する他室加湿運転報知ＬＥＤ発光素子が点灯するように、他室加湿運転報知ＬＥＤ発光素子の動作を制御される。
【０１８２】
さらに、優先供給機決定部によって最優先供給機および優先供給機が決定されると、切り換え制御部の有する判定部によって第１条件が満たされているか否かが判定される（ステップＳ２１からステップＳ２４）。判定部による第１条件が満たされているか否かの判定は、第１優先供給機切り換え条件、第２優先供給機切り換え条件、および、第３優先供給機切り換え条件のうちのすべての条件が満たされるまで繰り返される。また、判定部によって第１条件が満たされていないと判定された場合、判定部によって第１条件が満たされていると判定されるまで、空気流路切り換え部１３０において第１切り換え状態が維持される。なお、この場合、最優先供給機が第１室内機本体１１８ａであるため、第１部屋１０１ａにおける第１加湿環境値が最優先供給部屋における加湿環境値ΔＨａに相当する。また、優先供給機が第２室内機本体１１８ｂであるため、第２部屋１０１ｂにおける第２加湿環境値が優先供給部屋における加湿環境値ΔＨｂに相当する。
【０１８３】
判定部によって第１条件が満たされていると判定された場合、切り換え制御部は、空気流路切り換え部１３０の状態が第１切り換え状態から第２切り換え状態に切り換わるように空気流路切り換え部１３０を制御する第１優先供給機切り換え制御を行う（ステップＳ２５）。また、切り換え制御部によって第１優先供給機切り換え制御が行われると、表示制御部によって第２室内機本体１１８ｂの有する他室加湿運転報知ＬＥＤ発光素子が消灯するように、他室加湿運転報知ＬＥＤ発光素子の動作が制御される。
【０１８４】
そして、第１優先供給機切り換え制御が行われると、判定部によって、第２条件が満たされているか否かが判定される（ステップＳ２６およびステップＳ２７）。判定部によって第２条件である第１最優先供給機切り換え条件が満たされていると判定された場合、切り換え制御部は、空気流路切り換え部１３０の状態が第２切り換え状態から第１切り換え状態に切り換わるように空気流路切り換え部１３０を制御する第２最優先供給機切り換え制御を行う（ステップＳ２８）。また、切り換え制御部によって第２最優先供給機切り換え制御が行われると、表示制御部によって第２室内機本体１１８ｂの有する他室加湿運転報知ＬＥＤ発光素子が点灯するように、ＬＥＤ発光素子の動作が制御される。そして、第２最優先供給機切り換え制御が行われると、加湿運転制御部によって、ステップＳ２１から後述するステップＳ４０までの制御が繰り返し行われる。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１８５】
また、判定部によって、第２条件が満たされていないと判定された場合、切り換え制御部は、優先供給機決定部によって非優先供給機が決定されているか否かを判断する（ステップＳ２９）。優先供給機決定部によって非優先供給機が決定されていないと判断した場合、判定部によって、第２条件が満たされているか否かが更に判定される（ステップＳ２６）。このように、加湿運転制御部によって、ステップＳ２６からの制御が継続される。
【０１８６】
また、ユーザによって第３加湿空気供給スイッチが押されると、第３室内機本体１１８ｃへの加湿空気の供給指示、すなわち、第３加湿指示を通信部が受信する。優先供給機決定部によって最優先供給機および優先供給機が決定されている場合に、通信部において第３室内機本体１１８ｃへの加湿空気の加湿指示が受信されると、優先供給機決定部によって、第３室内機本体１１８ｃが非優先供給機に決定される。ここでは、最優先供給機として第１室内機本体１１８ａが決定されており、優先供給機として第２室内機本体１１８ｂが決定されているため、優先供給機決定部によって、第３室内機本体１１８ｃが非優先供給機に決定される。また、優先供給機決定部によって第３室内機本体１１８ｃが非優先供給機に決定されると、最優先供給機または優先供給機に加湿空気が供給されている場合には、表示制御部によって第３室内機本体１１８ｃの有する他室加湿運転報知ＬＥＤ発光素子が点灯するように、他室加湿運転報知ＬＥＤ発光素子の動作を制御される。
【０１８７】
そして、ステップＳ２９において、切り換え制御部が優先供給機決定部によって非優先供給機が決定されていると判断した場合、判定部によって第３条件が満たされているか否かが判定される（ステップＳ３０からステップＳ３３）。なお、この場合、非優先供給機が第３室内機本体１１８ｃであるため、第３部屋１０１ｃにおける第３加湿環境値が非優先供給部屋における加湿環境値ΔＨｃに相当する。
【０１８８】
判定部によって第３条件である第１非優先供給機切り換え条件、第２非優先供給機切り換え条件、および、第３非優先供給機切り換え条件が満たされていると判定された場合、切り換え制御部は、空気流路切り換え部１３０の状態が第２切り換え状態から第３切り換え状態に切り換わるように空気流路切り換え部１３０を制御する非優先供給機切り換え制御を行う（ステップＳ３４）。また、切り換え制御部によって非優先供給機切り換え制御が行われると、表示制御部によって第３室内機本体１１８ｃの有する他室加湿運転報知ＬＥＤ発光素子が消灯するように、他室加湿運転報知ＬＥＤ発光素子の動作が制御される。
【０１８９】
また、切り換え制御部によって非優先供給機切り換え制御が行われると、判定部によって、第４条件が満たされているか否かが判定される（ステップＳ３５およびステップＳ３６）。判定部によって第４条件が満たされていると判定された場合、切り換え制御部は、空気流路切り換え部の状態が第３切り換え状態から第１切り換え状態に切り換わるように空気流路切り換え部１３０を制御する第３最優先供給機切り換え制御を行う（ステップＳ３７）。
【０１９０】
また、切り換え制御部によって第３最優先供給機切り換え制御が行われると、表示制御部によって第２室内機本体１１８ｂおよび第３室内機本体１１８ｃの有する他室加湿運転報知ＬＥＤ発光素子がそれぞれ点灯するように、それぞれの他室加湿運転報知ＬＥＤ発光素子の動作が制御される。そして、第３最優先供給機切り換え制御が行われると、加湿運転制御部によって、ステップＳ２１からの制御が継続して行われる。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１９１】
また、判定部によって第４条件が満たされていないと判定された場合、判定部は、第５条件を更に判定する（ステップＳ３８およびステップＳ３９）。
【０１９２】
判定部によって、第５条件が満たされていると判定された場合、切り換え制御部は、空気流路切り換え部１３０の状態が第３状態から第２状態に切り換わるように空気流路切り換え部１３０を制御する第２優先供給機切り換え制御を行う（ステップＳ４０）。また、切り換え制御部によって第２優先供給機切り換え制御が行われると、表示制御部によって第３室内機本体１１８ｃの有する他室加湿運転報知ＬＥＤ発光素子が点灯するように、ＬＥＤ発光素子の動作が制御される。そして、第２優先供給機切り換え制御が行われると、加湿運転制御部は、ステップＳ２６からの制御を継続して行う。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１９３】
また、判定部によって、第５条件が満たされていないと判定された場合、判定部によって、第４条件が更に判定される（ステップＳ３５）。そして、加湿運転制御部は、ステップＳ３５からステップＳ４０の制御を繰り返して行う。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１９４】
なお、上記では、優先供給機決定部によって、第１室内機本体１１８ａが最優先供給機に決定され、第２室内機本体１１８ｂが優先供給機に決定され、第３室内機本体１１８ｃが非優先供給機に決定されている例を挙げているが、上述のように第１加湿指示、第２加湿指示、および、第３加湿指示が為された順に基づいて、最優先供給機、優先供給機、および、非優先供給機が決定される。このため、切り換え制御部による空気流路切り換え部１３０の状態の切り換えは、優先供給機決定部によって決定される最優先供給機、優先供給機、および、非優先供給機について適宜行われる。
【０１９５】
（Ｃ）
上記実施形態では、優先供給機決定部６５によって、優先して加湿空気が供給される室内機本体である優先供給機が決定されている。そして、決定された優先供給機に対して加湿空気が優先的に供給されるように、切り換え制御部６６によって、空気流路切り換え部３０の状態が切り換えられている。
【０１９６】
これに代えて、上記実施形態のように、切り換え制御部によって優先供給機に対して加湿空気が優先的に供給されるように空気流路切り換え部の状態が切り換えられる制御（第１優先供給機切り換え制御、非優先供給機切り換え制御および第２優先供給機切り換え制御、以下、優先供給機自動切り換え制御という）が行われるか否かをユーザが設定するための設定部が設けられていてもよい。
【０１９７】
例えば、設定部において、優先供給機自動切り換え制御が行われるように設定されている場合には、切り換え制御部によって優先供給機自動切り換え制御が行われる。また、設定部において、優先供給機自動切り換え制御が行われないように設定されている場合には、切り換え制御部によって優先供給機自動切り換え制御は行われない。また、設定部には、例えば、ユーザによって各種設定が行われるスイッチであるジャンパスイッチやディップスイッチ等のスイッチが含まれる。ユーザは、これらスイッチを操作することによって、切り換え制御部によって優先供給機自動切り換え制御が行われるか否かを設定することができる。
【０１９８】
例えば、設定部２９２として、ディップスイッチ２９０，２９１が採用されている空気調和機について説明する。この空気調和機では、ユーザによってディップスイッチ２９０，２９１がオン、または、オフされることによって、切り換え制御部２６６による優先供給機自動切り換え制御が行われるか否かが設定される。また、図１９に示すように、ディップスイッチ２９０，２９１には、第１ディップスイッチ２９０および第２ディップスイッチ２９１が含まれる。
【０１９９】
ユーザによって、第１ディップスイッチ２９０および第２ディップスイッチ２９１がオンにされている場合には、切り換え制御部２６６による優先供給機自動切り換え制御が行われる。具体的には、第１ディップスイッチ２９０および第２ディップスイッチ２９１がオンにされている場合には、優先供給機決定部２６５によってユーザからの加湿空気の供給指示が最初に為された室内機が優先供給機に決定され、切り換え制御部２６６によって優先供給機に対して加湿空気が供給されるように空気流路切り換え部の状態が切り換えられる。その後、優先供給機以外の室内機に対して、ユーザからの加湿空気の供給指示が為された場合であって第１条件が満たされた場合にのみ、切り換え制御部２６６によって、ユーザからの加湿空気の供給指示が為された優先供給機以外の室内機に対して加湿空気が供給されるように、空気流路切り換え部の状態が切り換えられる。また、優先供給機以外の室内機に対して加湿空気が供給されている状態で第２条件が満たされた場合には、切り換え制御部２６６によって優先供給機に対して加湿空気が供給されるように、空気流路切り換え部の状態が切り換えられる。
【０２００】
また、ユーザによって第１ディップスイッチ２９０または第２ディップスイッチ２９１の少なくともいずれか一方がオフにされている場合には、切り換え制御部２６６による優先供給機自動切り換え制御が行われず、切り換え制御部２６６による優先供給機自動切り換え制御以外の制御が行われる。
【０２０１】
例えば、ユーザによって、第１ディップスイッチ２９０がオンにされており、第２ディップスイッチ２９１がオフにされている場合には、第２室内機に優先して加湿空気が供給されるように、切り換え制御部２６６によって空気流路切り換え部が切り換えられる。具体的には、第１ディップスイッチ２９０がオンにされており、第２ディップスイッチ２９１がオフにされている場合に、ユーザによって、第１加湿空気供給スイッチ２８１ａよりも先に第２加湿空気供給スイッチ２８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ２８１ａが押された場合、空気流路切り換え部の状態は、第１切り換え状態には切り換わらずに、第２切り換え状態が維持される。
【０２０２】
また、第１ディップスイッチ２９０がオンされており、第２ディップスイッチ２９１がオフされている状態で、ユーザによって、第２加湿空気供給スイッチ２８１ｂよりも先に第１加湿空気供給スイッチ２８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ２８１ｂが押された場合、空気流路切り換え部の状態は、第１切り換え状態から第２切り換え状態に切り換わる。
【０２０３】
このように、第１ディップスイッチ２９０がオンされており、第２ディップスイッチ２９１がオフされている場合には、第２室内機に優先的に加湿空気が供給される。
【０２０４】
また、ユーザによって、第１ディップスイッチ２９０がオフにされており、第２ディップスイッチ２９１がオンにされている場合には、第１室内機に優先して加湿空気が供給されるように、切り換え制御部２６６によって空気流路切り換え部が切り換えられる。具体的には、第１ディップスイッチ２９０がオフにされており、第２ディップスイッチ２９１がオンにされている場合に、ユーザによって、第１加湿空気供給スイッチ２８１ａよりも先に第２加湿空気供給スイッチ２８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ２８１ａが押された場合、空気流路切り換え部の状態は、第２切り換え状態から第１切り換え状態に切り換わるように、空気流路切り換え部が制御される。
【０２０５】
また、第１ディップスイッチ２９０がオフされており、第２ディップスイッチ２９１がオンされている状態で、ユーザによって、第２加湿空気供給スイッチ２８１ｂよりも先に第１加湿空気供給スイッチ２８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ２８１ｂが押された場合、空気流路切り換え部の状態は、第２切り換え状態には切り換わらずに、第１切り換え状態が維持される。
【０２０６】
このように、第１ディップスイッチ２９０がオフされており、第２ディップスイッチ２９１がオンされている場合には、第１室内機に優先的に加湿空気が供給される。
【０２０７】
さらに、第１ディップスイッチ２９０および第２ディップスイッチ２９１がオフされている場合、すなわち、ユーザによって、第１室内機および第２室内機のいずれの室内機に対しても優先して加湿空気が供給されるように設定されている場合には、切り換え制御部２６６は、ユーザからの加湿空気の供給指示に基づいて、空気流路切り換え部の状態を適宜切り換える。このため、第１ディップスイッチ２９０および第２ディップスイッチ２９１がオフにされている場合には、ユーザからの加湿空気の供給指示がある毎に、空気流路切り換え部の状態が切り換えられる。
【０２０８】
また、本変形例では、第１ディップスイッチ２９０および第２ディップスイッチ２９１がオフにされている場合には、空気流路切り換え部の状態はユーザからの加湿空気の供給指示に基づいて適宜切り換えられるが、これに限定されるものではない。例えば、第１ディップスイッチ２９０および第２ディップスイッチ２９１がオフにされている場合に、いずれの室内機からも加湿空気の供給指示があった場合には、切り換え制御部２６６によって、空気流路切り換え部の状態が、所定時間（例えば、１０分）毎に自動的に切り換えられてもよく、各部屋の加湿環境値に基づいて自動的に切り換えられてもよい。
【０２０９】
また、例えば、設定部３９２として、ジャンパスイッチ３９０，３９１が採用されている空気調和機について説明する。この空気調和機では、ユーザによってジャンパスイッチ３９０，３９１がオン、または、オフされることによって、切り換え制御部による優先供給機自動切り換え制御が行われるか否かが設定される。また、図２０に示すように、ジャンパスイッチ３９０，３９１には、第１ジャンパスイッチ３９０および第２ジャンパスイッチ３９１が含まれる。
【０２１０】
ユーザによって、第１ジャンパスイッチ３９０および第２ジャンパスイッチ３９１がオフにされている場合には、切り換え制御部３６６による優先供給機自動切り換え制御が行われる。具体的には、第１ジャンパスイッチ３９０および第２ジャンパスイッチ３９１がオフにされている場合に、優先供給機決定部３６５によってユーザからの加湿空気の供給指示が最初に為された室内機が優先供給機に決定され、切り換え制御部３６６によって優先供給機に対して加湿空気が供給されるように空気流路切り換え部の状態が切り換えられる。その後、優先供給機以外の室内機に対してユーザからの加湿空気の供給指示が為された場合であって第１条件が満たされた場合にのみ、切り換え制御部３６６によって、ユーザからの加湿空気の供給指示が為された優先供給機以外の室内機に対して加湿空気が供給されるように、空気流路切り換え部の状態が切り換えられる。また、優先供給機以外の室内機に対して加湿空気が供給されている状態で第２条件が満たされた場合には、切り換え制御部３６６によって優先供給機に対して加湿空気が供給されるように、空気流路切り換え部の状態が切り換えられる。
【０２１１】
また、ユーザによって第１ジャンパスイッチ３９０または第２ジャンパスイッチ３９１の少なくともいずれか一方がオンにされている場合には、切り換え制御部３６６による優先供給機自動切り換え制御が行われず、切り換え制御部３６６による優先供給機自動切り換え制御以外の制御が行われる。また、第１ジャンパスイッチ３９０がユーザによってオンにされることで、第１室内機に加湿空気が優先的に供給されるように、加湿空気が優先的に供給される室内機である優先室内機が第１室内機に決定される。さらに、第２ジャンパスイッチ３９１がユーザによってオンにされることで、第２室内機に加湿空気が優先的に供給されるように、優先室内機が第２室内機に決定される。このため、ユーザは、第１ジャンパスイッチ３９０および第２ジャンパスイッチ３９１をオン、または、オフにすることで、優先して加湿空気が供給される室内機を設定することができる。したがって、ユーザによって第１ジャンパスイッチ３９０または第２ジャンパスイッチ３９１がオンにされている場合に、ユーザによって第１加湿空気供給スイッチ３８１ａおよび第２加湿空気供給スイッチ３８１ｂが押されても、切り換え制御部３６６による優先供給機自動切り換え制御は行われない。言い換えると、第１ジャンパスイッチ３９０および第２ジャンパスイッチ３９１がオフにされている場合、すなわち、ユーザによって優先室内機が設定されていない場合に、ユーザによって第１室内機本体および第２室内機本体への加湿空気の供給指示が為されることで、切り換え制御部３６６による優先供給機自動切り換え制御が行われる。
【０２１２】
具体的には、第１ジャンパスイッチ３９０がオンにされており、第２ジャンパスイッチ３９１がオフにされている場合、すなわち、ユーザによって第１室内機が優先室内機となるように設定されている場合には、空気流路切り換え部の状態が第１切り換え状態となるように、空気流路切り換え部が切り換えられる。このため、第１ジャンパスイッチ３９０がオンされており、第２ジャンパスイッチ３９１がオフされている場合には、第１室内機に優先的に加湿空気が供給される。
【０２１３】
例えば、第１ジャンパスイッチ３９０がオンされており、第２ジャンパスイッチ３９１がオフされている状態で、ユーザによって、第１加湿空気供給スイッチ３８１ａよりも先に第２加湿空気供給スイッチ３８１ｂが押された場合、空気流路切り換え部の状態が第２切り換え状態となるように、切り換え制御部３６６によって空気流路切り換え部の状態が切り換えられる。そして、第２室内機本体に加湿空気が供給される。その後、ユーザによって第１加湿空気供給スイッチ３８１ａが押された場合、空気流路切り換え部の状態が、第２切り換え状態から第１切り換え状態に切り換えられる。
【０２１４】
また、第１ジャンパスイッチ３９０がオンされており、第２ジャンパスイッチ３９１がオフされている状態で、ユーザによって、第２加湿空気供給スイッチ３８１ｂよりも先に第１加湿空気供給スイッチ３８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ３８１ｂが押された場合、空気流路切り換え部の状態は、第２切り換え状態には切り換わらずに、第１切り換え状態が維持される。
【０２１５】
このように、第１ジャンパスイッチ３９０がオンにされており、第２ジャンパスイッチ３９１がオフにされている場合には、第１室内機に優先的に加湿空気が供給される。
【０２１６】
また、第１ジャンパスイッチ３９０がオフされており、第２ジャンパスイッチ３９１がオンされている場合、すなわち、ユーザによって第２室内機が優先室内機となるように設定されている場合には、空気流路切り換え部の状態が第２切り換え状態となるように、空気流路切り換え部が切り換えられる。このため、第１ジャンパスイッチ３９０がオフされており、第２ジャンパスイッチ３９１がオンされている場合には、第２室内機に優先的に加湿空気が供給される。
【０２１７】
例えば、第１ジャンパスイッチ３９０がオフされており、第２ジャンパスイッチ３９１がオンされている状態で、ユーザによって、第１加湿空気供給スイッチ３８１ａよりも先に第２加湿空気供給スイッチ３８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ３８１ａが押された場合、空気流路切り換え部の状態は、第１切り換え状態には切り換わらずに、第２切り換え状態が維持される。
【０２１８】
また、第１ジャンパスイッチ３９０がオフされており、第２ジャンパスイッチ３９１がオンされている状態で、ユーザによって、第２加湿空気供給スイッチ３８１ｂよりも先に第１加湿空気供給スイッチ３８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ３８１ｂが押された場合、空気流路切り換え部の状態は、第１切り換え状態から第２切り換え状態に切り換わるように、空気流路切り換え部が制御される。
【０２１９】
このように、第１ジャンパスイッチ３９０がオフされており、第２ジャンパスイッチ３９１がオンされている場合には、第２室内機に優先的に加湿空気が供給される。
【０２２０】
さらに、第１ジャンパスイッチ３９０および第２ジャンパスイッチ３９１がオンされている場合、すなわち、ユーザによって第１室内機および第２室内機のいずれの室内機も優先室内機となるように設定されている場合には、第１室内機および第２室内機に対して加湿空気が供給されるように、切り換え制御部３６６によって、切り換え部の状態が所定時間毎に自動的に切り換えられる室内機自動切り換え制御が行われる。
【０２２１】
例えば、第１ジャンパスイッチ３９０および第２ジャンパスイッチ３９１がオンにされている状態で、ユーザによって、第１加湿空気供給スイッチ３８１ａよりも先に第２加湿空気供給スイッチ３８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ３８１ａが押された場合、切り換え制御部３６６によって、第１加湿空気供給スイッチ３８１ａが押された時から所定時間が経過するまで、空気流路切り換え部の状態は第２切り換え状態が維持される。そして、第１加湿空気供給スイッチ３８１ａが押された時から所定時間が経過した場合、切り換え制御部３６６によって、空気流路切り換え部の状態が、第２切り換え状態から第１切り換え状態に切り換えられる。また、空気流路切り換え部の状態が第２切り換え状態から第１切り換え状態となるように空気流路切り換え部が制御されてから所定時間が経過した場合、切り換え制御部３６６によって、空気流路切り換え部の状態が、第１切り換え状態から第２切り換え状態に切り換えられる。このようにして、切り換え制御部３６６によって、空気流路切り換え部の状態が所定時間毎に切り換えられる。
【０２２２】
なお、室内機自動切り換え制御が行われている場合、表示制御部３６４は、加湿空気が供給されていない側の室内機の他室加湿運転報知ＬＥＤ発光素子が点灯するように、他室加湿運転報知ＬＥＤ発光素子の動作を制御する。また、表示制御部３６４は、加湿空気が供給されている側の室内機の他室加湿運転報知ＬＥＤ発光素子が消灯するように、他室加湿運転報知ＬＥＤ発光素子の動作を制御する。
【０２２３】
このように、切り換え制御部によって優先供給機自動切り換え制御が行われるか否かをユーザが設定することができる設定部を設けることで、ユーザの都合に応じた空気流路切り換え部の状態を設定することができる。また、切り換え制御部の制御に応じた空気流路切り換え部の状態よりも、ユーザがスイッチによって設定した空気流路切り換え部の状態が優先されているため、ユーザの都合に応じた空気流路切り換え部の状態を維持することができる。
【０２２４】
これによって、切り換え部が自動的に切り換わることによるユーザの不快感を減らすことができる。
【０２２５】
また、優先供給機自動切り換え制御が行われる場合、優先供給機の設置されている優先供給部屋における加湿環境値が第１判定値未満であるという第１非優先供給機切り換え条件が満たされない場合には、切り換え制御部によって非優先供給機切り換え制御が行われないことになる。例えば、優先供給機に加湿空気を供給しても優先供給部屋内の湿度が上昇しない場合には第１条件が満たされず、非優先供給機切り換え制御が行われないおそれがある。このため、非優先供給機に対して加湿空気が供給されないという不都合が生じる。
【０２２６】
そこで、切り換え制御部によって優先供給機自動切り換え制御が行われるか否かをユーザが設定することができる設定部を設けることで、ユーザの都合に応じて、空気流路切り換え部の切り換え制御の制御内容を設定することができる。
【０２２７】
なお、上記変形例では、室内機自動切り換え制御において、切り換え部の状態が切り換わってから所定時間が経過しているという条件（以下、第６条件という）が満たされた場合に、切り換え部の状態が切り換えられているが、これに限定されず、室内機自動切り換え制御における切り換え部の状態が切り換えられるための条件として、他の条件が含まれていてもよい。また、室内機自動切り換え制御において、第６条件および他の条件のうちのいずれか１つの条件が満たされた場合に、切り換え部の状態が切り換えられてもよい。また、他の条件には、ユーザによって予め設定されている設定湿度値から加湿空気の供給が行われている部屋内の湿度センサの計測値を差し引いた値である加湿環境値が、第３判定値以下であるという条件（以下、第７条件という）が含まれる。具体的には、第３判定値が「−５」である場合、例えば、設定温度値が４０であり計測値が４５である場合には、上記条件が満たされることになる。したがって、室内機自動切り換え制御において、第６条件および第７条件のうちのいずれか１つの条件が満たされた場合に、切り換え部の状態が切り換えられる。このため、例えば、切り換え部の状態が切り換わってから所定時間が経過していなくても、加湿空気が供給されている部屋内の加湿環境値が第３判定値以下であるという条件が満たされた場合には、切り換え部の状態が切り換えられる。
【０２２８】
このように、室内機自動切り換え制御においても、加湿空気が供給されている部屋内の加湿環境値に応じて切り換え部の状態が切り換えられることで、加湿空気が供給されている部屋内の湿度が高くなりすぎるおそれを減らすことができる。
【０２２９】
これによって、ユーザに不快感を与えるおそれを減らすことができる。
【０２３０】
（Ｄ）
上記実施形態では、１台の室内機が１つの部屋に設置されているような構成となっているが、これに代えて、１つの部屋に複数の室内機が設置されていてもよい。
【０２３１】
＜参考例＞
本発明では、空気流路切り換え部３０が第１切り換え状態または第２切り換え状態によって切り換わることで、第１部屋１ａ内または第２部屋１ｂ内のいずれか一方の部屋にのみ加湿空気が供給されている。
【０２３２】
これに代えて、例えば、それぞれの加湿環境値に基づいて、複数の部屋内に加湿空気が分配して供給されてもよい。このように１部屋以上の部屋内に加湿空気が同時に供給されることによって、それぞれの部屋内のユーザに対して不快感を与えるそれを少なくすることができる。
【産業上の利用可能性】
【０２３３】
本発明は、ユーザに対して不快感を与えることが少ない加湿ユニットを提供することができるため、空気調和機への適用が有効である。
【符号の説明】
【０２３４】
１ａ    第１部屋（第１エリア／第２エリア）
１ｂ    第２部屋（第１エリア／第２エリア）
１３ａ    第１他室加湿運転報知ＬＥＤ発光素子（報知部）
１３ｂ    第２他室加湿運転報知ＬＥＤ発光素子（報知部）
６２      加湿運転制御部（制御部）
６５      優先供給機決定部（決定部）
６７      通信部（受信部）
６８      算出部
７０ａ    第１湿度センサ（第１エリア湿度センサ／第２エリア湿度センサ）
７０ｂ    第２湿度センサ（第１エリア湿度センサ／第２エリア湿度センサ）
１０１ａ    第１部屋（第１エリア／第２エリア）
１０１ｂ    第２部屋（第１エリア／第２エリア）
１０１ｃ    第３部屋（第１エリア／第２エリア）
１１８ｃ    第３室内機本体（エリア別室内機）
２９０      第１ディップスイッチ（受付部）
２９１      第２ディップスイッチ（受付部）
３９０      第１ジャンパスイッチ（受付部）
３９１      第２ジャンパスイッチ（受付部）
３，１０３      室外機（加湿装置）
１８ａ，１１８ａ    第１室内機本体（エリア別室内機）
１８ｂ，１１８ｂ  第２室内機本体（エリア別室内機）
３０，１３０  空気流路切り換え部（切り換え部）
６６，２６６，３６６  切り換え制御部
１００，２００  空気調和機
２９２，３９２  設定部
【先行技術文献】
【特許文献】
【０２３５】
【特許文献１】特開平１１−３１１４３５号公報
【特許文献２】特開平５−２２３２９８号公報
【図１】
2010107179.tif 000003
【図２】
2010107179.tif 000004
【図３】
2010107179.tif 000005
【図４】
2010107179.tif 000006
【図５】
2010107179.tif 000007
【図６】
2010107179.tif 000008
【図７】
2010107179.tif 000009
【図８】
2010107179.tif 000010
【図９】
2010107179.tif 000011
【図１０】
2010107179.tif 000012
【図１１】
2010107179.tif 000013
【図１２】
2010107179.tif 000014
【図１３】
2010107179.tif 000015
【図１４】
2010107179.tif 000016
【図１５】
2010107179.tif 000017
【図１６】
2010107179.tif 000018
【図１７】
2010107179.tif 000019
【図１８】
2010107179.tif 000020
【図１９】
2010107179.tif 000021
【図２０】
2010107179.tif 000022
【手続補正書】
【提出日】平成21年12月24日(2009.12.24)
【手続補正１】
【補正対象書類名】明細書
【補正対象項目名】全文
【補正方法】変更
【補正の内容】
【発明の詳細な説明】
【技術分野】
【０００１】
本発明は、加湿空気を供給することができるマルチタイプの空気調和機に関する。
【背景技術】
【０００２】
従来より、複数の部屋を１台の換気装置を用いて換気することができる多室換気装置や多室換気システムがある。
【０００３】
例えば、特許文献１（特開平１１−３１１４３５号公報）に開示されている多室換気装置は、送風機を有する本体（換気装置に相当）と、本体に接続されているチャンバーとを備える。チャンバーには、部屋内の空気を吸引するための吸込口が、換気を行う部屋の数に相当する数だけ設けられている。また、チャンバーは、複数の吸込口を独立して開閉可能なダンパを有している。この多室換気装置では、それぞれのダンパを独立して稼働させることで、それぞれの部屋内の換気を独立して行うことができる。このようにして、この多室換気装置では、１台の本体を用いて複数の部屋の換気を行っている。
【０００４】
また、特許文献２（特開平５−２２３２９８号公報）に開示されている多室換気システムは、換気装置と、換気装置に接続されている主ダクトと、主ダクトから複数の部屋内に分岐して配置されている複数の分岐ダクトとを備える。また、各分岐ダクトは、各部屋内から空気を取り込むための空気取込口を開閉するダンパをそれぞれ有している。この多室換気システムでは、各ダンパの稼働台数に基づいて必要な換気風量が決定されており、この決定された換気風量に応じて換気装置を稼働させている。このようにして、この多室換気システムでは、１台の換気装置を用いて複数の部屋の換気を行っている。
【発明の概要】
【発明が解決しようとする課題】
【０００５】
ところで、室内機に加湿空気を供給する加湿機能を有する加湿装置に複数の室内機が接続されている空気調和機の場合、上述のような多室換気装置や多室換気システムを利用して、複数の部屋内に加湿空気を供給することが考えられる。
【０００６】
しかしながら、１つの部屋を加湿するために必要な加湿能力を有しているが複数の部屋を加湿するために必要な加湿能力を有していないような加湿装置に、上述のような多室換気装置や多室換気システムを対応させた場合、複数の部屋に居るユーザから同時に加湿空気の供給が要求されると、加湿空気を各部屋に分散して供給することになる。このため、加湿空気が各部屋に十分に供給されないために、ユーザに対して不快感を与えるおそれがある。
【０００７】
そこで、本発明の課題は、ユーザに対して不快感を与えることが少ない空気調和機を提供することにある。
【課題を解決するための手段】
【０００８】
第１発明に係る空気調和機は、１台の加湿装置と、複数台のエリア別室内機と、受信部と、制御部とを備えている。エリア別室内機には、加湿装置から加湿空気が供給される。受信部は、ユーザからの各エリア別室内機への加湿空気の供給指示を受信可能である。制御部は、複数のエリア別室内機のうちのいずれか１台にのみ加湿空気が供給されるように、加湿装置を制御する。また、制御部は、第１制御と、第２制御と、第３制御とを行う。第１制御では、制御部が、受信部が供給指示を最初に受信したエリア別室内機である第１供給機に加湿空気が供給されるように、加湿装置を制御する。第２制御は、第１制御が行われた後であって、受信部が第１供給機以外のエリア別室内機である第２室内機に対する供給指示を受信し、かつ、少なくとも第１供給機によって加湿される第１エリアの加湿環境が第１条件を満たしている場合に行われる。また、第２制御では、制御部が、第２供給機に加湿空気が供給されるように、加湿装置を制御する。第３制御では、制御部が、第１供給機に加湿空気が供給されるように、加湿装置を制御する。また、第３制御は、第２制御が行われた後であって、少なくとも第１エリアの加湿環境が第２条件を満たしている場合に行われる。
【０００９】
第１発明に係る空気調和機では、制御部によって第１制御、第２制御または第３制御が行われることによって、複数のエリア別室内機のうちのいずれか１台にのみ加湿空気が供給される。このため、１つのエリアを加湿するために必要な加湿能力を有しているが複数のエリアを加湿するために必要な加湿能力を有していないような加湿装置に対応させた場合でも、各エリア別室内機に十分な加湿空気を供給することができる。
【００１０】
これによって、ユーザに対して不快感を与えるおそれを減らすことができる。
【００１１】
第２発明に係る空気調和機は、第１発明の空気調和機であって、第２条件では、第１エリアの加湿環境が、第２供給機によって加湿される第２エリアの加湿環境よりも優先される。このため、この空気調和機では、第１エリアを優先して加湿することができる。
【００１２】
第３発明に係る空気調和機は、第１発明又は第２発明の空気調和機であって、制御部は、算出部を有する。算出部は、第１エリア湿度センサの計測値に基づいて、第１エリアにおける加湿環境に対応する第１加湿環境値を算出可能である。第１エリア湿度センサとは、第１エリアの湿度を測定するためのセンサである。また、第１条件には、第１加湿環境値が第１所定値未満であるという第１切り換え条件が含まれる。さらに、第２条件には、第１加湿環境値が第２所定値以上であるという第２切り換え条件が含まれる。
【００１３】
第３発明に係る空気調和機では、第１条件として第１切り換え条件が含まれており、第２条件として第２切り換え条件が含まれている。このため、第１供給機によって加湿空気が供給される第１エリアにおける加湿環境値に基づいて、第２制御および第３制御が行われる。
【００１４】
これによって、第１エリアの加湿が不十分となるおそれを減らすことができる。
【００１５】
第４発明に係る空気調和機は、第３発明の空気調和機であって、算出部は、第２エリア湿度センサの計測値に基づいて、第２エリアにおける加湿環境に対応する第２加湿環境値を更に算出する。第２エリア湿度センサとは、第２供給機によって加湿される第２エリアの湿度を測定するためのセンサである。また、第１条件には、前記第１切り換え条件の他に、第３切り換え条件、または、第４切り換え条件の少なくともいずれか１つの条件が含まれる。第３切り換え条件とは、第２加湿環境値が第３所定値以上であるという条件である。また、第４切り換え条件とは、第１供給機によって第１エリアの加湿が開始されてから所定の第１時間を経過しているという条件である。
【００１６】
第４発明に係る空気調和機では、第１条件には、第１切り換え条件の他に、第３切り換え条件、または、第４切り換え条件の少なくともいずれか１つの条件が含まれる。このため、例えば、第１条件に、第１切り換え条件および第３切り換え条件が含まれる場合、第１加湿環境値および第２加湿環境値に基づいて、第２制御が行われる。また、例えば、第１条件に、第１切り換え条件および第４切り換え条件が含まれる場合、第１加湿環境値および第１エリアが加湿された時間に基づいて、第２制御が行われる。さらに、第１条件に、第１切り換え条件、第３切り換え条件、および、第４切り換え条件が含まれる場合、第１加湿環境値、第２加湿環境値、および、第１エリアが加湿された時間に基づいて、第２制御が行われる。したがって、この空気調和機では、各エリアに加湿空気を供給することができる。
【００１７】
第５発明に係る空気調和機は、第４発明の空気調和機であって、第２条件には、第２切り換え条件の他に、第５切り換え条件を含む。第５切り換え条件とは、第２供給機によって第２エリアの加湿が開始されてから所定の第２時間を経過しているという条件である。このため、例えば、第２切り換え条件を満たしている場合にのみ第３制御が行われる場合と比較して、第２供給機に加湿空気を供給することができる。
【００１８】
第６発明に係る空気調和機は、第１発明から第５発明のいずれかの空気調和機であって、第２供給機は、第１供給機に加湿空気が供給されていることを報知するための報知部を有する。このため、第１供給機以外のエリア別室内機に対して加湿空気の供給指示を出したユーザに対して、第１供給機に加湿空気が供給されていることを認識させやすくすることができる。
【００１９】
これによって、ユーザに不快感を与えるおそれを減らすことができる。
【００２０】
第７発明に係る空気調和機は、第１発明から第６発明のいずれかの空気調和機であって、加湿装置は、切り換え部を有する。切り換え部は、第１供給機のみに加湿空気が供給される第１状態と、第２供給機にのみ加湿空気が供給される第２状態とに状態を切り換え可能である。また、制御部は、切り換え部の状態を切り換える切り換え制御を行うことで、第１制御、第２制御、または、第３制御を行う。このため、この空気調和機では、１台のエリア別室内機にのみ加湿空気が供給されるため、エリア毎に加湿が不十分となるおそれを減らすことができる。
【００２１】
これによって、ユーザに対して不快感を与えるおそれを減らすことができる。
【００２２】
第８発明に係る空気調和機は、第７発明の空気調和機であって、切り換え部の状態が切り換わるように、ユーザからの切り換え指示を受け付ける受付部を更に備える。このため、例えば、受付部において、第１供給機にのみ加湿空気が供給されるように、ユーザからの切り換え指示が受け付けられた場合、切り換え部の状態は第１供給機にのみ加湿空気が供給されるように切り換えられる。したがって、ユーザの都合に応じた切り換え部の状態を設定することができる。
【００２３】
第９発明に係る空気調和機は、第８発明の空気調和機であって、受付部において切り換え指示を受け付けている場合には、切り換え部において、制御部による切り換え制御に応じた切り換え部の状態よりも、切り換え指示に基づく切り換え部の状態が優先される。このため、例えば、受付部が切り換え指示を受け付けている場合には、第１条件または第２条件が満たされたとしても、切り換え部の状態は、切り換え指示に基づく切り換え部の状態が維持される。したがって、ユーザの都合に応じた切り換え部の状態を維持することができる。
【００２４】
第１０発明に係る空気調和機は、第１発明から第９発明のいずれかの空気調和機であって、制御部は、受信部が供給指示を受信したタイミングに基づいて、第２供給機を決定する決定部を更に有する。このため、この空気調和機では、第２供給機を決定することができる。
【発明の効果】
【００２５】
第１発明に係る空気調和機では、ユーザに対して不快感を与えるおそれを減らすことができる。
【００２６】
第２発明に係る空気調和機では、第１エリアを優先して加湿することができる。
【００２７】
第３発明に係る空気調和機では、第１エリアの加湿が不十分となるおそれを減らすことができる。
【００２８】
第４発明に係る空気調和機では、各エリアに加湿空気を供給することができる。
【００２９】
第５発明に係る空気調和機では、第２供給機に加湿空気を供給することができる。
【００３０】
第６発明に係る空気調和機では、ユーザに不快感を与えるおそれを減らすことができる。
【００３１】
第７発明に係る空気調和機では、ユーザに対して不快感を与えるおそれを減らすことができる。
【００３２】
第８発明に係る空気調和機では、ユーザの都合に応じた切り換え部の状態を設定することができる。
【００３３】
第９発明に係る空気調和機では、ユーザの都合に応じた切り換え部の状態を維持することができる。
【００３４】
第１０発明に係る空気調和機では、第２供給機を決定することができる。
【図面の簡単な説明】
【００３５】
【図１】本発明の実施形態に係る室内機を備える空気調和機の概略冷媒回路図。
【図２】本発明の実施形態に係る室内機を備える空気調和機の概念図。
【図３】本発明の実施形態に係る室内機の正面図。
【図４】室外機の分解斜視図。
【図５】第１切り換え状態における空気流路切り換え部の（ａ）平面図、および、（ｂ）給気時の空気の流れを示す断面図（図５（ａ）の V−V断面に相当）。
【図６】第２切り換え状態における空気流路切り換え部の（ａ）平面図、および、（ｂ）給気時の空気の流れを示す断面図（図６（ａ）の VI−VI断面に相当）。
【図７】制御装置の制御ブロック図。
【図８】切り換え制御部による空気流路切り換え部の切り換え動作の流れを示すフローチャート。
【図９】切り換え制御部による空気流路切り換え部の切り換え動作の流れを示すフローチャート。
【図１０】切り換え制御部による空気流路切り換え部の切り換え動作の流れを示すフローチャート。
【図１１】本発明の変形例（B）に係る室内機を備える空気調和機の概念図。
【図１２】本発明の変形例（B）における第２切り換え状態の空気流路切り換え部の（ａ）平面図、および、（ｂ）給気時の空気の流れを示す断面図（図１２（ａ）の XII−XII断面に相当）。
【図１３】本発明の変形例（B）における切り換え制御部による空気流路切り換え部の切り換え動作の流れを示すフローチャート。
【図１４】本発明の変形例（B）における切り換え制御部による空気流路切り換え部の切り換え動作の流れを示すフローチャート。
【図１５】本発明の変形例（B）における切り換え制御部による空気流路切り換え部の切り換え動作の流れを示すフローチャート。
【図１６】本発明の変形例（B）における切り換え制御部による空気流路切り換え部の切り換え動作の流れを示すフローチャート。
【図１７】本発明の変形例（B）における切り換え制御部による空気流路切り換え部の切り換え動作の流れを示すフローチャート。
【図１８】本発明の変形例（B）における切り換え制御部による空気流路切り換え部の切り換え動作の流れを示すフローチャート。
【図１９】本発明の変形例（C）における制御装置の制御ブロック図。
【図２０】本発明の変形例（C）における制御装置の制御ブロック図。
【発明を実施するための形態】
【００３６】
＜空気調和機の構成概略＞
本発明の一実施形態に係る空気調和機１００について説明する。この空気調和機１００は、図１に示すように、１台の室外機３と、２台の室内機（エリア別室内機に相当）２ａ，２ｂとが冷媒配管によって並列に接続されているマルチタイプの空気調和機である。また、この空気調和機１００は、冷房運転および暖房運転を含む通常運転の他に、加湿運転等の運転を行うことができる。室外機３は、室外熱交換器２４や室外ファン２９などを内部に収容する室外空調ユニット５と、加湿ユニット４とを備えている。室内機２ａ，２ｂの内部には室内熱交換器１１ａ，１１ｂが収容されている。また、加湿ユニット４と室内機２ａ，２ｂとの間には、吸排気ホース６ａ，６ｂが設けられている。吸排気ホース６ａ，６ｂは、一端が加湿ユニット４に接続されており、他端が室内機２ａ，２ｂと接続されており、加湿ユニット４の内部空間と室内機２ａ，２ｂの内部空間と連通させることができる。
【００３７】
＜室内機の構成＞
第１室内機２ａは、図２に示すように、第１室内機本体１８ａと第１リモコン８０ａとを備えている。第１室内機本体１８ａは、第１部屋１ａ内に配置されており、第１部屋１ａの壁面等に設置される壁掛け型の室内機である。また、第２室内機２ｂは、第２室内機本体１８ｂと第２リモコン８０ｂとを備えている。第２室内機本体１８ｂは、第２部屋１ｂ内に配置されており、第１室内機本体１８ａと同様に第２部屋１ｂ内の壁面等に設置される壁掛け型の室内機である。また、第１室内機本体１８ａおよび第２室内機本体１８ｂは、図１に示すように、冷媒配管を介して室外機３に接続されている。
【００３８】
次に、第１室内機２ａの構成について説明する。なお、第１室内機２ａと第２室内機２ｂとは、同様の構成であるため、ここでは、第１室内機２ａの構成のみを説明する。
【００３９】
第１室内機本体１８ａは、図３に示すように、第１室内機ケーシング１０ａを備えている。また、第１室内機ケーシング１０ａ内には、第１室内ファン１２ａおよび上述の第１室内熱交換器１１ａ等が収容されている（図１参照）。
【００４０】
第１室内熱交換器１１ａは、長手方向両端で複数回折り返されてなる伝熱管と、伝熱管から挿通される複数のフィンとからなり、接触する空気との間で熱交換を行う。
【００４１】
第１室内ファン１２ａは、円筒形状に構成され、周面には回転軸方向に羽根が設けられている。第１室内ファン１２ａは、回転駆動することによって、回転軸と交わる方向に空気流を生成する。第１室内ファン１２ａは、第１部屋１ａ内の空気を第１室内機本体１８ａ内に吸い込ませるとともに、第１室内熱交換器１１ａとの間で熱交換を行った後の空気を第１部屋１ａ内に吹き出させる。
【００４２】
また、第１室内機本体１８ａ内には、上述のように、加湿ユニット４から延びる第１吸排気ホース６ａの一端が配置されている。また、第１吸排気ホース６ａには開口が設けられており、この開口は第１室内熱交換器１１ａの表面と対向する位置に配置されている。具体的な開口の位置とは、第１室内ファン１２ａが回転し空気流が生成されている状態で、第１室内機本体１８ａの上部に設けられている空気取込口１０ｂの下流側であり、かつ、第１室内熱交換器１１ａの上流側である。
【００４３】
さらに、第１室内機本体１８ａは、図３に示すように、空気調和機１００の運転状況等をユーザに報知するための第１表示部１７ａを備えている。第１表示部１７ａは、第１窓部１４ａ，１５ａ，１６ａと、複数のＬＥＤ発光素子と、を有している。第１窓部１４ａ，１５ａ，１６ａは、ユーザが視認可能なように、第１室内機ケーシング１０ａの前面下部に設けられている。また、第１窓部１４ａ，１５ａ，１６ａは、透過性材料によって構成されており、第１室内機ケーシング１０ａの内側に配置されているＬＥＤ発光素子の光を第１室内機ケーシング１０ａの外側に透過させることができる。ＬＥＤ発光素子は、第１室内機ケーシング１０ａの内部に収容されており、第１窓部１４ａ，１５ａ，１６ａ近傍に配置されている。また、ＬＥＤ発光素子には、第１他室加湿運転報知ＬＥＤ発光素子１３ａ（図７参照）が含まれる。なお、図３では、第１他室加湿運転報知ＬＥＤ発光素子１３ａの光を第１室内機ケーシング１０ａの外部に透過させることができる窓部を符号１６ａで示している。
【００４４】
また、第１リモコン８０ａは、空気調和機１００を遠隔操作するための装置であり、複数のスイッチを有している。第１リモコン８０ａは、これらのスイッチがユーザによって押されることで、空気調和機１００に対してのユーザからの指示内容を制御信号として後述する制御装置６０の通信部６７に送信することができる。例えば、第１リモコン８０ａの有する複数のスイッチのうち、第１室内機本体１８ａにおいて行われる冷房運転等の運転を開始または停止させるためのスイッチである第１運転／停止スイッチがユーザによって押されることで、第１室内機本体１８ａにおいて冷房運転等の運転を開始または停止させるという指示が制御信号として、第１リモコン８０ａから制御装置６０の通信部６７に送信される。
【００４５】
＜室外機の構成＞
室外機３は、図１および図２に示すように、下部の室外空調ユニット５と、上部の加湿ユニット４とから構成されている。
【００４６】
室外空調ユニット５内には、図１に示すように、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された室外膨張弁２５ａ，２５ｂとが収容されている。室外膨張弁２５ａ，２５ｂは、フィルタ２６ａ，２６ｂおよび液閉鎖弁２７ａ，２７ｂを介して液冷媒配管に接続されており、この液冷媒配管を介して室内熱交換器１１ａ，１１ｂの一端と接続されている。また、四路切換弁２２は、ガス閉鎖弁２８ａ，２８ｂを介してガス冷媒配管に接続されており、このガス冷媒配管を介して室内熱交換器１１ａ，１１ｂの他端と接続されている。
【００４７】
加湿ユニット４は、図１に示すように、室外機３の上部に配置されている。また、加湿ユニット４は、部屋１ａ，１ｂ内から取り込まれた空気を室外へと排気したり、室外から取り込まれた空気を部屋１ａ，１ｂ内へと供給したりすることができる。また、室外から取り込まれた空気を加湿して部屋１ａ，１ｂ内へと供給することもできる。なお、本実施形態における加湿ユニット４は、１つの部屋内を加湿するために必要な加湿能力を有しているが、複数の部屋内を加湿するために必要な加湿能力を有していないような小型の加湿ユニットである。
【００４８】
以下に、加湿ユニット４の構成について説明する。
【００４９】
＜加湿ユニットの構成＞
加湿ユニット４は、図１および図４に示すように、加湿ユニットケーシング７と、加湿ユニット本体６とを備えている。
【００５０】
加湿ユニットケーシング７は、図１および図４に示すように、加湿ロータ５１、加熱装置５２、加湿ファン５４、吸排気切り換えダンパ５３および吸着用送風装置５５等を収納している。
【００５１】
加湿ユニットケーシング７の前面には、複数のスリット状の開口からなる吸着用空気吹き出し口７ａが設けられている。また、加湿ユニットケーシング７の背面には、吸着用空気取込口７ｂおよび吸排気口７ｃが設けられている。吸着用空気取込口７ｂは、加湿ロータ５１に水分を吸着させるために室外から取り込まれる空気が通る開口である。吸排気口７ｃは、吸気運転および加湿運転時に、室外から加湿ユニット４内に取り込まれ室内機２ａ，２ｂに送られる空気が通る開口である。また、吸排気口７ｃは、排気運転時に、室内機２ａ，２ｂから取り込まれ加湿ユニット４内から室外へと排気される空気が通る開口である。
【００５２】
加湿ユニット本体６は、図１および図４に示すように、加湿ロータ５１、加熱装置５２、吸排気切り換えダンパ５３、加湿ファン５４、吸着用送風装置５５等を備えている。
【００５３】
加湿ロータ５１は、ハニカム構造のセラミックロータであり、概ね円盤形状の外形を有している。また、加湿ロータ５１は、回転可能に設けられており、ロータ駆動用モータによって回転駆動される。さらに、加湿ロータ５１の主たる部分は、ゼオライト等の吸着剤から焼成されている。ゼオライト等の吸着剤は、接触する空気中の水分を吸着するとともに、吸着した水分を加熱されることによって脱着するという性質を有している。なお、本実施形態では、吸着剤としてゼオライトを用いているが、シリカゲルやアルミナ等を吸着剤として用いることも可能である。
【００５４】
加熱装置５２は、加湿ロータ５１の上方に位置しており、加湿ロータ５１に対向して配置されている。また、加熱装置５２は、加湿ロータ５１へ送られる空気を加熱することにより、加湿ロータ５１を加熱することができる。
【００５５】
加湿ファン５４は、加湿ロータ５１の側方に配置されており、室外から取り込まれ室内機２ａ，２ｂへと送られる空気の流れを生成するラジカルファン組立体である。加湿ファン５４は、吸排気口７ｃから加湿ロータ５１および吸排気切り換えダンパ５３を経て部屋１ａ，１ｂ内へと到る空気の流れを生成して、室外から取り入れた空気を室内機２ａ，２ｂへと送る。また、加湿ファン５４は、室内機２ａ，２ｂから取り入れた部屋１ａ，１ｂ内の空気を室外へと排出することもできる。なお、加湿ファン５４は、吸排気切り換えダンパ５３が切り換わることによって、これらの動作を切り換える。加湿ファン５４は、図１に示すように、室外から取り入れた空気を室内機２ａ，２ｂへと送る場合には、加湿ロータ５１のうちの加熱装置５２と対向する部分を通過した空気を、吸排気切り換えダンパ５３を経て吸排気ダクト５８へと送り出す。吸排気ダクト５８は、後述する空気流路切り換え部３０を介して吸排気ホース６ａ，６ｂに接続されており、加湿ファン５４は、吸排気ダクト５８、空気流路切り換え部３０および吸排気ホース６ａ，６ｂを介して室外の空気を室内機２ａ，２ｂへと供給する。なお、吸排気ホース６ａ，６ｂを通って室内機２ａ，２ｂへ送られる空気は、上述のように室内機２ａ，２ｂ内部において室内熱交換器１１ａ，１１ｂの表面に吹き出される。
【００５６】
また、加湿ファン５４は、室内機２ａ，２ｂから取り入れた部屋１ａ，１ｂ内の空気を室外へと排出する場合には、吸排気ホース６ａ，６ｂ、空気流路切り換え部３０および吸排気ダクト５８を通ってきた部屋１ａ，１ｂ内の空気を吸排気口７ｃから室外へと排出する。
【００５７】
吸着用送風装置５５は、吸着用ファンモータ５９と、吸着用ファンモータ５９によって回転駆動される吸着ファン５６とを有し、加湿ロータ５１のうちの加熱装置５２と対向しない部分を通過する空気の流れを生成する。すなわち、吸着用送風装置５５は、吸着用空気取込口７ｂから吸い込まれ、加湿ロータ５１のうちの加熱装置５２と対向しない部分を通過し、ベルマウス５７の開口を通り、吸着用空気吹き出し口７ａから室外へ排出される空気の流れを生成する。
【００５８】
吸排気切り換えダンパ５３は、吸排気ダンパと、吸排気ダンパを回転させるための第１駆動モータ５３ａ（図７参照）とを含む、回転式の空気流路切換機構である。また、吸排気切り換えダンパ５３は、加湿ファン５４の下方に配置される。さらに、吸排気切り換えダンパ５３では、第１駆動モータ５３ａが吸排気ダンパを回転させることで、給気状態と排気状態とが切り換えられる。給気状態では、加湿ファン５４によって、加湿ユニット４側から室内機本体１８ａ，１８ｂ側に向かう空気流が生成される。また、排気状態では、加湿ファン５４によって、室内機本体１８ａ，１８ｂ側から加湿ユニット４側に向かう空気流が生成される。
【００５９】
また、加湿ユニット４は、吸排気ダクト５８と吸排気ホース６ａ，６ｂとの間に配置される空気流路切り換え部３０を備えている。以下に、空気流路切り換え部３０について説明する。
【００６０】
＜空気流路切り換え部の構成＞
空気流路切り換え部３０は、図１および図２に示すように、吸排気ダクト５８および吸排気ホース６ａ，６ｂに接続される回転式の空気流路切り換え手段である。また、空気流路切り換え部３０は、加湿ユニットケーシング７の内側に配置されている。
【００６１】
空気流路切り換え部３０は、図５および図６に示すように、切り換え部ケーシング３１と、ダンパ３２とを有している。切り換え部ケーシング３１は、第１切り換え部ケーシング３３と第２切り換え部ケーシング３４とから構成されている。第１切り換え部ケーシング３３は、図５（ｂ）および図６（ｂ）に示すように、略円筒形状を有しており、上側および下側が開口している。なお、本実施形態における「上下」は、図５（ｂ）および図６（ｂ）における上下を意味している。また、第２切り換え部ケーシング３４は、略円形状の部材であり、その面積は第１切り換え部ケーシング３３の下側の開口の面積と略同一である。また、第２切り換え部ケーシング３４には、第１開口３５ａと第２開口３５ｂとが設けられている。なお、第１開口３５ａの面積と第２開口３５ｂの面積とは同一である。また、第１開口３５ａおよび第２開口３５ｂの面積は、第１切り換え部ケーシング３３の上側の開口の面積よりも小さい。さらに、第１開口３５ａの周辺部から下方に第１接続部が延びており、第２開口３５ｂの周辺部から下方に第２接続部が延びている。また、空気流路切り換え部３０は、切り換え部ケーシング３１の上側に設けられている開口を介して吸排気ダクト５８と接続されている。さらに、空気流路切り換え部３０は、第２切り換え部ケーシング３４の第１開口３５ａを介して第１吸排気ホース６ａと接続されており、第２切り換え部ケーシング３４の第２開口３５ｂを介して第２吸排気ホース６ｂと接続されている。
【００６２】
ダンパ３２は、略半円形状の板状部材であり、第２切り換え部ケーシング３４に回転可能に取り付けられている。なお、ダンパ３２は、第２駆動モータ３０ａ（図７参照）が駆動することによって回転する。また、空気流路切り換え部３０は、ダンパ３２が回転することによって、第１切り換え状態または第２切り換え状態に切り換わることが可能である。以下、第１切り換え状態および第２切り換え状態について図５および図６を用いて説明する。
【００６３】
第１切り換え状態とは、図５（ａ）に示すように、第２切り換え部ケーシング３４に設けられている第２開口３５ｂを覆うように、ダンパ３２が配置されている状態である。また、第１開口３５ａは、開放された状態となる。このため、切り換え部ケーシング３１は、上側で吸排気ダクト５８と接続されており、下側で第１開口３５ａが開放されることで第１吸排気ホース６ａと接続されている状態となる。したがって、吸排気ダクト５８と、第１吸排気ホース６ａとが連通している状態となる。
【００６４】
これによって、吸排気切り換えダンパ５３が給気状態であり、かつ、空気流路切り換え部３０が第１切り換え状態である場合には、図５（ｂ）の矢印で示すように、吸排気ダクト５８を通ってきた空気が、切り換え部ケーシング３１内部を介して、第１開口３５ａから第１吸排気ホース６ａに流れる。また、吸排気切り換えダンパ５３が排気状態であり、かつ、空気流路切り換え部３０が第１切り換え状態である場合には、第１室内機本体１８ａに吸い込まれた第１部屋１ａ内の空気が、第１吸排気ホース６ａを通り、切り換え部ケーシング３１内部を通って、吸排気ダクト５８を介して吸排気口７ｃから室外に排出される。
【００６５】
第２切り換え状態とは、図６（ａ）に示すように、第２切り換え部ケーシング３４に設けられている第１開口３５ａを覆うように、ダンパ３２が配置されている状態である。また、第２開口３５ｂは、開放された状態となる。このため、切り換え部ケーシング３１は、上側で吸排気ダクト５８と接続されており、下側で第２開口３５ｂが開放されることで第２吸排気ホース６ｂと接続されている状態となる。したがって、吸排気ダクト５８と、第２吸排気ホース６ｂとが連通している状態となる。
【００６６】
これによって、吸排気切り換えダンパ５３が給気状態であり、かつ、空気流路切り換え部３０が第２切り換え状態の場合には、図６（ｂ）の矢印で示すように、吸排気ダクト５８を通ってきた空気が、切り換え部ケーシング３１内部を介して、第２開口３５ｂから第２吸排気ホース６ｂに流れる。また、吸排気切り換えダンパ５３が排気状態であり、かつ、空気流路切り換え部３０が第２切り換え状態の場合には、第２室内機本体１８ｂに吸い込まれた第２部屋２ａ内の空気が、第２吸排気ホース６ｂを通り、切り換え部ケーシング３１内部を通って、吸排気ダクト５８を介して吸排気口７ｃから室外に排出される。
【００６７】
また、第２駆動モータ３０ａの駆動は、切り換え制御部６６によって制御されている。以下に、切り換え制御部６６を備える制御装置６０について説明する。
【００６８】
＜制御装置＞
制御装置６０は、図７に示すように、室内ファン１２ａ，１２ｂ、室内熱交換器１１ａ，１１ｂ、他室加湿運転報知ＬＥＤ発光素子１３ａ，１３ｂを含むＬＥＤ発光素子、圧縮機２１、四路切換弁２２、室外ファン２９、室外熱交換器２４、室外膨張弁２５ａ，２５ｂ、加湿ロータ５１、第１駆動モータ５３ａ、吸着用送風装置５５、加熱装置５２および第２駆動モータ３０ａ等の各種機器と接続されている。また、制御装置６０は、通信部６７を備えている。通信部６７は、リモコン８０ａ，８０ｂから送信される冷房運転や暖房運転等の通常運転や加湿運転等の各種運転モードの制御信号を受信する。
【００６９】
また、制御装置６０は、通常運転制御部６１と、加湿運転制御部６２とを備えている。通常運転制御部６１は、リモコン８０ａ，８０ｂから送信される制御信号に基づいて、空気調和機１００において冷房運転や暖房運転等を含む通常運転が行われるように、空気調和機１００の各種機器の動作制御を行う。また、加湿運転制御部６２は、リモコン８０ａ，８０ｂから送信される制御信号に基づいて、空気調和機１００において加湿運転が行われるように、空気調和機１００の各種機器の動作制御を行う。
【００７０】
さらに、加湿運転制御部６２は、優先供給機決定部６５を備えている。優先供給機決定部６５は、ユーザによって第１リモコン８０ａの有する第１加湿空気供給スイッチ８１ａが押されることによって送信される第１部屋１ａ内に加湿空気を供給するという指示である第１加湿指示の制御信号、および、ユーザによって第２リモコン８０ｂの有する第２加湿空気供給スイッチ８１ｂが押されることによって送信される第２部屋１ｂ内に加湿空気を供給するという指示である第２加湿指示の制御信号が通信部６７において受信された順に応じて優先度を決定する。また、優先供給機決定部６５は、優先度に基づいて、優先して加湿空気が供給される室内機本体である優先供給機（第１供給機に相当）を１台決定する。また、優先供給機決定部６５は、優先供給機以外の室内機本体を非優先供給機（第２供給機に相当）に決定する。このため、第１室内機本体１８ａまたは第２室内機本体１８ｂのうちのいずれか一方が優先供給機に決定され、他方が非優先供給機に決定される。
【００７１】
例えば、通信部６７において第１加湿指示が受信された後に第２加湿指示が受信された場合、優先供給機決定部６５は、第１加湿指示を優先度「高」と決定し、第２加湿指示を優先度「低」と決定する。そして、優先供給機決定部６５は、優先度が「高」である第１室内機本体１８ａを優先供給機に決定し、優先度が「低」である第２室内機本体１８ｂを非優先供給機に決定する。
【００７２】
また、例えば、通信部６７において第２加湿指示が受信された後に第１加湿指示が受信された場合、優先供給機決定部６５は、第２加湿指示を優先度「高」と決定し、第１加湿指示を優先度「低」と決定する。そして、優先供給機決定部６５は、優先度が「高」である第２室内機本体１８ｂを優先供給機に決定し、優先度が「低」である第１室内機本体１８ａを非優先供給機に決定する。
【００７３】
さらに、加湿運転制御部６２は、切り換え制御部６６を備えている。切り換え制御部６６は、算出部６８を有している。算出部６８は、第１室内機２ａにおいて、ユーザによって予め設定されている設定湿度値から第１部屋１ａ内の湿度を測定するための第１湿度センサ７０ａの計測値である第１計測値を差し引いた値である第１加湿環境値を算出する。また、算出部６８は、第２室内機２ｂにおいて、ユーザによって予め設定されている設定湿度値から第２部屋１ｂ内の湿度を測定するための第２湿度センサ７０ｂの計測値である第２計測値を差し引いた値である第２加湿環境値を算出する。
【００７４】
また、切り換え制御部６６は、判定部６９を有している。判定部６９は、第１条件および第２条件が満たされているか否かを判定する。第１条件には、第１非優先供給機切り換え条件（第１切り換え条件に相当）、第２非優先機切り換え条件（第３切り換え条件に相当）、および、第３非優先機切り換え条件（第４切り換え条件に相当）が含まれる。また、第２条件には、第１優先供給機切り換え条件（第２切り換え条件に相当）、および、第２優先機切り換え条件（第５切り換え条件に相当）が含まれる。なお、第１条件および第２条件は、制御装置６０の備える記憶部６３に記憶されている。
【００７５】
第１非優先供給機切り換え条件とは、優先供給機が設置されている部屋（第１エリアに相当、以下、優先供給部屋という）における加湿環境値ΔＨａが第１判定値ＤＨｓ（第１所定値に相当）未満であるという条件である。
【００７６】
第２非優先供給機切り換え条件とは、非優先供給機が設置されている部屋（第２エリアに相当、以下、非優先供給部屋という）における加湿環境値ΔＨｂが第１判定値ＤＨｓから所定値ｄＤＨを差し引いた値である第２判定値（第３所定値に相当）以上であるという条件である。
【００７７】
第３非優先供給機切り換え条件とは、優先供給部屋への加湿空気の供給が開始されてから、すなわち、優先供給機によって優先供給部屋の加湿が開始されてから所定の第１時間（例えば、１０分）経過しているという条件である。
【００７８】
第１優先供給機切り換え条件とは、優先供給部屋における加湿環境値ΔＨａが、第２判定値（第２所定値に相当）以上であるという条件である。
【００７９】
第２優先供給機切り換え条件とは、非優先供給部屋への加湿空気の供給が開始されてから、すなわち、非優先供給機によって非優先供給部屋の加湿が開始されてから所定の第２時間（例えば、１分）経過しているという条件である。
【００８０】
また、判定部６９は、第１非優先供給機切り換え条件、第２非優先供給機切り換え条件および第３非優先供給機切り換え条件のうちのすべての条件が満たされた場合に、第１条件が満たされていると判定する。また、判定部６９が第１条件を判定するタイミングとしては、優先供給部屋への加湿空気の供給が開始されてから所定の第１時間が経過したときに１度目の判定が行われ、第３非優先供給機切り換え条件が満たされていると判定されてからは所定の第３時間（例えば、１分）毎に判定が行われる。
【００８１】
さらに、判定部６９は、第１優先供給機切り換え条件および第２優先供給機切り換え条件のいずれもが満たされていると判定された場合に、第２条件が満たされていると判定する。また、判定部６９が第２条件を判定するタイミングとしては、非優先供給部屋への加湿空気の供給が開始されてから所定の第２時間が経過したときに１度目の判定が行われ、第２優先供給機切り換え条件が満たされていると判定されてからは所定の第４時間（例えば、３０秒）毎に行われる。
【００８２】
なお、所定の第１時間と所定の第２時間とは、異なっていてもよく、同じでもよい。また、所定の第２時間を短時間にするほど、優先供給機に優先して加湿空気を供給することができる。さらに、所定の第３時間と所定の第４時間とは、異なっていてもよく、同じでもよい。また、所定の第４時間を短時間にすればするほど、優先供給機に優先して加湿空気を供給することができる。
【００８３】
さらに、切り換え制御部６６は、第１優先供給機切り換え制御（第１制御に相当）と、非優先供給機切り換え制御（第２制御に相当）と、第２優先供給機切り換え制御（第３制御に相当）とを行う。
【００８４】
第１優先供給機切り換え制御とは、ユーザからの第１加湿指示または第２加湿指示のうち通信部６７が先に受信した方の加湿指示が為された室内機、すなわち、優先供給機のみに加湿空気が供給されるように、空気流路切り換え部３０の状態を切り換える制御のことである。
【００８５】
非優先供給機切り換え制御とは、第１優先供給機切り換え制御が行われた後であって、判定部６９において第１条件が満たされていると判定された場合に、非優先供給機にのみ加湿空気が供給されるように、空気流路切り換え部３０を切り換える制御のことである。
【００８６】
第２優先供給機切り換え制御とは、非優先供給機切り換え制御が行われた後であって、判定部６９において第２条件が満たされていると判定された場合に、優先供給機にのみ加湿空気が供給されるように、空気流路切り換え部３０の状態を切り換える制御のことである。
【００８７】
また、表示制御部６４は、加湿空気が優先供給機に供給されているときは常に非優先供給機の他室加湿運転報知ＬＥＤ発光素子１３ａ，１３ｂが点灯するように、他室加湿運転報知ＬＥＤ発光素子１３ａ，１３ｂの動作を制御する。また、表示制御部６４は、加湿空気が非優先供給機供給されているときは、非優先供給機の他室加湿運転報知ＬＥＤ発光素子１３ａ，１３ｂが消灯するように、他室加湿運転報知ＬＥＤ発光素子１３ａ，１３ｂの動作を制御する。
【００８８】
＜加湿運転制御部による制御動作＞
次に、加湿運転制御部６２による制御動作について図８、図９および図１０を用いて説明する。なお、以下の説明では、加湿空気供給スイッチ８１ａ，８１ｂがユーザによって押されておらず、加湿ユニット４から第１室内機本体１８ａまたは第２室内機本体１８ｂに加湿空気が供給されていないものとする。
【００８９】
ユーザによって第１加湿空気供給スイッチ８１ａが押されると、第１室内機本体１８ａへの加湿空気の供給指示、すなわち、第１加湿指示の制御信号を通信部６７が受信する。通信部６７において第１加湿指示の制御信号が受信されると、加湿運転制御部６２によって第１室内機本体１８ａ、室外空調ユニット５および加湿ユニット４の各種機器が制御されるとともに、切り換え制御部６６によって空気流路切り換え部３０の状態が第１切り換え状態となるように空気流路切り換え部３０が制御される第１優先供給機切り換え制御が行われる。そして、第１室内機本体１８ａに加湿空気が供給される。
【００９０】
その後、ユーザによって第２加湿空気供給スイッチ８１ｂが押されると、第２室内機本体１８ｂへの加湿空気の供給指示、すなわち、第２加湿指示の制御信号を通信部６７が受信する。通信部６７において第２加湿指示の制御信号が受信されると、優先供給機決定部６５によって、第１室内機本体１８ａが優先供給機に決定され、第２室内機本体１８ｂが非優先供給機に決定される（ステップＳ１）。また、優先供給機決定部６５によって第２室内機本体１８ｂが非優先供給機に決定されると、表示制御部６４によって第２室内機本体１８ｂの有する第２他室加湿運転報知ＬＥＤ発光素子１３ｂが点灯するように、第２他室加湿運転報知ＬＥＤ発光素子１３ｂの動作を制御される。
【００９１】
さらに、優先供給機決定部６５によって優先供給機および非優先供給機が決定されると、切り換え制御部６６の有する判定部６９によって第１条件が満たされているか否かが判定される（ステップＳ２からステップＳ５）。判定部６９による第１条件が満たされているか否かの判定は、第１非優先供給機切り換え条件、第２非優先供給機切り換え条件、および、第３非優先供給機切り換え条件のうちのすべての条件が満たされるまで繰り返される。また、判定部６９によって第１条件が満たされていないと判定された場合、判定部６９によって第１条件が満たされていると判定されるまで、空気流路切り換え部３０において第１切り換え状態が維持される。なお、この場合、優先供給機が第１室内機本体１８ａであるため、第１部屋１ａにおける第１加湿環境値が優先供給部屋における加湿環境値ΔＨａに相当する。また、非優先供給機が第２室内機本体１８ｂであるため、第２部屋１ｂにおける第２加湿環境値が非優先供給部屋における加湿環境値ΔＨｂに相当する。
【００９２】
判定部６９によって第１条件が満たされていると判定された場合、切り換え制御部６６は、空気流路切り換え部３０の状態が第１切り換え状態から第２切り換え状態に切り換わるように空気流路切り換え部３０を制御する非優先供給機切り換え制御を行う（ステップＳ６）。また、非優先供給機切り換え制御が行われると、表示制御部６４によって第２室内機本体１８ｂの有する第２他室加湿運転報知ＬＥＤ発光素子１３ｂが消灯するように、第２他室加湿運転報知ＬＥＤ発光素子１３ｂの動作が制御される。
【００９３】
さらに、非優先供給機切り換え制御が行われると、判定部６９によって、第２条件が満たされているか否かが判定される（ステップＳ７からステップＳ９）。判定部６９による第２条件が満たされているか否かの判定は、第１優先供給機切り換え条件、および、第２優先供給機切り換え条件が満たされるまで繰り返される。また、判定部６９によって第２条件が満たされていないと判定された場合、判定部６９によって第２条件が満たされていると判定されるまで、空気流路切り換え部３０において第２切り換え状態が維持される。
【００９４】
判定部６９によって第２条件が満たされていると判定された場合、切り換え制御部６６は、空気流路切り換え部３０の状態が第２切り換え状態から第１切り換え状態に切り換わるように空気流路切り換え部３０を制御する第２優先供給機切り換え制御を行う（ステップＳ１０）。また、第２優先供給機切り換え制御が行われると、表示制御部６４によって第２室内機本体１８ｂの有する第２他室加湿運転報知ＬＥＤ発光素子１３ｂが点灯するように、第２他室加湿運転報知ＬＥＤ発光素子１３ｂの動作が制御される。
【００９５】
さらに、第２優先供給機切り換え制御が行われると、加湿運転制御部６２は、ステップＳ２からステップＳ１０の制御を繰り返して行う。また、切り換え制御部６６による空気流路切り換え部３０の制御は、ユーザからリモコン８０ａ，８０ｂ等を介して加湿運転停止の制御指令が送信されるまで継続される。
【００９６】
また、ユーザによって第２加湿空気供給スイッチ８１ｂが押されると、第２室内機本体１８ｂへの加湿空気の供給指示、すなわち、第２加湿指示の制御信号を通信部６７が受信する。通信部６７において第２加湿指示の制御信号が受信されると、加湿運転制御部６２によって第２室内機本体１８ｂ、室外空調ユニット５および加湿ユニット４の各種機器が制御されるとともに、切り換え制御部６６によって空気流路切り換え部３０の状態が第２切り換え状態となるように空気流路切り換え部３０が制御される第１優先供給機切り換え制御が行われる。そして、第２室内機本体１８ｂに加湿空気が供給される。
【００９７】
その後、ユーザによって第１加湿空気供給スイッチ８１ａが押されると、第１室内機本体１８ａへの加湿空気の供給指示、すなわち、第１加湿指示の制御信号を通信部６７が受信する。通信部６７において第１加湿指示の制御信号が受信されると、優先供給機決定部６５によって、第２室内機本体１８ｂが優先供給機に決定され、第１室内機本体１８ａが非優先供給機に決定される（ステップＳ１）。また、優先供給機決定部６５によって第１室内機本体１８ａが非優先供給機に決定されると、表示制御部６４によって第１室内機本体１８ａの有する第１他室加湿運転報知ＬＥＤ発光素子１３Ａが点灯するように、第１他室加湿運転報知ＬＥＤ発光素子１３ａの動作を制御される。
【００９８】
さらに、優先供給機決定部６５によって優先供給機および非優先供給機が決定されると、切り換え制御部６６の有する判定部６９によって第１条件が満たされているか否かが判定される（ステップＳ２からステップＳ５）。判定部６９による第１条件が満たされているか否かの判定は、第１非優先供給機切り換え条件、第２非優先供給機切り換え条件、および、第３非優先供給機切り換え条件のうちのすべての条件が満たされるまで繰り返される。また、判定部６９によって第１条件が満たされていないと判定された場合、判定部６９によって第１条件が満たされていると判定されるまで、空気流路切り換え部３０において第２切り換え状態が維持される。なお、この場合、優先供給機が第２室内機本体１８ｂであるため、第２部屋１ｂにおける第２加湿環境値が優先供給部屋における加湿環境値ΔＨａに相当する。また、非優先供給機が第１室内機本体１８ａであるため、第１部屋１ａにおける第１加湿環境値が非優先供給部屋における加湿環境値ΔＨｂに相当する。
【００９９】
判定部６９によって第１条件が満たされていると判定された場合、切り換え制御部６６は、空気流路切り換え部３０の状態が第２切り換え状態から第１切り換え状態に切り換わるように空気流路切り換え部３０を制御する非優先供給機切り換え制御を行う（ステップＳ６）。また、非優先供給機切り換え制御が行われると、表示制御部６４によって第１室内機本体１８ａの有する第１他室加湿運転報知ＬＥＤ発光素子１３ａが消灯するように、第１他室加湿運転報知ＬＥＤ発光素子１３ａの動作が制御される。
【０１００】
さらに、非優先供給機切り換え制御が行われると、判定部６９によって、第２条件が満たされているか否かが判定される（ステップＳ７からステップＳ９）。判定部６９による第２条件が満たされているか否かの判定は、第１優先供給機切り換え条件、および、第２優先供給機切り換え条件が満たされるまで繰り返される。また、判定部６９によって第２条件が満たされていないと判定された場合、判定部６９によって第２条件が満たされていると判定されるまで、空気流路切り換え部３０において第１切り換え状態が維持される。
【０１０１】
判定部６９によって第２条件が満たされていると判定された場合、切り換え制御部６６は、空気流路切り換え部３０の状態が第１切り換え状態から第２切り換え状態に切り換わるように空気流路切り換え部３０を制御する第２優先供給機切り換え制御を行う（ステップＳ１０）。また、第２優先供給機切り換え制御が行われると、表示制御部６４によって第１室内機本体１８ａの有する第１他室加湿運転報知ＬＥＤ発光素子１３ａが点灯するように、第１他室加湿運転報知ＬＥＤ発光素子１３ａの動作が制御される。
【０１０２】
さらに、第２優先供給機切り換え制御が行われると、加湿運転制御部６２は、ステップＳ２からステップＳ１０の制御を繰り返して行う。また、切り換え制御部６６による空気流路切り換え部３０の制御は、ユーザからリモコン８０ａ，８０ｂ等を介して加湿運転停止の制御指令が送信されるまで継続される。
【０１０３】
＜特徴＞
（１）
従来より、複数の部屋を１台の換気装置を用いて換気することができる多室換気装置や多室換気システムがある。例えば、特開平１１−３１１４３５号公報に開示されている多室換気装置では、送風機を有する本体（換気装置に相当）と、本体に接続されているチャンバーとを備えている。チャンバーには、部屋内の空気を吸引するための吸込口が、換気を行う部屋の数に相当する数だけ設けられている。また、チャンバーは、複数の吸込口を独立して開閉可能なダンパを有している。この多室換気装置では、それぞれのダンパを独立して稼働させることで、それぞれの部屋内の換気を独立して行うことができる。このようにして、この多室換気装置では、１台の本体を用いて、複数の部屋の換気を行っている。また、特開平５−２２３２９８号公報に開示されている多室換気システムでは、１台の換気装置と、換気装置に接続されている主ダクトと、主ダクトから複数の部屋内に分岐して配置されている複数の分岐ダクトとを備えている。この各分岐ダクトは、各部屋内から空気を取り込むための空気取込口を開閉するダンパをそれぞれ有している。この多室換気システムでは、各ダンパの稼働台数に基づいて必要な換気風量が決定されており、この決定された換気風量に応じて換気装置を稼働させている。このようにして、この多室換気システムでは、１台の換気装置を用いて、複数の部屋の換気を行っている。
【０１０４】
ところで、室内機に加湿空気を供給する加湿機能を有する加湿装置に複数の室内機が接続されている空気調和機の場合、上述のような多室換気装置や多室換気システムを利用して、複数の部屋内に加湿空気を供給することが考えられる。
【０１０５】
しかしながら、１つの部屋を加湿するために必要な加湿能力を有しているが複数の部屋を加湿するために必要な加湿能力を有していないような加湿装置に、上述のような多室換気装置や多室換気システムを対応させた場合、複数の部屋に居るユーザから同時に加湿空気の供給が要求されると、加湿空気を各部屋に分散して供給することになる。このため、加湿空気が各部屋に十分に供給されないために、ユーザに対して不快感を与えるおそれがある。
【０１０６】
そこで、上記実施形態では、切り換え制御部６６によって、第１優先供給機切り換え制御、非優先供給機切り換え制御、および、第２優先供給機切り換え制御が行われる。また、第１優先供給機切り換え制御、非優先供給機切り換え制御、および、第２優先供給機切り換え制御が行われることによって、加湿ユニット４から優先供給機または非優先供給機、すなわち、第１室内機本体１８ａまたは第２室内機本体１８ｂのいずれか一方の室内機本体に加湿空気が供給されるように、空気流路切り換え部３０の状態が切り換えられる。このため、１つの部屋内を加湿するために必要な加湿能力を有しているが複数の部屋内を加湿するために必要な加湿能力を有していないような小型の加湿ユニット４に対応させた場合でも、各室内機本体１８ａ，１８ｂに十分な加湿空気を供給することができる。したがって、各部屋１ａ，１ｂを加湿することができる。
【０１０７】
これによって、ユーザに対して不快感を与えるおそれを減らすことができている。
【０１０８】
また、上記実施形態では、切り換え制御部６６によって、第１優先供給機切り換え制御と、非優先供給機切り換え制御と、第２優先供給機切り換え制御とが行われている。このため、先に加湿空気の加湿指示が為された室内機に対して優先的に加湿空気が供給される。したがって、優先供給機に対して優先的に加湿空気が供給されることで、ユーザに対して不快感を与えるおそれを減らすことができるため、ユーザに受け入れられやすい空気調和機を提供することができる。
【０１０９】
さらに、上記実施形態では、１つの部屋内を加湿するために必要な加湿能力を有しているが、複数の部屋内を加湿するために必要な加湿能力を有していないような小型の加湿ユニット４が適用されているため、加湿ユニット４のサイズの増加を抑えることができている。このため、室外機３のサイズの増加を抑えることができている。
【０１１０】
（２）
上記実施形態では、第１条件として優先供給部屋における加湿環境値に基づいて判断される第１非優先供給機切り換え条件が含まれており、第２条件として優先供給部屋における加湿環境値に基づいて判断される第１優先供給機切り換え条件が含まれている。このため、優先供給部屋内の加湿環境値に基づいて、空気流路切り換え部３０の状態が切り換えられる。したがって、優先供給部屋の加湿が不十分となるおそれを減らすことができる。
【０１１１】
これによって、ユーザに不快感を与えるおそれを減らすことができている。
【０１１２】
（３）
上記実施形態では、第１条件として第１非優先供給機切り換え条件の他に、非優先供給部屋における加湿環境値に基づいて判断される第２非優先供給機切り換え条件、および、優先供給部屋への加湿空気の供給時間に基づいて判断される第３非優先供給機切り換え条件が含まれている。このため、優先供給部屋内および非優先供給部屋内の加湿環境値および優先供給部屋における加湿時間に基づいて、空気流路切り換え部３０の状態が切り換えられる。
【０１１３】
これによって、優先供給部屋および非優先供給部屋に対して、十分に加湿空気を供給することができる。
【０１１４】
（４）
上記実施形態では、第２条件として、第１優先供給機切り換え条件の他に、非優先供給部屋への加湿空気の供給時間に基づいて判断される第２優先供給機切り換え条件が含まれている。このため、第２条件として第１優先供給機切り換え条件のみが含まれている場合と比較して、非優先供給部屋に対して加湿空気を供給することができている。
【０１１５】
（５）
上記実施形態では、表示制御部６４が、加湿空気が優先供給機に供給されているときは常に非優先供給機の他室加湿運転報知ＬＥＤ発光素子が点灯するように、他室加湿運転報知ＬＥＤ発光素子の動作を制御する。このため、非優先供給部屋内への加湿空気の供給指示をしたユーザに対して、優先供給部屋内に加湿空気が供給されていることを認識させやすくすることができる。したがって、優先供給部屋内に加湿空気が供給されているために非優先供給機内に加湿空気が供給されない場合でも、加湿指示をしたユーザに対して不快感を与えるおそれを少なくすることができている。
【０１１６】
（６）
上記実施形態では、優先供給機決定部６５は、第１加湿指示の制御信号、および、第２加湿指示の制御信号が通信部６７において受信された順に応じて優先度を決定する。さらに、優先供給機決定部６５は、優先度に基づいて、優先して加湿空気が供給される室内機である優先供給機を１台決定する。このため、この空気調和機１００では、第１室内機本体１８ａまたは第２室内機本体１８ｂのうちのいずれか一方を優先供給機に決定することができ、かつ、他方を非優先供給機に決定することができる。
【０１１７】
＜変形例＞
（Ａ）
上記実施形態では、優先供給機に加湿空気が供給されている時には、常に非優先供給機の他室加湿運転報知が点灯するように、表示制御部６４がＬＥＤ発光素子の動作を制御している。このようにして、この空気調和機１００では、優先供給機に加湿空気が供給されている間は、優先供給機に加湿空気を供給中であることを非優先供給機の表示部１７ａ，１７ｂから報知している。
【０１１８】
これに代えて、優先供給機に加湿空気を供給中であることが、非優先供給機の備えるリモコンや室内機本体等の有する液晶表示部によって、報知されてもよい。
【０１１９】
例えば、制御装置の通信部から送信された情報の内容やメッセージ等を表示することができる液晶表示部を有するリモコンを備える空気調和機について説明する。なお、液晶表示部に表示されるメッセージ等の表示は、制御装置の有する表示制御部によって制御される。
【０１２０】
表示制御部は、優先供給機に加湿空気が供給されている場合には、非優先供給機の液晶表示部に「他室加湿運転中」というメッセージが表示されるように、非優先供給機の液晶表示部の表示動作を制御する。また、表示制御部は、非優先供給機に加湿空気が供給されている場合には、非優先供給機の液晶表示部に「他室加湿運転中」というメッセージが表示されないように、非優先供給機の液晶表示部の表示動作を制御する。
【０１２１】
このように、優先供給機に加湿空気を供給中であることをリモコンの液晶表示部にメッセージとして表示することによって、室内機本体の表示部において報知される場合と比較して、ユーザに認識させやすくすることができる。
【０１２２】
（Ｂ）
上記実施形では、１台の室外機３と、２台の室内機２ａ，２ｂとが冷媒配管によって並列に接続されている。
【０１２３】
これに代えて、１台の室外機に、冷媒配管によって複数台の室内機が並列に接続されていてもよい。
【０１２４】
例えば、１台の室外機１０３と、３台の室内機１０２ａ，１０２ｂ，１０２ｃとが冷媒配管によって並列に接続されている空気調和機２００を例として説明する。なお、この空気調和機２００において、室内機１０２ａ，１０２ｂ，１０２ｃ、加湿ユニット本体（図示せず）および室外空調ユニット１０５の構成は、上記実施形態と同様の構成であるため、説明を省略する。
【０１２５】
この空気調和機２００は、図１１に示すように、それぞれの室内機本体１１８ａ，１１８ｂ，１１８ｃと加湿ユニット１０４との間に、それぞれの室内機本体１１８ａ，１１８ｂ，１１８ｃの内部空間と加湿ユニット１０４の内部空間とを連通させることが可能な吸排気ホース１０６ａ，１０６ｂ，１０６ｃが設けられている。また、吸排気ホース１０６ａ，１０６ｂ，１０６ｃは、空気流路切り換え部１３０を介して吸排気ダクト１５８に接続されている。
【０１２６】
また、空気流路切り換え部３０は、図１１に示すように、吸排気ダクト１５８および吸排気ホース１０６ａ，１０６ｂ，１０６ｃに接続される回転式の空気流路切り換え手段である。また、空気流路切り換え部１３０は、加湿ユニットケーシングの内側に配置されている。
【０１２７】
空気流路切り換え部１３０は、図１２に示すように、切り換え部ケーシング１３１と、ダンパ１３２とを有している。切り換え部ケーング１３１は、第１切り換え部ケーシング１３３と第２切り換え部ケーシング１３４とから構成されている。第１切り換え部ケーシング１３３は、図１２（ｂ）に示すように、略円筒形状を有しており、上側および下側が開口している。なお、本実施形態における「上下」は、図１２（ｂ）における上下を意味している。また、第２切り換え部ケーシング１３４は、略円形状の部材であり、その面積は第１切り換え部ケーシング１３３の下側の開口の面積と略同一である。また、第２切り換え部ケーシング１３４には、第１開口１３５ａと第２開口１３５ｂと第３開口１３５ｃとが設けられている。なお、第１開口１３５ａの面積と第２開口１３５ｂの面積と第３開口１３５ｃとはそれぞれ同一である。また、第１開口１３５ａ、第２開口１３５ｂおよび第３開口１３５ｃの面積は、第１切り換え部ケーシング１３３の上側の開口の面積よりも小さい。さらに、第１開口１３５ａの周辺部から下方に第１接続部が延びており、第２開口１３５ｂの周辺部から下方に第２接続部が延びており、第３開口１３５ｃの周辺部から下方に第３接続部が延びている。また、切り換え部ケーシング１３１は、上側の開口を介して吸排気ダクト１５８と接続されており、下側の第１開口１３５ａを介して第１吸排気ホース１０６ａと接続されており、第２開口１３５ｂを介して第２吸排気ホース１０６ｂと接続されおり、第３開口１３５ｃを介して第３吸排気ホース１０６ｃと接続されている。
【０１２８】
ダンパ１３２は、板状部材であり、第２切り換え部ケーシング１３４に回転可能に取り付けられている。なお、ダンパ１３２は、第２駆動モータ（図示せず）が駆動することによって回転する。また、空気流路切り換え部３０は、ダンパ３２が回転することによって、第１切り換え状態、第２切り換え状態および第３切り換え状態に切り換わることが可能である。以下、第１切り換え状態、第２切り換え状態および第３切り換え状態について説明する。
【０１２９】
第１切り換え状態とは、第２切り換え部ケーシング１３４に設けられている第２開口１３５ｂおよび第３開口１３５ｃを覆うように、ダンパ１３２が配置されている状態である。また、第１開口１３５ａは、開放された状態となる。このため、切り換え部ケーシング１３１は、上側で吸排気ダクト１５８と接続されており、下側で第１開口１３５ａが開放されることで第１吸排気ホース１０６ａと接続されている状態となる。したがって、吸排気ダクト１５８と、第１吸排気ホース１０６ａとが連通している状態になる。
【０１３０】
これによって、吸排気切り換えダンパが給気状態であり、かつ、空気流路切り換え部１３０が第１切り換え状態である場合には、吸排気ダクト１５８を通ってきた空気が、切り換え部ケーシング１３１内部を介して、第１開口１３５ａから第１吸排気ホース１０６ａに流れる。また、吸排気切り換えダンパが排気状態であり、かつ、空気流路切り換え部１３０が第１切り換え状態である場合には、第１室内機本体１１８ａに吸い込まれた第１部屋１０１ａ内の空気が、第１吸排気ホース１０６ａを通り、切り換え部ケーシング１３１内部を通って、吸排気ダクト１５８を介して吸排気口１０７ｃから室外に排出される。
【０１３１】
第２切り換え状態とは、図１２（ａ）に示すように、第２切り換え部ケーシング１３４に設けられている第１開口１３５ａおよび第３開口１３５ｃを覆うように、ダンパ１３２が配置されている状態である。また、第２開口１３５ｂは、開放された状態となる。このため、切り換え部ケーシング１３１は、上側で吸排気ダクト１５８と接続されており、下側で第２開口１３５ｂが開放されることで第２吸排気ホース１０６ｂと接続されている状態となる。したがって、吸排気ダクト１５８と、第２吸排気ホース１０６ｂとが連通している状態になる。
【０１３２】
これによって、吸排気切り換えダンパが給気状態であり、かつ、空気流路切り換え部１３０が第２切り換え状態である場合には、図１２（ｂ）の矢印で示すように、吸排気ダクト１５８を通ってきた空気が、切り換え部ケーシング１３１内部を介して、第２開口１３５ｂから第２吸排気ホース１０６ｂに流れる。また、吸排気切り換えダンパが排気状態であり、かつ、空気流路切り換え部１３０が第２切り換え状態である場合には、第２室内機本体１１８ｂに吸い込まれた第２部屋１０１ｂ内の空気が、第２吸排気ホース１０６ｂを通り、切り換え部ケーシング１３１内部を通って、吸排気ダクト１５８を介して吸排気口１０７ｃから室外に排出される。
【０１３３】
第３切り換え状態とは、第２切り換え部ケーシング１３４に設けられている第１開口１３５ａおよび第２開口１３５ｂを覆うように、ダンパ１３２が配置されている状態である。また、第３開口１３５ｃは、開放された状態となる。このため、切り換え部ケーシング１３１は、上側で吸排気ダクト１５８と接続されており、下側で第３開口１３５ｃが開放されることで第３吸排気ホース１０６ｃと接続されている状態となる。したがって、吸排気ダクト１５８と、第３吸排気ホース１０６ｃとが連通している状態になる。
【０１３４】
これによって、吸排気切り換えダンパが給気状態であり、かつ、空気流路切り換え部１３０が第３切り換え状態である場合には、吸排気ダクト１５８を通ってきた空気が、切り換え部ケーシング１３１内部を介して、第３開口１３５ｃから第３吸排気ホース１０６ｃに流れる。また、吸排気切り換えダンパが排気状態であり、かつ、空気流路切り換え部１３０が第３切り換え状態である場合には、第３室内機本体１１８ｃに吸い込まれた第３部屋１０１ｃ内の空気が、第３吸排気ホース１０６ｃを通り、切り換え部ケーシング１３１内部を通って、吸排気ダクト１５８を介して吸排気口１０７ｃから室外に排出される。
【０１３５】
また、第２駆動モータの駆動は、切り換え制御部によって制御されている。以下に、切り換え制御部を備える制御装置について説明する。
【０１３６】
＜制御装置＞
制御装置は、室内ファン、室内熱交換器、他室加湿運転報知ＬＥＤ発光素子、圧縮機、四路切換弁、室外ファン、室外熱交換器、室外膨張弁、加湿ロータ、第１駆動モータ、吸着用送風装置、加熱装置および第２駆動モータ等の各種機器と接続されている。また、制御装置は、通信部を備えている。通信部は、リモコン１８０ａ，１８０ｂ，１８０ｃから送信される冷房運転や暖房運転等の通常運転や加湿運転等の各種運転モードの制御信号を受信する。
【０１３７】
また、制御装置は、通常運転制御部と、加湿運転制御部とを備えている。通常運転制御部は、リモコン１８０ａ，１８０ｂ，１８０ｃから送信される制御信号に基づいて、空気調和機２００において冷房運転や暖房運転等を含む通常運転が行われるように、空気調和機２００の各種機器の動作制御を行う。また、加湿運転制御部は、リモコン１８０ａ，１８０ｂ，１８０ｃから送信される制御信号に基づいて、空気調和機２００において加湿運転が行われるように、空気調和機２００の各種機器の動作制御を行う。
【０１３８】
さらに、加湿運転制御部は、優先供給機決定部を備えている。優先供給機決定部は、ユーザによって第１リモコン１８０ａの有する第１加湿空気供給スイッチが押されることによって送信される第１部屋１０１ａ内に加湿空気を供給するという指示である第１加湿指示の制御信号、ユーザによって第２リモコン１８０ｂの有する第２加湿空気供給スイッチが押されることによって送信される第２部屋１０１ｂ内に加湿空気を供給するという指示である第２加湿指示の制御信号、および、ユーザによって第３リモコン１８０ｃの有する第３加湿空気供給スイッチが押されることによって送信される第３部屋１０１ｃ内に加湿空気を供給するという指示である第３加湿指示の制御信号が通信部において受信された順に応じて優先度を決定する。
【０１３９】
また、優先供給機決定部は、優先度に基づいて、最も優先して加湿空気が供給される室内機本体である最優先供給機（第１供給機に相当）を１台決定する。また、優先供給機決定部は、優先度に基づいて、最優先供給機以外の室内機本体から、優先供給機（第２供給機に相当）と非優先供給機とを決定する。このため、第１室内機本体１１８ａ、第２室内機本体１１８ｂおよび第３室内機本体１１８ｃのうちのいずれか１台が最優先供給機に決定され、最優先供給機以外の室内機本体が優先供給機に決定され、最優先供給機および優先供給機以外の室内機本体が非優先供給機に決定される。
【０１４０】
例えば、通信部において第１加湿指示、第２加湿指示、第３加湿指示の順に受信された場合、優先供給機決定部は、第１加湿指示を優先度「高」と決定し、第２加湿指示を優先度「中」と決定し、第３加湿指示を優先度「低」と決定する。そして、優先供給機決定部は、決定した優先度に基づいて、優先度が「高」である第１室内機本体１１８ａを最優先供給機に決定し、優先度が「中」である第２室内機本体１１８ｂを優先供給機に決定し、優先度が「低」である第３室内機本体１１８ｃを非優先供給機に決定する。
【０１４１】
また、例えば、通信部において第１加湿指示、第３加湿指示、第２加湿指示の順に受信された場合、優先供給機決定部は、第１加湿指示を優先度「高」と決定し、第３加湿指示を優先度「中」と決定し、第２加湿指示を優先度「低」と決定する。そして、優先供給機決定部は、決定した優先度に基づいて、優先度が「高」である第１室内機本体１１８ａを最優先供給機に決定し、優先度が「中」である第３室内機本体１１８ｃを優先供給機に決定し、優先度が「低」である第２室内機本体１１８ｂを非優先供給機に決定する。
【０１４２】
また、例えば、通信部において、第２加湿指示、第１加湿指示、第３加湿指示の順に受信された場合、優先供給機決定部は、第２加湿指示を優先度「高」と決定し、第１加湿指示を優先度「中」と決定し、第３加湿指示を優先度「低」と決定する。そして、優先供給機決定部は、決定した優先度に基づいて、優先度が「高」である第２室内機本体１１８ｂを最優先供給機に決定し、優先度が「中」である第１室内機本体１１８ａを優先供給機に決定し、優先度が「低」である第３室内機本体１１８ｃを非優先供給機に決定する。
【０１４３】
また、例えば、通信部において、第２加湿指示、第３加湿指示、第１加湿指示の順に受信された場合、優先供給機決定部は、第２加湿指示を優先度「高」と決定し、第３加湿指示を優先度「中」と決定し、第１加湿指示を優先度「低」と決定する。そして、優先供給機決定部は、決定した優先度に基づいて、優先度が「高」である第２室内機本体１１８ｂを最優先供給機に決定し、優先度が「中」である第３室内機本体１１８ｃを優先供給機に決定し、優先度が「低」である第１室内機本体１１８ａを非優先供給機に決定する。
【０１４４】
また、例えば、通信部において、第３加湿指示、第１加湿指示、第２加湿指示の順に受信された場合、優先供給機決定部は、第３加湿指示を優先度「高」と決定し、第１加湿指示を優先度「中」と決定し、第２加湿指示を優先度「低」と決定する。そして、優先供給機決定部は、決定した優先度に基づいて、優先度が「高」である第３室内機本体１１８ｃを最優先供給機に決定し、優先度が「中」である第１室内機本体１１８ａを優先供給機に決定し、優先度が「低」である第２室内機本体１１８ｂを非優先供給機に決定する。
【０１４５】
また、例えば、通信部において、第３加湿指示、第２加湿指示、第１加湿指示の順に受信された場合、優先供給機決定部は、第３加湿指示を優先度「高」と決定し、第２加湿指示を優先度「中」と決定し、第１加湿指示を優先度「低」と決定する。そして、優先供給機決定部は、決定した優先度に基づいて、優先度が「高」である第３室内機本体１１８ｃを最優先供給機に決定し、優先度が「中」である第２室内機本体１１８ｂを優先供給機に決定し、優先度が「低」である第１室内機本体１１８ａを非優先供給機に決定する。
【０１４６】
さらに、加湿運転制御部は、切り換え制御部を備えている。切り換え制御部は、算出部を有している。算出部は、第１室内機１０２ａにおいて、ユーザによって予め設定されている設定湿度値から第１部屋１０１ａ内の湿度を測定するための第１湿度センサの計測値である第１計測値を差し引いた値である第１加湿環境値を算出する。また、算出部は、第２室内機１０２ｂにおいて、ユーザによって予め設定されている設定湿度値から第２部屋１０１ｂ内の湿度を測定するための第２湿度センサの計測値である第２計測値を差し引いた値である第２加湿環境値を算出する。さらに、算出部は、第３室内機１０２ｃにおいて、ユーザによって予め設定されている設定湿度値から第３部屋１０１ｃ内の湿度を測定するための第３湿度センサの計測値である第３計測値を差し引いた値である第３加湿環境値を算出する。
【０１４７】
また、切り換え制御部は、判定部を有している。判定部は、第１条件、第２条件、第３条件、第４条件および第５条件が満たされているか否かを判定する。第１条件には、第１優先供給機切り換え条件（第１切り換え条件に相当）、第２優先機切り換え条件（第３切り換え条件に相当）、および、第３優先機切り換え条件（第４切り換え条件に相当）が含まれる。また、第２条件には、第１最優先供給機切り換え条件（第２切り換え条件に相当）が含まれる。第３条件には、第１非優先供給機切り換え条件、第２非優先機切り換え条件（第５切り換え条件に相当）、および、第３非優先機切り換え条件が含まれる。第４条件には、第２最優先供給機切り換え条件が含まれる。第５条件には、第４優先供給機切り換え条件が含まれる。なお、第１条件、第２条件、第３条件、第４条件および第５条件は、制御装置の備える記憶部に記憶されている。
【０１４８】
第１条件に含まれる第１優先供給機切り換え条件とは、最優先供給機が設置されている部屋（第１エリアに相当、以下、最優先供給部屋という）における加湿環境値ΔＨａが第１判定値ＤＨｓ（第１所定値に相当）未満であるという条件である。
【０１４９】
また、第１条件に含まれる第２優先供給機切り換え条件とは、優先供給機が設置されている部屋（第２エリアに相当、以下、優先供給部屋という）における加湿環境値ΔＨｂが第１判定値ＤＨｓから所定値ｄＤＨを差し引いた値である第２判定値（第３所定値に相当）以上であるという条件である。
【０１５０】
さらに、第１条件に含まれる第３優先供給機切り換え条件とは、最優先供給部屋への加湿空気の供給が開始されてから、すなわち、最優先供給機によって最優先供給部屋の加湿が開始されてから所定の第５時間（例えば、１０分）経過しているという条件である。
【０１５１】
判定部は、第１優先供給機切り換え条件、第２優先供給機切り換え条件および第３優先供給機切り換え条件のうちのすべての条件が満たされた場合に、第１条件が満たされていると判定する。また、判定部が第１条件を判定するタイミングとしては、最優先供給部屋への加湿空気の供給が開始されてから所定の第５時間が経過したときに１度目の判定が行われ、第３優先供給機切り換え条件が満たされていると判定されてからは所定の第６時間（例えば、１分）毎に判定が行われる。
【０１５２】
また、第２条件に含まれる第１最優先供給機切り換え条件とは、最優先供給部屋における加湿環境値ΔＨａが、第２判定値（第２所定値に相当）以上であるという条件である。
【０１５３】
判定部は、第１最優先供給機切り換え条件が満たされていると判定された場合に、第２条件が満たされていると判定する。また、判定部は、所定の第７時間（例えば、３０秒）毎に第２条件を判定する。
【０１５４】
第３条件に含まれる第１非優先供給機切り換え条件とは、優先供給部屋における加湿環境値ΔＨｂが第１判定値ＤＨｓ未満であるという条件である。
【０１５５】
また、第３条件に含まれる第２非先供給機切り換え条件とは、優先供給部屋への加湿空気の供給が開始されてから、すなわち、優先供給機によって優先供給部屋の加湿が開始されてから所定の第８時間（例えば、５分）経過しているという条件である。
【０１５６】
さらに、第３条件に含まれる第３非先供給機切り換え条件とは、非優先供給機が設置されている部屋（以下、非優先供給部屋という）における加湿環境値ΔＨｃが第２判定値以上であるという条件である。
【０１５７】
判定部は、第１非優先供給機切り換え条件、第２非優先供給機切り換え条件および第３非優先供給機切り換え条件のうちのすべての条件が満たされた場合に、第３条件が満たされていると判定する。また、判定部が第３条件を判定するタイミングとしては、優先供給部屋への加湿空気の供給が開始されてから所定の第８時間が経過したときに１度目の判定が行われ、第２非優先供給機切り換え条件が満たされていると判定されてからは所定の第９時間（例えば、１分）毎に判定が行われる。
【０１５８】
第４条件に含まれる第２最優先供給機切り換え条件とは、最優先供給部屋における加湿環境値ΔＨａが、第２判定値以上であるという条件である。
【０１５９】
判定部は、第２最優先供給機切り換え条件が満たされていると判定された場合に、第４条件が満たされていると判定する。また、判定部は、非優先供給部屋に加湿空気が供給されている場合に、所定の第１０時間（例えば、３０秒）毎に第４条件を判定する。
【０１６０】
第５条件に含まれる第４優先供給機切り換え条件とは、優先供給部屋における加湿環境値ΔＨｂが、第２判定値以上であるという条件である。
【０１６１】
判定部は、第４優先供給機切り換え条件が満たされていると判定された場合に、第５条件が満たされていると判定する。また、判定部は、非優先供給部屋に加湿空気が供給されている場合に、所定の第１１時間（例えば、３０秒）毎に第５条件を判定する。
【０１６２】
さらに、切り換え制御部は、第１最優先供給機切り換え制御（第１制御に相当）と、第１優先供給機切り換え制御（第２制御に相当）と、非優先供給機切り換え制御（第３制御に相当）と、第２最優先供給機切り換え制御（第３制御に相当）と、第３最優先供給機切り換え制御と、第２優先供給機切り換え制御とを行う。
【０１６３】
第１最優先供給機切り換え制御とは、ユーザからの第１加湿指示、第２加湿指示、または第３加湿指示のうち通信部が最初に受信した加湿指示が為された室内機、すなわち、最優先供給機のみに加湿空気が供給されるように、空気流路切り換え部１３０の状態を切り換える制御のことである。
【０１６４】
第１優先供給機切り換え制御とは、第１最優先供給機切り換え制御が行われた後であって、判定部において第１条件が満たされていると判定された場合に、優先供給機にのみ加湿空気が供給されるように、空気流路切り換え部１３０の状態を切り換える制御のことである。
【０１６５】
非優先供給機切り換え制御とは、第１優先供給機切り換え制御が行われた後であって、判定部において、第２条件が満たされておらず、かつ、第３条件が満たされていると判定された場合に、非優先供給機にのみ加湿空気が供給されるように、空気流路切り換え部１３０の状態を切り換える制御のことである。
【０１６６】
第２最優先供給機切り換え制御とは、第１優先供給機切り換え制御が行われた後であって、判定部において、第２条件が満たされていると判定された場合に、最優先供給機にのみ加湿空気が供給されるように、空気流路切り換え部１３０の状態を切り換える制御のことである。
【０１６７】
第３最優先供給機切り換え制御とは、非優先供給機切り換え制御が行われた後であって、判定部において第４条件が満たされていると判定された場合に、最優先供給機にのみ加湿空気が供給されるように、空気流路切り換え部１３０の状態を切り換える制御のことである。
【０１６８】
第２優先供給機切り換え制御とは、非優先供給機切り換え制御が行われた後であって、判定部において第５条件が満たされていると判定された場合に、優先供給機にのみ加湿空気が供給されるように、空気流路切り換え部１３０の状態を切り換える制御のことである。
【０１６９】
また、表示制御部は、加湿空気が最優先供給機に供給されているときは常に優先供給機の他室加湿運転報知ＬＥＤ発光素子が点灯するように、優先供給機の他室加湿運転報知ＬＥＤ発光素子の動作を制御する。また、表示制御部は、加湿空気が優先供給機供給されているときは、優先供給機の他室加湿運転報知ＬＥＤ発光素子が消灯するように、優先供給機の他室加湿運転報知ＬＥＤ発光素子の動作を制御する。
【０１７０】
さらに、表示制御部は、加湿空気が最優先供給機または優先供給機に供給されているときは常に非優先供給機の他室加湿運転報知ＬＥＤ発光素子が点灯するように、非優先供給機の他室加湿運転報知ＬＥＤ発光素子の動作を制御する。また、表示制御部は、加湿空気が非優先供給機供給されているときは、非優先供給機の他室加湿運転報知ＬＥＤ発光素子が消灯するように、非優先供給機の他室加湿運転報知ＬＥＤ発光素子の動作を制御する。
【０１７１】
＜加湿運転制御部による制御動作＞
次に、加湿運転制御部による制御動作の一例について、図１３、図１４、図１５、図１６、図１７、図１８を用いて説明する。なお、以下の説明では、加湿空気供給スイッチがユーザによって押されておらず、第１室内機本体１１８ａ、第２室内機本体１１８ｂ、および第３室内機本体１１８ｃに加湿空気が供給されていないものとする。
【０１７２】
ユーザによって第１加湿空気供給スイッチが押されると、第１室内機本体１１８ａへの加湿空気の供給指示、すなわち、第１加湿指示を通信部が受信する。通信部において第１加湿指示が受信されると、加湿運転制御部によって第１室内機本体１１８ａ、室外空調ユニット１０５および加湿ユニット１０４の各種機器が制御されるとともに、切り換え制御部によって空気流路切り換え部１３０の状態が第１切り換え状態となるように空気流路切り換え部１３０が制御される第１最優先供給機切り換え制御が行われる。そして、第１室内機本体１１８ａに加湿空気が供給される。
【０１７３】
その後、ユーザによって第２加湿空気供給スイッチが押されると、第２室内機本体１１８ｂへの加湿空気の供給指示、すなわち、第２加湿指示を通信部が受信する。通信部において第２室内機本体１１８ｂへの加湿空気の加湿指示が受信されると、優先供給機決定部によって、第１室内機本体１１８ａが最優先供給機に決定され、第２室内機本体１１８ｂが優先供給機に決定される。また、優先供給機決定部によって第２室内機本体１１８ｂが優先供給機に決定されると、表示制御部によって第２室内機本体１１８ｂの有する他室加湿運転報知ＬＥＤ発光素子が点灯するように、他室加湿運転報知ＬＥＤ発光素子の動作を制御される。
【０１７４】
さらに、優先供給機決定部によって最優先供給機および優先供給機が決定されると、切り換え制御部の有する判定部によって第１条件が満たされているか否かが判定される（ステップＳ２１からステップＳ２４）。判定部による第１条件が満たされているか否かの判定は、第１優先供給機切り換え条件、第２優先供給機切り換え条件、および、第３優先供給機切り換え条件のうちのすべての条件が満たされるまで繰り返される。また、判定部によって第１条件が満たされていないと判定された場合、判定部によって第１条件が満たされていると判定されるまで、空気流路切り換え部１３０において第１切り換え状態が維持される。なお、この場合、最優先供給機が第１室内機本体１１８ａであるため、第１部屋１０１ａにおける第１加湿環境値が最優先供給部屋における加湿環境値ΔＨａに相当する。また、優先供給機が第２室内機本体１１８ｂであるため、第２部屋１０１ｂにおける第２加湿環境値が優先供給部屋における加湿環境値ΔＨｂに相当する。
【０１７５】
判定部によって第１条件が満たされていると判定された場合、切り換え制御部は、空気流路切り換え部１３０の状態が第１切り換え状態から第２切り換え状態に切り換わるように空気流路切り換え部１３０を制御する第１優先供給機切り換え制御を行う（ステップＳ２５）。また、切り換え制御部によって第１優先供給機切り換え制御が行われると、表示制御部によって第２室内機本体１１８ｂの有する他室加湿運転報知ＬＥＤ発光素子が消灯するように、他室加湿運転報知ＬＥＤ発光素子の動作が制御される。
【０１７６】
そして、第１優先供給機切り換え制御が行われると、判定部によって、第２条件が満たされているか否かが判定される（ステップＳ２６およびステップＳ２７）。判定部によって第２条件である第１最優先供給機切り換え条件が満たされていると判定された場合、切り換え制御部は、空気流路切り換え部１３０の状態が第２切り換え状態から第１切り換え状態に切り換わるように空気流路切り換え部１３０を制御する第２最優先供給機切り換え制御を行う（ステップＳ２８）。また、切り換え制御部によって第２最優先供給機切り換え制御が行われると、表示制御部によって第２室内機本体１１８ｂの有する他室加湿運転報知ＬＥＤ発光素子が点灯するように、ＬＥＤ発光素子の動作が制御される。そして、第２最優先供給機切り換え制御が行われると、加湿運転制御部によって、ステップＳ２１から後述するステップＳ４０までの制御が繰り返し行われる。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１７７】
また、判定部によって、第２条件が満たされていないと判定された場合、切り換え制御部は、優先供給機決定部によって非優先供給機が決定されているか否かを判断する（ステップＳ２９）。優先供給機決定部によって非優先供給機が決定されていないと判断した場合、判定部によって、第２条件が満たされているか否かが更に判定される（ステップＳ２６）。このように、加湿運転制御部によって、ステップＳ２６からの制御が継続される。
【０１７８】
また、ユーザによって第３加湿空気供給スイッチが押されると、第３室内機本体１１８ｃへの加湿空気の供給指示、すなわち、第３加湿指示を通信部が受信する。優先供給機決定部によって最優先供給機および優先供給機が決定されている場合に、通信部において第３室内機本体１１８ｃへの加湿空気の加湿指示が受信されると、優先供給機決定部によって、第３室内機本体１１８ｃが非優先供給機に決定される。ここでは、最優先供給機として第１室内機本体１１８ａが決定されており、優先供給機として第２室内機本体１１８ｂが決定されているため、優先供給機決定部によって、第３室内機本体１１８ｃが非優先供給機に決定される。また、優先供給機決定部によって第３室内機本体１１８ｃが非優先供給機に決定されると、最優先供給機または優先供給機に加湿空気が供給されている場合には、表示制御部によって第３室内機本体１１８ｃの有する他室加湿運転報知ＬＥＤ発光素子が点灯するように、他室加湿運転報知ＬＥＤ発光素子の動作を制御される。
【０１７９】
そして、ステップＳ２９において、切り換え制御部が優先供給機決定部によって非優先供給機が決定されていると判断した場合、判定部によって第３条件が満たされているか否かが判定される（ステップＳ３０からステップＳ３３）。なお、この場合、非優先供給機が第３室内機本体１１８ｃであるため、第３部屋１０１ｃにおける第３加湿環境値が非優先供給部屋における加湿環境値ΔＨｃに相当する。
【０１８０】
判定部によって第３条件である第１非優先供給機切り換え条件、第２非優先供給機切り換え条件、および、第３非優先供給機切り換え条件が満たされていると判定された場合、切り換え制御部は、空気流路切り換え部１３０の状態が第２切り換え状態から第３切り換え状態に切り換わるように空気流路切り換え部１３０を制御する非優先供給機切り換え制御を行う（ステップＳ３４）。また、切り換え制御部によって非優先供給機切り換え制御が行われると、表示制御部によって第３室内機本体１１８ｃの有する他室加湿運転報知ＬＥＤ発光素子が消灯するように、他室加湿運転報知ＬＥＤ発光素子の動作が制御される。
【０１８１】
また、切り換え制御部によって非優先供給機切り換え制御が行われると、判定部によって、第４条件が満たされているか否かが判定される（ステップＳ３５およびステップＳ３６）。判定部によって第４条件が満たされていると判定された場合、切り換え制御部は、空気流路切り換え部の状態が第３切り換え状態から第１切り換え状態に切り換わるように空気流路切り換え部１３０を制御する第３最優先供給機切り換え制御を行う（ステップＳ３７）。
【０１８２】
また、切り換え制御部によって第３最優先供給機切り換え制御が行われると、表示制御部によって第２室内機本体１１８ｂおよび第３室内機本体１１８ｃの有する他室加湿運転報知ＬＥＤ発光素子がそれぞれ点灯するように、それぞれの他室加湿運転報知ＬＥＤ発光素子の動作が制御される。そして、第３最優先供給機切り換え制御が行われると、加湿運転制御部によって、ステップＳ２１からの制御が継続して行われる。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１８３】
また、判定部によって第４条件が満たされていないと判定された場合、判定部は、第５条件を更に判定する（ステップＳ３８およびステップＳ３９）。
【０１８４】
判定部によって、第５条件が満たされていると判定された場合、切り換え制御部は、空気流路切り換え部１３０の状態が第３状態から第２状態に切り換わるように空気流路切り換え部１３０を制御する第２優先供給機切り換え制御を行う（ステップＳ４０）。また、切り換え制御部によって第２優先供給機切り換え制御が行われると、表示制御部によって第３室内機本体１１８ｃの有する他室加湿運転報知ＬＥＤ発光素子が点灯するように、ＬＥＤ発光素子の動作が制御される。そして、第２優先供給機切り換え制御が行われると、加湿運転制御部は、ステップＳ２６からの制御を継続して行う。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１８５】
また、判定部によって、第５条件が満たされていないと判定された場合、判定部によって、第４条件が更に判定される（ステップＳ３５）。そして、加湿運転制御部は、ステップＳ３５からステップＳ４０の制御を繰り返して行う。また、切り換え制御部による空気流路切り換え部１３０の制御は、ユーザからリモコン１８０ａ，１８０ｂ，１８０ｃ等を介して加湿運転停止の制御指令が送信されるまで継続される。
【０１８６】
なお、上記では、優先供給機決定部によって、第１室内機本体１１８ａが最優先供給機に決定され、第２室内機本体１１８ｂが優先供給機に決定され、第３室内機本体１１８ｃが非優先供給機に決定されている例を挙げているが、上述のように第１加湿指示、第２加湿指示、および、第３加湿指示が為された順に基づいて、最優先供給機、優先供給機、および、非優先供給機が決定される。このため、切り換え制御部による空気流路切り換え部１３０の状態の切り換えは、優先供給機決定部によって決定される最優先供給機、優先供給機、および、非優先供給機について適宜行われる。
【０１８７】
（Ｃ）
上記実施形態では、優先供給機決定部６５によって、優先して加湿空気が供給される室内機本体である優先供給機が決定されている。そして、決定された優先供給機に対して加湿空気が優先的に供給されるように、切り換え制御部６６によって、空気流路切り換え部３０の状態が切り換えられている。
【０１８８】
これに代えて、上記実施形態のように、切り換え制御部によって優先供給機に対して加湿空気が優先的に供給されるように空気流路切り換え部の状態が切り換えられる制御（第１優先供給機切り換え制御、非優先供給機切り換え制御および第２優先供給機切り換え制御、以下、優先供給機自動切り換え制御という）が行われるか否かをユーザが設定するための設定部が設けられていてもよい。
【０１８９】
例えば、設定部において、優先供給機自動切り換え制御が行われるように設定されている場合には、切り換え制御部によって優先供給機自動切り換え制御が行われる。また、設定部において、優先供給機自動切り換え制御が行われないように設定されている場合には、切り換え制御部によって優先供給機自動切り換え制御は行われない。また、設定部には、例えば、ユーザによって各種設定が行われるスイッチであるジャンパスイッチやディップスイッチ等のスイッチが含まれる。ユーザは、これらスイッチを操作することによって、切り換え制御部によって優先供給機自動切り換え制御が行われるか否かを設定することができる。
【０１９０】
例えば、設定部２９２として、ディップスイッチ２９０，２９１が採用されている空気調和機について説明する。この空気調和機では、ユーザによってディップスイッチ２９０，２９１がオン、または、オフされることによって、切り換え制御部２６６による優先供給機自動切り換え制御が行われるか否かが設定される。また、図１９に示すように、ディップスイッチ２９０，２９１には、第１ディップスイッチ２９０および第２ディップスイッチ２９１が含まれる。
【０１９１】
ユーザによって、第１ディップスイッチ２９０および第２ディップスイッチ２９１がオンにされている場合には、切り換え制御部２６６による優先供給機自動切り換え制御が行われる。具体的には、第１ディップスイッチ２９０および第２ディップスイッチ２９１がオンにされている場合には、優先供給機決定部２６５によってユーザからの加湿空気の供給指示が最初に為された室内機が優先供給機に決定され、切り換え制御部２６６によって優先供給機に対して加湿空気が供給されるように空気流路切り換え部の状態が切り換えられる。その後、優先供給機以外の室内機に対して、ユーザからの加湿空気の供給指示が為された場合であって第１条件が満たされた場合にのみ、切り換え制御部２６６によって、ユーザからの加湿空気の供給指示が為された優先供給機以外の室内機に対して加湿空気が供給されるように、空気流路切り換え部の状態が切り換えられる。また、優先供給機以外の室内機に対して加湿空気が供給されている状態で第２条件が満たされた場合には、切り換え制御部２６６によって優先供給機に対して加湿空気が供給されるように、空気流路切り換え部の状態が切り換えられる。
【０１９２】
また、ユーザによって第１ディップスイッチ２９０または第２ディップスイッチ２９１の少なくともいずれか一方がオフにされている場合には、切り換え制御部２６６による優先供給機自動切り換え制御が行われず、切り換え制御部２６６による優先供給機自動切り換え制御以外の制御が行われる。
【０１９３】
例えば、ユーザによって、第１ディップスイッチ２９０がオンにされており、第２ディップスイッチ２９１がオフにされている場合には、第２室内機に優先して加湿空気が供給されるように、切り換え制御部２６６によって空気流路切り換え部が切り換えられる。具体的には、第１ディップスイッチ２９０がオンにされており、第２ディップスイッチ２９１がオフにされている場合に、ユーザによって、第１加湿空気供給スイッチ２８１ａよりも先に第２加湿空気供給スイッチ２８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ２８１ａが押された場合、空気流路切り換え部の状態は、第１切り換え状態には切り換わらずに、第２切り換え状態が維持される。
【０１９４】
また、第１ディップスイッチ２９０がオンされており、第２ディップスイッチ２９１がオフされている状態で、ユーザによって、第２加湿空気供給スイッチ２８１ｂよりも先に第１加湿空気供給スイッチ２８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ２８１ｂが押された場合、空気流路切り換え部の状態は、第１切り換え状態から第２切り換え状態に切り換わる。
【０１９５】
このように、第１ディップスイッチ２９０がオンされており、第２ディップスイッチ２９１がオフされている場合には、第２室内機に優先的に加湿空気が供給される。
【０１９６】
また、ユーザによって、第１ディップスイッチ２９０がオフにされており、第２ディップスイッチ２９１がオンにされている場合には、第１室内機に優先して加湿空気が供給されるように、切り換え制御部２６６によって空気流路切り換え部が切り換えられる。具体的には、第１ディップスイッチ２９０がオフにされており、第２ディップスイッチ２９１がオンにされている場合に、ユーザによって、第１加湿空気供給スイッチ２８１ａよりも先に第２加湿空気供給スイッチ２８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ２８１ａが押された場合、空気流路切り換え部の状態は、第２切り換え状態から第１切り換え状態に切り換わるように、空気流路切り換え部が制御される。
【０１９７】
また、第１ディップスイッチ２９０がオフされており、第２ディップスイッチ２９１がオンされている状態で、ユーザによって、第２加湿空気供給スイッチ２８１ｂよりも先に第１加湿空気供給スイッチ２８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ２８１ｂが押された場合、空気流路切り換え部の状態は、第２切り換え状態には切り換わらずに、第１切り換え状態が維持される。
【０１９８】
このように、第１ディップスイッチ２９０がオフされており、第２ディップスイッチ２９１がオンされている場合には、第１室内機に優先的に加湿空気が供給される。
【０１９９】
さらに、第１ディップスイッチ２９０および第２ディップスイッチ２９１がオフされている場合、すなわち、ユーザによって、第１室内機および第２室内機のいずれの室内機に対しても優先して加湿空気が供給されるように設定されている場合には、切り換え制御部２６６は、ユーザからの加湿空気の供給指示に基づいて、空気流路切り換え部の状態を適宜切り換える。このため、第１ディップスイッチ２９０および第２ディップスイッチ２９１がオフにされている場合には、ユーザからの加湿空気の供給指示がある毎に、空気流路切り換え部の状態が切り換えられる。
【０２００】
また、本変形例では、第１ディップスイッチ２９０および第２ディップスイッチ２９１がオフにされている場合には、空気流路切り換え部の状態はユーザからの加湿空気の供給指示に基づいて適宜切り換えられるが、これに限定されるものではない。例えば、第１ディップスイッチ２９０および第２ディップスイッチ２９１がオフにされている場合に、いずれの室内機からも加湿空気の供給指示があった場合には、切り換え制御部２６６によって、空気流路切り換え部の状態が、所定時間（例えば、１０分）毎に自動的に切り換えられてもよく、各部屋の加湿環境値に基づいて自動的に切り換えられてもよい。
【０２０１】
また、例えば、設定部３９２として、ジャンパスイッチ３９０，３９１が採用されている空気調和機について説明する。この空気調和機では、ユーザによってジャンパスイッチ３９０，３９１がオン、または、オフされることによって、切り換え制御部による優先供給機自動切り換え制御が行われるか否かが設定される。また、図２０に示すように、ジャンパスイッチ３９０，３９１には、第１ジャンパスイッチ３９０および第２ジャンパスイッチ３９１が含まれる。
【０２０２】
ユーザによって、第１ジャンパスイッチ３９０および第２ジャンパスイッチ３９１がオフにされている場合には、切り換え制御部３６６による優先供給機自動切り換え制御が行われる。具体的には、第１ジャンパスイッチ３９０および第２ジャンパスイッチ３９１がオフにされている場合に、優先供給機決定部３６５によってユーザからの加湿空気の供給指示が最初に為された室内機が優先供給機に決定され、切り換え制御部３６６によって優先供給機に対して加湿空気が供給されるように空気流路切り換え部の状態が切り換えられる。その後、優先供給機以外の室内機に対してユーザからの加湿空気の供給指示が為された場合であって第１条件が満たされた場合にのみ、切り換え制御部３６６によって、ユーザからの加湿空気の供給指示が為された優先供給機以外の室内機に対して加湿空気が供給されるように、空気流路切り換え部の状態が切り換えられる。また、優先供給機以外の室内機に対して加湿空気が供給されている状態で第２条件が満たされた場合には、切り換え制御部３６６によって優先供給機に対して加湿空気が供給されるように、空気流路切り換え部の状態が切り換えられる。
【０２０３】
また、ユーザによって第１ジャンパスイッチ３９０または第２ジャンパスイッチ３９１の少なくともいずれか一方がオンにされている場合には、切り換え制御部３６６による優先供給機自動切り換え制御が行われず、切り換え制御部３６６による優先供給機自動切り換え制御以外の制御が行われる。また、第１ジャンパスイッチ３９０がユーザによってオンにされることで、第１室内機に加湿空気が優先的に供給されるように、加湿空気が優先的に供給される室内機である優先室内機が第１室内機に決定される。さらに、第２ジャンパスイッチ３９１がユーザによってオンにされることで、第２室内機に加湿空気が優先的に供給されるように、優先室内機が第２室内機に決定される。このため、ユーザは、第１ジャンパスイッチ３９０および第２ジャンパスイッチ３９１をオン、または、オフにすることで、優先して加湿空気が供給される室内機を設定することができる。したがって、ユーザによって第１ジャンパスイッチ３９０または第２ジャンパスイッチ３９１がオンにされている場合に、ユーザによって第１加湿空気供給スイッチ３８１ａおよび第２加湿空気供給スイッチ３８１ｂが押されても、切り換え制御部３６６による優先供給機自動切り換え制御は行われない。言い換えると、第１ジャンパスイッチ３９０および第２ジャンパスイッチ３９１がオフにされている場合、すなわち、ユーザによって優先室内機が設定されていない場合に、ユーザによって第１室内機本体および第２室内機本体への加湿空気の供給指示が為されることで、切り換え制御部３６６による優先供給機自動切り換え制御が行われる。
【０２０４】
具体的には、第１ジャンパスイッチ３９０がオンにされており、第２ジャンパスイッチ３９１がオフにされている場合、すなわち、ユーザによって第１室内機が優先室内機となるように設定されている場合には、空気流路切り換え部の状態が第１切り換え状態となるように、空気流路切り換え部が切り換えられる。このため、第１ジャンパスイッチ３９０がオンされており、第２ジャンパスイッチ３９１がオフされている場合には、第１室内機に優先的に加湿空気が供給される。
【０２０５】
例えば、第１ジャンパスイッチ３９０がオンされており、第２ジャンパスイッチ３９１がオフされている状態で、ユーザによって、第１加湿空気供給スイッチ３８１ａよりも先に第２加湿空気供給スイッチ３８１ｂが押された場合、空気流路切り換え部の状態が第２切り換え状態となるように、切り換え制御部３６６によって空気流路切り換え部の状態が切り換えられる。そして、第２室内機本体に加湿空気が供給される。その後、ユーザによって第１加湿空気供給スイッチ３８１ａが押された場合、空気流路切り換え部の状態が、第２切り換え状態から第１切り換え状態に切り換えられる。
【０２０６】
また、第１ジャンパスイッチ３９０がオンされており、第２ジャンパスイッチ３９１がオフされている状態で、ユーザによって、第２加湿空気供給スイッチ３８１ｂよりも先に第１加湿空気供給スイッチ３８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ３８１ｂが押された場合、空気流路切り換え部の状態は、第２切り換え状態には切り換わらずに、第１切り換え状態が維持される。
【０２０７】
このように、第１ジャンパスイッチ３９０がオンにされており、第２ジャンパスイッチ３９１がオフにされている場合には、第１室内機に優先的に加湿空気が供給される。
【０２０８】
また、第１ジャンパスイッチ３９０がオフされており、第２ジャンパスイッチ３９１がオンされている場合、すなわち、ユーザによって第２室内機が優先室内機となるように設定されている場合には、空気流路切り換え部の状態が第２切り換え状態となるように、空気流路切り換え部が切り換えられる。このため、第１ジャンパスイッチ３９０がオフされており、第２ジャンパスイッチ３９１がオンされている場合には、第２室内機に優先的に加湿空気が供給される。
【０２０９】
例えば、第１ジャンパスイッチ３９０がオフされており、第２ジャンパスイッチ３９１がオンされている状態で、ユーザによって、第１加湿空気供給スイッチ３８１ａよりも先に第２加湿空気供給スイッチ３８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ３８１ａが押された場合、空気流路切り換え部の状態は、第１切り換え状態には切り換わらずに、第２切り換え状態が維持される。
【０２１０】
また、第１ジャンパスイッチ３９０がオフされており、第２ジャンパスイッチ３９１がオンされている状態で、ユーザによって、第２加湿空気供給スイッチ３８１ｂよりも先に第１加湿空気供給スイッチ３８１ａが押された場合、空気流路切り換え部の状態が第１切り換え状態となるように空気流路切り換え部が制御される。そして、第１室内機本体に加湿空気が供給される。その後、ユーザによって第２加湿空気供給スイッチ３８１ｂが押された場合、空気流路切り換え部の状態は、第１切り換え状態から第２切り換え状態に切り換わるように、空気流路切り換え部が制御される。
【０２１１】
このように、第１ジャンパスイッチ３９０がオフされており、第２ジャンパスイッチ３９１がオンされている場合には、第２室内機に優先的に加湿空気が供給される。
【０２１２】
さらに、第１ジャンパスイッチ３９０および第２ジャンパスイッチ３９１がオンされている場合、すなわち、ユーザによって第１室内機および第２室内機のいずれの室内機も優先室内機となるように設定されている場合には、第１室内機および第２室内機に対して加湿空気が供給されるように、切り換え制御部３６６によって、切り換え部の状態が所定時間毎に自動的に切り換えられる室内機自動切り換え制御が行われる。
【０２１３】
例えば、第１ジャンパスイッチ３９０および第２ジャンパスイッチ３９１がオンにされている状態で、ユーザによって、第１加湿空気供給スイッチ３８１ａよりも先に第２加湿空気供給スイッチ３８１ｂが押された場合、空気流路切り換え部の状態が第２切り換え状態となるように空気流路切り換え部が制御される。そして、第２室内機本体に加湿空気が供給される。その後、ユーザによって第１加湿空気供給スイッチ３８１ａが押された場合、切り換え制御部３６６によって、第１加湿空気供給スイッチ３８１ａが押された時から所定時間が経過するまで、空気流路切り換え部の状態は第２切り換え状態が維持される。そして、第１加湿空気供給スイッチ３８１ａが押された時から所定時間が経過した場合、切り換え制御部３６６によって、空気流路切り換え部の状態が、第２切り換え状態から第１切り換え状態に切り換えられる。また、空気流路切り換え部の状態が第２切り換え状態から第１切り換え状態となるように空気流路切り換え部が制御されてから所定時間が経過した場合、切り換え制御部３６６によって、空気流路切り換え部の状態が、第１切り換え状態から第２切り換え状態に切り換えられる。このようにして、切り換え制御部３６６によって、空気流路切り換え部の状態が所定時間毎に切り換えられる。
【０２１４】
なお、室内機自動切り換え制御が行われている場合、表示制御部３６４は、加湿空気が供給されていない側の室内機の他室加湿運転報知ＬＥＤ発光素子が点灯するように、他室加湿運転報知ＬＥＤ発光素子の動作を制御する。また、表示制御部３６４は、加湿空気が供給されている側の室内機の他室加湿運転報知ＬＥＤ発光素子が消灯するように、他室加湿運転報知ＬＥＤ発光素子の動作を制御する。
【０２１５】
このように、切り換え制御部によって優先供給機自動切り換え制御が行われるか否かをユーザが設定することができる設定部を設けることで、ユーザの都合に応じた空気流路切り換え部の状態を設定することができる。また、切り換え制御部の制御に応じた空気流路切り換え部の状態よりも、ユーザがスイッチによって設定した空気流路切り換え部の状態が優先されているため、ユーザの都合に応じた空気流路切り換え部の状態を維持することができる。
【０２１６】
これによって、切り換え部が自動的に切り換わることによるユーザの不快感を減らすことができる。
【０２１７】
また、優先供給機自動切り換え制御が行われる場合、優先供給機の設置されている優先供給部屋における加湿環境値が第１判定値未満であるという第１非優先供給機切り換え条件が満たされない場合には、切り換え制御部によって非優先供給機切り換え制御が行われないことになる。例えば、優先供給機に加湿空気を供給しても優先供給部屋内の湿度が上昇しない場合には第１条件が満たされず、非優先供給機切り換え制御が行われないおそれがある。このため、非優先供給機に対して加湿空気が供給されないという不都合が生じる。
【０２１８】
そこで、切り換え制御部によって優先供給機自動切り換え制御が行われるか否かをユーザが設定することができる設定部を設けることで、ユーザの都合に応じて、空気流路切り換え部の切り換え制御の制御内容を設定することができる。
【０２１９】
なお、上記変形例では、室内機自動切り換え制御において、切り換え部の状態が切り換わってから所定時間が経過しているという条件（以下、第６条件という）が満たされた場合に、切り換え部の状態が切り換えられているが、これに限定されず、室内機自動切り換え制御における切り換え部の状態が切り換えられるための条件として、他の条件が含まれていてもよい。また、室内機自動切り換え制御において、第６条件および他の条件のうちのいずれか１つの条件が満たされた場合に、切り換え部の状態が切り換えられてもよい。また、他の条件には、ユーザによって予め設定されている設定湿度値から加湿空気の供給が行われている部屋内の湿度センサの計測値を差し引いた値である加湿環境値が、第３判定値以下であるという条件（以下、第７条件という）が含まれる。具体的には、第３判定値が「−５」である場合、例えば、設定温度値が４０であり計測値が４５である場合には、上記条件が満たされることになる。したがって、室内機自動切り換え制御において、第６条件および第７条件のうちのいずれか１つの条件が満たされた場合に、切り換え部の状態が切り換えられる。このため、例えば、切り換え部の状態が切り換わってから所定時間が経過していなくても、加湿空気が供給されている部屋内の加湿環境値が第３判定値以下であるという条件が満たされた場合には、切り換え部の状態が切り換えられる。
【０２２０】
このように、室内機自動切り換え制御においても、加湿空気が供給されている部屋内の加湿環境値に応じて切り換え部の状態が切り換えられることで、加湿空気が供給されている部屋内の湿度が高くなりすぎるおそれを減らすことができる。
【０２２１】
これによって、ユーザに不快感を与えるおそれを減らすことができる。
【０２２２】
（Ｄ）
上記実施形態では、１台の室内機が１つの部屋に設置されているような構成となっているが、これに代えて、１つの部屋に複数の室内機が設置されていてもよい。
【０２２３】
＜参考例＞
本発明では、空気流路切り換え部３０が第１切り換え状態または第２切り換え状態によって切り換わることで、第１部屋１ａ内または第２部屋１ｂ内のいずれか一方の部屋にのみ加湿空気が供給されている。
【０２２４】
これに代えて、例えば、それぞれの加湿環境値に基づいて、複数の部屋内に加湿空気が分配して供給されてもよい。このように１部屋以上の部屋内に加湿空気が同時に供給されることによって、それぞれの部屋内のユーザに対して不快感を与えるそれを少なくすることができる。
【産業上の利用可能性】
【０２２５】
本発明は、ユーザに対して不快感を与えることが少ない加湿ユニットを提供することができるため、空気調和機への適用が有効である。
【符号の説明】
【０２２６】
１ａ    第１部屋（第１エリア／第２エリア）
１ｂ    第２部屋（第１エリア／第２エリア）
１３ａ    第１他室加湿運転報知ＬＥＤ発光素子（報知部）
１３ｂ    第２他室加湿運転報知ＬＥＤ発光素子（報知部）
６２      加湿運転制御部（制御部）
６５      優先供給機決定部（決定部）
６７      通信部（受信部）
６８      算出部
７０ａ    第１湿度センサ（第１エリア湿度センサ／第２エリア湿度センサ）
７０ｂ    第２湿度センサ（第１エリア湿度センサ／第２エリア湿度センサ）
１０１ａ    第１部屋（第１エリア／第２エリア）
１０１ｂ    第２部屋（第１エリア／第２エリア）
１０１ｃ    第３部屋（第１エリア／第２エリア）
１１８ｃ    第３室内機本体（エリア別室内機）
２９０      第１ディップスイッチ（受付部）
２９１      第２ディップスイッチ（受付部）
３９０      第１ジャンパスイッチ（受付部）
３９１      第２ジャンパスイッチ（受付部）
３，１０３      室外機（加湿装置）
１８ａ，１１８ａ    第１室内機本体（エリア別室内機）
１８ｂ，１１８ｂ  第２室内機本体（エリア別室内機）
３０，１３０  空気流路切り換え部（切り換え部）
６６，２６６，３６６  切り換え制御部
１００，２００  空気調和機
２９２，３９２  設定部
【先行技術文献】
【特許文献】
【０２２７】
【特許文献１】特開平１１−３１１４３５号公報
【特許文献２】特開平５−２２３２９８号公報
【手続補正２】
【補正対象書類名】特許請求の範囲
【補正対象項目名】全文
【補正方法】変更
【補正の内容】
【特許請求の範囲】
【請求項１】
１台の加湿装置（３，１０３）と、
前記加湿装置から加湿空気が供給される複数台のエリア別室内機（１８ａ，１８ｂ，１１８ａ，１１８ｂ，１１８ｃ）と、
ユーザからの各前記エリア別室内機への加湿空気の供給指示を受信可能な受信部（６７）と、
複数の前記エリア別室内機のうちのいずれか１台にのみ加湿空気が供給されるように前記加湿装置を制御する制御部（６２）と、を備え、
前記制御部は、
前記受信部が前記供給指示を最初に受信した前記エリア別室内機である第１供給機に加湿空気が供給されるように、前記加湿装置を制御する第１制御と、
前記第１制御が行われた後であって、前記受信部が前記第１供給機以外の前記エリア別室内機である第２供給機に対する前記供給指示を受信し、かつ、少なくとも前記第１供給機によって加湿される第１エリア（１ａ，１ｂ，１０１ａ，１０１ｂ，１０１ｃ）の加湿環境が第１条件を満たしている場合に、前記第２供給機に加湿空気が供給されるように、前記加湿装置を制御する第２制御と、
前記第２制御が行われた後であって、少なくとも前記第１エリアの加湿環境が第２条件を満たしている場合に、前記第１供給機に加湿空気が供給されるように、前記加湿装置を制御する第３制御と、を行う、
空気調和機（１００，２００）。
【請求項２】
前記第２条件では、前記第１エリアの加湿環境が、前記第２供給機によって加湿される第２エリアの加湿環境よりも優先される、
請求項１に記載の空気調和機（１００，２００）。
【請求項３】
前記制御部は、前記第１エリアの湿度を測定するための第１エリア湿度センサ（７０ａ，７０ｂ）の計測値に基づいて前記第１エリアにおける加湿環境に対応する第１加湿環境値を算出可能な算出部（６８）を有し、
前記第１条件には、前記第１加湿環境値が第１所定値未満であるという第１切り換え条件が含まれ、
前記第２条件には、前記第１加湿環境値が第２所定値以上であるという第２切り換え条件が含まれる、
請求項１又は２に記載の空気調和機。
【請求項４】
前記算出部は、前記第２供給機によって加湿される第２エリア（１ａ，１ｂ，１０１ａ，１０１ｂ，１０１ｃ）の湿度を測定するための第２エリア湿度センサ（７０ａ，７０ｂ）の計測値に基づいて、前記第２エリアにおける加湿環境に対応する第２加湿環境値を更に算出し、
前記第１条件には、前記第１切り換え条件の他に、前記第２加湿環境値が第３所定値以上であるという第３切り換え条件、または、前記第１供給機によって前記第１エリアの加湿が開始されてから所定の第１時間を経過しているという第４切り換え条件の少なくともいずれか１つの条件が含まれる、
請求項３に記載の空気調和機。
【請求項５】
前記第２条件には、前記第２切り換え条件の他に、前記第２供給機によって前記第２エリアの加湿が開始されてから所定の第２時間を経過しているという第５切り換え条件が含まれる、
請求項４に記載の空気調和機。
【請求項６】
前記第２供給機は、前記第１供給機に加湿空気が供給されていることを報知するための報知部（１３ａ，１３ｂ）を有する、
請求項１から５のいずれかに記載の空気調和機。
【請求項７】
前記加湿装置は、前記第１供給機にのみ加湿空気が供給される第１状態と、前記第２供給機にのみ加湿空気が供給される第２状態とに状態を切り換え可能な切り換え部（３０，１３０）を有し、
前記制御部は、前記切り換え部の状態を切り換える切り換え制御を行うことで、前記第１制御、前記第２制御、または、前記第３制御を行う、
請求項１から６のいずれかに記載の空気調和機。
【請求項８】
前記切り換え部の状態が切り換わるようにユーザからの切り換え指示を受け付ける受付部（２９０，２９１）を更に備える、
請求項７に記載の空気調和機。
【請求項９】
前記受付部において前記切り換え指示を受け付けている場合には、前記切り換え部において、前記制御部による前記切り換え制御に応じた前記切り換え部の状態よりも前記切り換え指示に基づく前記切り換え部の状態が優先される、
請求項８に記載の空気調和機。
【請求項１０】
前記制御部は、前記受信部が前記供給指示を受信したタイミングに基づいて、前記第２供給機を決定する決定部（６５）を有する、
請求項１から９のいずれかに記載の空気調和機。